(57)【要約】  様々なトーンプランに従ってワイヤレスメッセージを供給するための方法および装置は、たとえば、ワイヤレス通信の方法を含むことができる。方法は、２０ＭＨｚ帯域幅を介した送信用の、２３４個のデータトーンと、８個のパイロットトーンと、３個の直流トーンと、１１個のエッジトーンとを含む２５６トーンプランに関連する２４２トーンリソースユニット（ＲＵ）、または４０ＭＨｚ帯域幅を介した送信用の、４６８個のデータトーンと、１６個のパイロットトーンと、５個の直流トーンと、２３個のエッジトーンとを含む５１２トーンプランに関連する４８４トーンＲＵのうちの少なくとも１つを選択することを含む。方法は、２５６トーンプランまたは５１２トーンプランによる送信用のメッセージを供給することをさらに含む。
2017530599.tif 000002
【特許請求の範囲】
【請求項１】
ワイヤレス通信を実行するように構成された装置であって、
命令を記憶するメモリと、
前記メモリに結合され、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択することと、
前記２５６トーンプランまたは５１２トーンプランによる送信用のメッセージを供給することと、
を行うための前記命令を実行するように構成された、処理システムと、
を備える、装置。
【請求項２】
前記処理システムが、前記２４２トーンＲＵを選択すること、前記２５６トーンプランによる送信用の前記メッセージを供給すること、および
バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または
低密度パリティチェック（ＬＤＰＣ）のために、９としてのトーンマッピング距離（ＤＴＭ）を使用して前記メッセージのトーンをマッピングすること
のいずれかを行うように構成される、請求項１に記載の装置。
【請求項３】
前記処理システムが、
前記４８４トーンＲＵを選択することと、
前記５１２トーンプランによる送信用の前記メッセージを供給することと、
低密度パリティチェック（ＬＤＰＣ）のために、１２としてのトーンマッピング距離（ＤＴＭ）を使用して前記メッセージのトーンをマッピングすることと、
前記メッセージのバイナリ畳み込みコードインターリービングマップトーンを実行することを控えることと、
を行うように構成される、請求項１に記載の装置。
【請求項４】
前記処理システムが、２４２個のトーン以下のＲＵサイズに対してバイナリ畳み込みコード（ＢＣＣ）インターリービングを実行するようにさらに構成され、ここにおいて、ＢＣＣインターリービングが、すべてのＲＵサイズに対して４つ以下の空間ストリームを介した送信に限定される、請求項１に記載の装置。
【請求項５】
前記処理システムが、４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用して前記メッセージのトーンをマッピングするようにさらに構成される、請求項１に記載の装置。
【請求項６】
前記装置が移動局であり、前記処理システムが、前記移動局をサービスするアクセスポイントへ前記移動局の送信機およびアンテナを通して前記メッセージを送信するように構成されることによって、送信用の前記メッセージを供給するように構成される、請求項１に記載の装置。
【請求項７】
前記装置がアクセスポイントであり、前記処理システムが、前記アクセスポイントによってサービスされる移動局へ前記アクセスポイントの送信機およびアンテナを通して前記メッセージを送信するように構成されることによって、送信用の前記メッセージを供給するように構成される、請求項１に記載の装置。
【請求項８】
ワイヤレス通信のための方法であって、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択することと、
前記２５６トーンプランまたは５１２トーンプランによる送信用のメッセージを供給することと、
を備える、方法。
【請求項９】
選択する前記ステップが、前記２４２トーンＲＵを選択することを備え、供給する前記ステップが、前記２５６トーンプランによる送信用の前記メッセージを供給することを備え、
バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または
低密度パリティチェック（ＬＤＰＣ）のために、９としてのトーンマッピング距離（ＤＴＭ）を使用して前記メッセージのトーンをマッピングすること
のいずれかをさらに備える、請求項８に記載の方法。
【請求項１０】
選択する前記ステップが、前記４８４トーンＲＵを選択することを備え、供給する前記ステップが、前記５１２トーンプランによる送信用の前記メッセージを供給することを備え、
低密度パリティチェック（ＬＤＰＣ）のために、１２としてのトーンマッピング距離（ＤＴＭ）を使用して前記メッセージのトーンをマッピングすることと、
前記メッセージのバイナリ畳み込みコードインターリービングマップトーンを実行することを控えることと、
をさらに備える、請求項８に記載の方法。
【請求項１１】
２４２個のトーン以下のＲＵサイズに対してバイナリ畳み込みコード（ＢＣＣ）インターリービングを実行することと、ＢＣＣインターリービングを、４つ以下の空間ストリームを介した送信に限定することと、をさらに備える、請求項８に記載の方法。
【請求項１２】
４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用して前記メッセージのトーンをマッピングすることをさらに備える、請求項８に記載の方法。
【請求項１３】
前記方法が移動局において実行され、送信用の前記メッセージを供給することが、前記移動局をサービスするアクセスポイントへ前記移動局の送信機およびアンテナを通して前記メッセージを送信することを備える、請求項８に記載の方法。
【請求項１４】
前記方法がアクセスポイントにおいて実行され得、送信用の前記メッセージを供給することが、前記アクセスポイントによってサービスされる移動局へ前記アクセスポイントの送信機およびアンテナを通して前記メッセージを送信することを備える、請求項８に記載の方法。
【請求項１５】
ワイヤレス通信のための装置であって、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択するための手段と、
前記２５６トーンプランまたは５１２トーンプランによる送信用のメッセージを供給するための手段と、
を備える、装置。
【請求項１６】
選択するための前記手段が、前記２４２トーンＲＵを選択するための手段を備え、供給するための前記手段が、前記２５６トーンプランによる送信用の前記メッセージを供給するための手段を備え、前記装置が、
バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または
低密度パリティチェック（ＬＤＰＣ）のために、９としてのトーンマッピング距離（ＤＴＭ）を使用して前記メッセージのトーンをマッピングすること
のいずれかのための手段をさらに備える、請求項１５に記載の装置。
【請求項１７】
選択するための前記手段が、前記４８４トーンＲＵを選択するための手段を備え、供給するための前記手段が、前記５１２トーンプランによる送信用の前記メッセージを供給するための手段を備え、前記装置が、
低密度パリティチェック（ＬＤＰＣ）のために、１２としてのトーンマッピング距離（ＤＴＭ）を使用して前記メッセージのトーンをマッピングすることと、
前記メッセージのバイナリ畳み込みコードインターリービングマップトーンを実行することを控えることと、
を行うための手段をさらに備える、請求項１５に記載の装置。
【請求項１８】
２４２個のトーン以下のＲＵサイズに対してバイナリ畳み込みコード（ＢＣＣ）インターリービングを実行するための手段をさらに備え、ここにおいて、ＢＣＣインターリービングが、すべてのＲＵサイズに対して４つ以下の空間ストリームを介した送信に限定される、請求項１５に記載の装置。
【請求項１９】
４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用して前記メッセージのトーンをマッピングするための手段をさらに備える、請求項１５に記載の装置。
【請求項２０】
実行されたとき、装置に、
２０ＭＨｚ帯域幅を介した送信用の、２３４個のデータトーンと、８個のパイロットトーンと、３個の直流トーンと、１１個のエッジトーンとを備える２５６トーンプランに関連する２４２トーンリソースユニット（ＲＵ）、または
４０ＭＨｚ帯域幅を介した送信用の、４６８個のデータトーンと、１６個のパイロットトーンと、５個の直流トーンと、２３個のエッジトーンとを備える５１２トーンプランに関連する４８４トーンＲＵ
のうちの少なくとも１つを選択することと、
前記２５６トーンプランまたは５１２トーンプランによる送信用のメッセージを供給することと、
を行わせるコードを備える、非一時的コンピュータ可読媒体。
【発明の詳細な説明】
【技術分野】
【０００１】
[0001]本開示のいくつかの態様は、一般に、ワイヤレス通信に関し、より詳細には、様々なトーン割振りに従ってメッセージを供給するための方法および装置に関する。
【背景技術】
【０００２】
[0002]多くの電気通信システムでは、いくつかの相互作用する空間的に分離されたデバイス間でメッセージを交換するために、通信ネットワークが使用される。ネットワークは、たとえば、メトロポリタンエリア、ローカルエリア、またはパーソナルエリアであり得る地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）と呼ばれることがある。ネットワークはまた、様々なネットワークノードとデバイスとを相互接続するために使用されるスイッチング／ルーティング技法（たとえば、回線スイッチング対パケットスイッチング）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング）、イーサネット（登録商標）など）によって異なる。
【０００３】
[0003]ワイヤレスネットワークは、しばしば、ネットワーク要素がモバイルであり、したがって動的接続性のニーズを有するときに、またはネットワークアーキテクチャが固定ではなくアドホックなトポロジーで形成される場合に好適である。ワイヤレスネットワークは、無線、マイクロ波、赤外線、光などの周波数帯域中の電磁波を使用する非誘導伝搬モードで無形物理媒体を採用する。ワイヤレスネットワークは、有利には、固定ワイヤードネットワークと比較すると、ユーザモビリティと迅速なフィールド展開とを容易にする。
【０００４】
[0004]ワイヤレスネットワーク中のデバイスは、互いの間で情報を送信／受信することができる。デバイス送信は互いに干渉することがあり、いくつかの送信は他の送信を選択的にブロックすることがある。多くのデバイスが通信ネットワークを共有する場合、輻輳（congestion）および非効率的なリンク使用が生じることがある。したがって、ワイヤレスネットワークにおける通信効率を改善するためのシステム、方法、および非一時的コンピュータ可読媒体が必要である。
【発明の概要】
【０００５】
[0005]添付の特許請求の範囲内のシステム、方法、およびデバイスの様々な実装形態は各々、いくつかの態様を有し、それらのうちのいずれの単一の態様も、単独では本明細書で説明される望ましい属性を担わない。添付の特許請求の範囲を限定することなしに、いくつかの顕著な特徴が本明細書で説明される。
【０００６】
[0006]本明細書で説明される主題の１つまたは複数の実装形態の詳細が、添付の図面および以下の説明に記載される。他の特徴、態様、および利点は、説明、図面、および特許請求の範囲から明らかになろう。以下の図面の相対的な寸法は、縮尺通りに描かれていない場合があることに留意されたい。
【０００７】
[0007]いくつかの態様では、本開示は、いくつかの２０ＭＨｚトーン割振りの中から選択するように構成された処理システムを含むワイヤレス通信のための装置を提供し、ここにおいて、第１のトーン割振りは、１個の２０ＭＨｚバンドを備え、第２のトーン割振りは、２個の１０ＭＨｚサブバンドを備え、第３のトーン割振りは、２個の５ＭＨｚサブバンドと、１個の１０ＭＨｚサブバンドとを備え、第４のトーン割振りは、４個の５ＭＨｚサブバンドを備える。装置は、トーン割振りを選択すると、２０ＭＨｚ帯域幅を介した送信用のメッセージを供給し、ここにおいて、各５ＭＨｚサブバンドは、多くて５２個のデータトーンと、４個のパイロットトーンとを備え、各１０ＭＨｚサブバンドは、多くて１０８個のデータトーンと、６個のパイロットトーンとを備え、２０ＭＨｚバンドは、２３４個または２２８個のデータトーンのうちの多くて１つと、８個のパイロットトーンと、３個または７個の直流トーンのうちの多くて１つとを備える。いくつかの態様では、第２のトーン割振りは、サブバンド間での７個または１１個のガードトーンと、１１個のエッジガードトーンと、１０個または６個の残余トーンとを備え得、第３のトーン割振りは、サブバンド間での３／３個または７／９個のガードトーンと、１１個または９個のエッジガードトーンと、１３個または５個の残余トーンとを備え得、第４のトーン割振りは、サブバンド間での３／３／３個または７／／７／７個のガードトーンと、１１個または７個のエッジガードトーンと、１２個または４個の残余トーンとを備え得る。
【０００８】
[0008]いくつかの態様では、本開示は、いくつかの４０ＭＨｚトーン割振りの中から選択するように構成された処理システムを含むワイヤレス通信のための装置を提供し、ここにおいて、第１のトーン割振りは、１個の４０ＭＨｚバンドを備え、第２のトーン割振りは、２個の２０ＭＨｚサブバンドを備え、第３のトーン割振りは、２個の１０ＭＨｚサブバンドと、１個の２０ＭＨｚサブバンドとを備え、第４のトーン割振りは、４個の１０ＭＨｚサブバンドを備え、第５のトーン割振りは、２個の５ＭＨｚサブバンドと、１個の１０ＭＨｚサブバンドと、１個の２０ＭＨｚサブバンドとを備え、第６のトーン割振りは、４個の５ＭＨｚサブバンドと、１個の２０ＭＨｚサブバンドとを備え、第７のトーン割振りは、２個の５ＭＨｚサブバンドと、３個の１０ＭＨｚサブバンドとを備え、第８のトーン割振りは、４個の５ＭＨｚサブバンドと、２個の１０ＭＨｚサブバンドとを備え、第９のトーン割振りは、６個の５ＭＨｚサブバンドと、１個の１０ＭＨｚサブバンドとを備え、第１０のトーン割振りは、８個の５ＭＨｚサブバンドを備える。トーン割振りを選択すると、装置は、４０ＭＨｚ帯域幅を介した送信用のメッセージを供給し、ここにおいて、各５ＭＨｚサブバンドは、５２個のデータトーンと、４個のパイロットトーンとを備え、各１０ＭＨｚサブバンドは、１０８個のデータトーンと、６個のパイロットトーンとを備え、各２０ＭＨｚサブバンドは、２３４個または２２８個のデータトーンのうちの１つと、８個のパイロットトーンとを備え、４０ＭＨｚバンドは、４６８個のデータトーンと、１６個のパイロットトーンと、１１個の直流トーンとを備える。いくつかの態様では、第１のトーン割振りは、１１個のエッジガードトーンと、６個の残余トーンとを備え得、第２のトーン割振りは、サブバンド間での７個または１１個のガードトーンと、１１個のエッジガードトーンと、１０個または６個の残余トーンとを備え得、第３のトーン割振りは、サブバンド間での３／１１個または１１／１１個のガードトーンと、１１個のエッジガードトーンと、１４個または６個の残余トーンとを備え得、第４のトーン割振りは、サブバンド間での３／１１／３個または１１／１１／１１個のガードトーンと、１１個のエッジガードトーンと、２８個または１２個の残余トーンとを備え得、第５のトーン割振りは、サブバンド間での３／３／１１個または７／９／１１個のガードトーンと、１１個または９個のエッジガードトーンと、１６個または８個の残余トーンとを備え得、第６のトーン割振りは、サブバンド間での３／３／３／１１個または７／７／７／９個のガードトーンと、１１個または９個のエッジガードトーンと、１５個または７個の残余トーンとを備え得、第７のトーン割振りは、サブバンド間での３／３／１１／３個または７／９／１１／１１個のガードトーンと、１１個または９個のエッジガードトーンと、２７個または１１個の残余トーンとを備え得、第８のトーン割振りは、サブバンド間での３／３／３／１１／３個または７／７／７／９／１１個のガードトーンと、１１個または９個のエッジガードトーンと、２６個または１０個の残余トーンとを備え得、第９のトーン割振りは、サブバンド間での３／３／３／１１／３／３個または７／７／７／７／７／９個のガードトーンと、１１個または９個のエッジガードトーンと、２５個または９個の残余トーンとを備え得、第１０のトーン割振りは、サブバンド間での３／３／３／１１／３／３／３個または７／７／７／７／７／７／７個のガードトーンと、１１個または７個のエッジガードトーンと、２４個または８個の残余トーンとを備え得る。
【０００９】
[0009]いくつかの態様では、ワイヤレス通信のための装置が説明される。装置は、いくつかの８０ＭＨｚトーン割振りの中から選択するように構成された処理システムを含み、ここにおいて、第１のトーン割振りは、１個の８０ＭＨｚバンドを備え、第２のトーン割振りは、２個の４０ＭＨｚサブバンドを備え、第３のトーン割振りは、２個の２０ＭＨｚサブバンドと、１個の４０ＭＨｚサブバンドとを備え、第４のトーン割振りは、４個の２０ＭＨｚサブバンドを備え、第５のトーン割振りは、２個の１０ＭＨｚサブバンドと、１個の２０ＭＨｚサブバンドと、１個の４０ＭＨｚサブバンドとを備え、第６のトーン割振りは、４個の１０ＭＨｚサブバンドと、１個の４０ＭＨｚサブバンドとを備え、第７のトーン割振りは、２個の５ＭＨｚサブバンドと、１個の１０ＭＨｚサブバンドと、１個の２０ＭＨｚサブバンドと、１個の４０ＭＨｚサブバンドとを備え、第８のトーン割振りは、２個の１０ＭＨｚサブバンドと、３個の２０ＭＨｚサブバンドとを備え、第９のトーン割振りは、２個の５ＭＨｚサブバンドと、３個の１０ＭＨｚサブバンドと、１個の４０ＭＨｚサブバンドとを備え、第１０のトーン割振りは、４個の５ＭＨｚサブバンドと、１個の２０ＭＨｚサブバンドと、１個の４０ＭＨｚサブバンドとを備え、第１１のトーン割振りは、４個の１０ＭＨｚサブバンドと、２個の２０ＭＨｚサブバンドとを備え、第１２のトーン割振りは、４個の５ＭＨｚサブバンドと、２個の１０ＭＨｚサブバンドと、１個の４０ＭＨｚサブバンドとを備え、第１３のトーン割振りは、６個の１０ＭＨｚサブバンドと、１個の２０ＭＨｚサブバンドとを備え、第１４のトーン割振りは、２個の５ＭＨｚサブバンドと、３個の１０ＭＨｚサブバンドと、２個の２０ＭＨｚサブバンドとを備え、第１５のトーン割振りは、４個の５ＭＨｚサブバンドと、３個の２０ＭＨｚサブバンドとを備え、第１６のトーン割振りは、８個の１０ＭＨｚサブバンドを備え、第１７のトーン割振りは、６個の５ＭＨｚサブバンドと、１個の１０ＭＨｚサブバンドと、１個の４０ＭＨｚサブバンドとを備え、第１８のトーン割振りは、４個の５ＭＨｚサブバンドと、２個の１０ＭＨｚサブバンドと、２個の２０ＭＨｚサブバンドとを備え、第１９のトーン割振りは、２個の５ＭＨｚサブバンドと、５個の１０ＭＨｚサブバンドと、１個の２０ＭＨｚサブバンドとを備え、第２０のトーン割振りは、８個の５ＭＨｚサブバンドと、１個の４０ＭＨｚサブバンドとを備え、第２１のトーン割振りは、４個の５ＭＨｚサブバンドと、４個の１０ＭＨｚサブバンドと、１個の２０ＭＨｚサブバンドとを備え、第２２のトーン割振りは、６個の５ＭＨｚサブバンドと、１個の１０ＭＨｚサブバンドと、２個の２０ＭＨｚサブバンドとを備え、第２３のトーン割振りは、２個の５ＭＨｚサブバンドと、７個の１０ＭＨｚサブバンドとを備え、第２４のトーン割振りは、８個の５ＭＨｚサブバンドと、２個の２０ＭＨｚサブバンドとを備え、第２５のトーン割振りは、６個の５ＭＨｚサブバンドと、３個の１０ＭＨｚサブバンドと、１個の２０ＭＨｚサブバンドとを備え、第２６のトーン割振りは、４個の５ＭＨｚサブバンドと、６個の１０ＭＨｚサブバンドとを備え、第２７のトーン割振りは、８個の５ＭＨｚサブバンドと、２個の１０ＭＨｚサブバンドと、１個の２０ＭＨｚサブバンドとを備え、第２８のトーン割振りは、６個の５ＭＨｚサブバンドと、５個の１０ＭＨｚサブバンドとを備え、第２９のトーン割振りは、１０個の５ＭＨｚサブバンドと、１個の１０ＭＨｚサブバンドと、１個の２０ＭＨｚサブバンドとを備え、第３０のトーン割振りは、８個の５ＭＨｚサブバンドと、４個の１０ＭＨｚサブバンドとを備え、第３１のトーン割振りは、１０個の５ＭＨｚサブバンドと、３個の１０ＭＨｚサブバンドとを備え、第３２のトーン割振りは、１２個の５ＭＨｚサブバンドと、１個の２０ＭＨｚサブバンドとを備え、第３３のトーン割振りは、１２個の５ＭＨｚサブバンドと、２個の１０ＭＨｚサブバンドとを備え、第３４のトーン割振りは、１４個の５ＭＨｚサブバンドと、１個の１０ＭＨｚサブバンドとを備え、第３５のトーン割振りは、１６個の５ＭＨｚサブバンドを備える。装置は、トーン割振りを選択すると、８０ＭＨｚ帯域幅を介した送信用のメッセージを供給し、ここにおいて、各５ＭＨｚサブバンドは、５２個のデータトーンと、４個のパイロットトーンとを備え、各１０ＭＨｚサブバンドは、１０８個のデータトーンと、６個のパイロットトーンとを備え、各２０ＭＨｚサブバンドは、２３４個または２２８個のデータトーンのうちの１つと、８個のパイロットトーンとを備え、各４０ＭＨｚサブバンドは、４６８個のデータトーンと、１６個のパイロットトーンとを備え、８０ＭＨｚバンドは、９９０個のデータトーンと、１６個のパイロットトーンと、７個の直流トーンとを備える。いくつかの態様では、第１のトーン割振りは、１１個のエッジガードトーンを備え得るおよび残余トーンを備えないことがあり、第２のトーン割振りは、サブバンド間での７個または１１個のガードトーンと、１１個のエッジガードトーンと、３８個または３４個の残余トーンとを備え得、第３のトーン割振りは、サブバンド間での１１／７個または１１／１１個のガードトーンと、１１個のエッジガードトーンと、２７個または２３個の残余トーンとを備え得、第４のトーン割振りは、サブバンド間での１１／７／１１個または１１／１１／１１個のガードトーンと、１１個のエッジガードトーンと、１６個または１２個の残余トーンとを備え得、第５のトーン割振りは、サブバンド間での３／１１／７個または１１／１１／１１個のガードトーンと、１１個のエッジガードトーンと、３８個または２６個の残余トーンとを備え得、第６のトーン割振りは、サブバンド間での３／１１／３／７個または１１／１１／１１／１１個のガードトーンと、１１個のエッジガードトーンと、４９個または２９個の残余トーンとを備え得、第７のトーン割振りは、サブバンド間での３／３／１１／７個または７／９／１１／１１個のガードトーンと、１１個または９個のエッジガードトーンと、３７個または２５個の残余トーンとを備え得、第８のトーン割振りは、サブバンド間での３／１１／７／１１個または１１／１１／１１／１１個のガードトーンと、１１個のエッジガードトーンと、２７個または１５個の残余トーンとを備え得、第９のトーン割振りは、サブバンド間での３／３／１１／３／７個または７／９／１１／１１／１１個のガードトーンと、１１個または９個のエッジガードトーンと、４８個または２８個の残余トーンとを備え得、第１０のトーン割振りは、サブバンド間での３／３／３／１１／７個または７／７／７／９／１１個のガードトーンと、１１個または９個のエッジガードトーンと、３６個または２４個の残余トーンとを備え得、第１１のトーン割振りは、サブバンド間での３／１１／３／７／１１個または１１／１１／１１／１１／１１個のガードトーンと、１１個のエッジガードトーンと、３８個または１８個の残余トーンとを備え得、第１２のトーン割振りは、サブバンド間での３／３／３／１１／３／７個または７／７／７／９／１１／１１個のガードトーンと、１１個または９個のエッジガードトーンと、４７個または２７個の残余トーンとを備え得、第１３のトーン割振りは、サブバンド間での３／１１／３／７／３／１１個または１１／１１／１１／１１／１１／１１個のガードトーンと、１１個のエッジガードトーンと、４９個または２１個の残余トーンとを備え得、第１４のトーン割振りは、サブバンド間での３／３／１１／３／７／１１個または７／９／１１／１１／１１／１１個のガードトーンと、１１個または９個のエッジガードトーンと、３７個または１７個の残余トーンとを備え得、第１５のトーン割振りは、サブバンド間での３／３／３／１１／７／１１個または７／７／７／９／１１／１１個のガードトーンと、１１個または９個のエッジガードトーンと、２５個または１３個の残余トーンとを備え得、第１６のトーン割振りは、サブバンド間での３／１１／３／７／７／１１／３個または１１／１１／１１／１１／１１／１１／１１個のガードトーンと、１１個のエッジガードトーンと、６０個または２４個の残余トーンとを備え得、第１７のトーン割振りは、サブバンド間での３／３／３／１１／３／３／７個または７／７／７／７／７／９／１１個のガードトーンと、１１個または９個のエッジガードトーンと、４６個または２６個の残余トーンとを備え得、第１８のトーン割振りは、サブバンド間での３／３／３／１１／３／７／１１個または７／７／７／９／１１／１１／１１個のガードトーンと、１１個または９個のエッジガードトーンと、３６個または１６個の残余トーンとを備え得、第１９のトーン割振りは、サブバンド間での３／３／１１／３／７／３／１１個または７／９／１１／１１／１１／１１／１１個のガードトーンと、１１個または９個のエッジガードトーンと、４８個または１６個の残余トーンとを備え得、第２０のトーン割振りは、サブバンド間での３／３／３／１１／３／３／３／７個または７／７／７／７／７／７／７／９個のガードトーンと、１１個または９個のエッジガードトーンと、４５個または２５個の残余トーンとを備え得、第２１のトーン割振りは、サブバンド間での３／３／３／１１／３／７／３／１１個または７／７／７／９／１１／１１／１１／１１個のガードトーンと、１１個または９個のエッジガードトーンと、４７個または１９個の残余トーンとを備え得、第２２のトーン割振りは、サブバンド間での３／３／３／１１／３／３／７／１１個または７／７／７／７／７／９／１１／１１個のガードトーンと、１１個または９個のエッジガードトーンと、３５個または１５個の残余トーンとを備え得、第２３のトーン割振りは、サブバンド間での３／３／１１／３／７／３／１１／３個または７／９／１１／１１／１１／１１／１１／１１個のガードトーンと、１１個または９個のエッジガードトーンと、５９個または２３個の残余トーンとを備え得、第２４のトーン割振りは、サブバンド間での３／３／３／１１／３／３／３／７／１１個または７／７／７／７／７／７／７／９／１１個のガードトーンと、１１個または９個のエッジガードトーンと、３４個または１４個の残余トーンとを備え得、第２５のトーン割振りは、サブバンド間での３／３／３／１１／３／３／７／３／１１個または７／７／７／７／７／９／１１／１１／１１個のガードトーンと、１１個または９個のエッジガードトーンと、４６個または１８個の残余トーンとを備え得、第２６のトーン割振りは、サブバンド間での３／３／３／１１／３／７／３／１１／３個または７／７／７／９／１１／１１／１１／１１／１１個のガードトーンと、１１個または９個のエッジガードトーンと、５８個または２２個の残余トーンとを備え得、第２７のトーン割振りは、サブバンド間での３／３／３／１１／３／３／３／７／３／１１個または７／７／７／７／７／７／７／９／１１／１１個のガードトーンと、１１個または９個のエッジガードトーンと、４５個または１７個の残余トーンとを備え得、第２８のトーン割振りは、サブバンド間での３／３／３／１１／３／３／７／３／１１／３個または７／７／７／７／７／９／１１／１１／１１／１１個のガードトーンと、１１個または９個のエッジガードトーンと、５７個または２１個の残余トーンとを備え得、第２９のトーン割振りは、サブバンド間での３／３／３／１１／３／３／３／７／３／３／１１個または７／７／７／７／７／７／７／７／７／９／１１個のガードトーンと、１１個または９個のエッジガードトーンと、４４個または１６個の残余トーンとを備え得、第３０のトーン割振りは、サブバンド間での３／３／３／１１／３／３／３／７／３／１１／３個または７／７／７／７／７／７／７／９／１１／１１／１１個のガードトーンと、１１個または９個のエッジガードトーンと、５６個または２０個の残余トーンとを備え得、第３１のトーン割振りは、サブバンド間での３／３／３／１１／３／３／３／７／３／３／１１／３個また
は７／７／７／７／７／７／７／７／７／９／１１／１１個のガードトーンと、１１個または９個のエッジガードトーンと、５５個または１９個の残余トーンとを備え得、第３２のトーン割振りは、サブバンド間での３／３／３／１１／３／３／３／７／３／３／３／１１個または７／７／７／７／７／７／７／７／７／７／７／９個のガードトーンと、１１個または９個のエッジガードトーンと、４３個または１５個の残余トーンとを備え得、第３３のトーン割振りは、サブバンド間での３／３／３／１１／３／３／３／７／３／３／３／１１／３個または７／７／７／７／７／７／７／７／７／７／７／９／１１個のガードトーンと、１１個または９個のエッジガードトーンと、５４個または１８個の残余トーンとを備え得、第３４のトーン割振りは、サブバンド間での３／３／３／１１／３／３／３／７／３／３／３／１１／３／３個または７／７／７／７／７／７／７／７／７／７／７／７／７／９個のガードトーンと、１１個または９個のエッジガードトーンと、５３個または１７個の残余トーンとを備え得、第３５のトーン割振りは、サブバンド間での３／３／３／１１／３／３／３／７／３／３／３／１１／３／３／３個または７／７／７／７／７／７／７／７／７／７／７／７／７／７／７個のガードトーンと、１１個または９個のエッジガードトーンと、５２個または１４個の残余トーンとを備え得る。
【００１０】
[0010]いくつかの態様では、いくつかの２０ＭＨｚトーン割振りの中から選択することと、ここにおいて、第１のトーン割振りが、１個の２０ＭＨｚバンドを備え、第２のトーン割振りが、２個の１０ＭＨｚサブバンドを備え、第３のトーン割振りが、２個の５ＭＨｚサブバンドと、１個の１０ＭＨｚサブバンドとを備え、第４のトーン割振りが、４個の５ＭＨｚサブバンドを備え、トーン割振りを選択すると、２０ＭＨｚ帯域幅を介した送信用のメッセージを供給することと、ここにおいて、各５ＭＨｚサブバンドが、多くて５２個のデータトーンと、４個のパイロットトーンとを備え、各１０ＭＨｚサブバンドが、多くて１０８個のデータトーンと、６個のパイロットトーンとを備え、２０ＭＨｚバンドが、２３４個または２２８個のデータトーンのうちの多くて１つと、８個のパイロットトーンと、３個または７個の直流トーンのうちの多くて１つとを備え、を含むワイヤレス通信の方法が開示される。
【００１１】
[0011]いくつかの態様では、いくつかの４０ＭＨｚトーン割振りの中から選択することと、ここにおいて、第１のトーン割振りが、１個の４０ＭＨｚバンドを備え、第２のトーン割振りが、２個の２０ＭＨｚサブバンドを備え、第３のトーン割振りが、２個の１０ＭＨｚサブバンドと、１個の２０ＭＨｚサブバンドとを備え、第４のトーン割振りが、４個の１０ＭＨｚサブバンドを備え、第５のトーン割振りが、２個の５ＭＨｚサブバンドと、１個の１０ＭＨｚサブバンドと、１個の２０ＭＨｚサブバンドとを備え、第６のトーン割振りが、４個の５ＭＨｚサブバンドと、１個の２０ＭＨｚサブバンドとを備え、第７のトーン割振りが、２個の５ＭＨｚサブバンドと、３個の１０ＭＨｚサブバンドとを備え、第８のトーン割振りが、４個の５ＭＨｚサブバンドと、２個の１０ＭＨｚサブバンドとを備え、第９のトーン割振りが、６個の５ＭＨｚサブバンドと、１個の１０ＭＨｚサブバンドとを備え、第１０のトーン割振りが、８個の５ＭＨｚサブバンドを備え、トーン割振りを選択すると、４０ＭＨｚ帯域幅を介した送信用のメッセージを供給することと、ここにおいて、各５ＭＨｚサブバンドが、５２個のデータトーンと、４個のパイロットトーンとを備え、各１０ＭＨｚサブバンドが、１０８個のデータトーンと、６個のパイロットトーンとを備え、各２０ＭＨｚサブバンドが、２３４個または２２８個のデータトーンのうちの１つと、８個のパイロットトーンとを備え、４０ＭＨｚバンドが、４６８個のデータトーンと、１６個のパイロットトーンと、１１個の直流トーンとを備え、を含むワイヤレス通信の方法が説明される。
【００１２】
[0012]いくつかの態様では、いくつかの８０ＭＨｚトーン割振りの中から選択することと、ここにおいて、第１のトーン割振りが、１個の８０ＭＨｚバンドを備え、第２のトーン割振りが、２個の４０ＭＨｚサブバンドを備え、第３のトーン割振りが、２個の２０ＭＨｚサブバンドと、１個の４０ＭＨｚサブバンドとを備え、第４のトーン割振りが、４個の２０ＭＨｚサブバンドを備え、第５のトーン割振りが、２個の１０ＭＨｚサブバンドと、１個の２０ＭＨｚサブバンドと、１個の４０ＭＨｚサブバンドとを備え、第６のトーン割振りが、４個の１０ＭＨｚサブバンドと、１個の４０ＭＨｚサブバンドとを備え、第７のトーン割振りが、２個の５ＭＨｚサブバンドと、１個の１０ＭＨｚサブバンドと、１個の２０ＭＨｚサブバンドと、１個の４０ＭＨｚサブバンドとを備え、第８のトーン割振りが、２個の１０ＭＨｚサブバンドと、３個の２０ＭＨｚサブバンドとを備え、第９のトーン割振りが、２個の５ＭＨｚサブバンドと、３個の１０ＭＨｚサブバンドと、１個の４０ＭＨｚサブバンドとを備え、第１０のトーン割振りが、４個の５ＭＨｚサブバンドと、１個の２０ＭＨｚサブバンドと、１個の４０ＭＨｚサブバンドとを備え、第１１のトーン割振りが、４個の１０ＭＨｚサブバンドと、２個の２０ＭＨｚサブバンドとを備え、第１２のトーン割振りが、４個の５ＭＨｚサブバンドと、２個の１０ＭＨｚサブバンドと、１個の４０ＭＨｚサブバンドとを備え、第１３のトーン割振りが、６個の１０ＭＨｚサブバンドと、１個の２０ＭＨｚサブバンドとを備え、第１４のトーン割振りが、２個の５ＭＨｚサブバンドと、３個の１０ＭＨｚサブバンドと、２個の２０ＭＨｚサブバンドとを備え、第１５のトーン割振りが、４個の５ＭＨｚサブバンドと、３個の２０ＭＨｚサブバンドとを備え、第１６のトーン割振りが、８個の１０ＭＨｚサブバンドを備え、第１７のトーン割振りが、６個の５ＭＨｚサブバンドと、１個の１０ＭＨｚサブバンドと、１個の４０ＭＨｚサブバンドとを備え、第１８のトーン割振りが、４個の５ＭＨｚサブバンドと、２個の１０ＭＨｚサブバンドと、２個の２０ＭＨｚサブバンドとを備え、第１９のトーン割振りが、２個の５ＭＨｚサブバンドと、５個の１０ＭＨｚサブバンドと、１個の２０ＭＨｚサブバンドとを備え、第２０のトーン割振りが、８個の５ＭＨｚサブバンドと、１個の４０ＭＨｚサブバンドとを備え、第２１のトーン割振りが、４個の５ＭＨｚサブバンドと、４個の１０ＭＨｚサブバンドと、１個の２０ＭＨｚサブバンドとを備え、第２２のトーン割振りが、６個の５ＭＨｚサブバンドと、１個の１０ＭＨｚサブバンドと、２個の２０ＭＨｚサブバンドとを備え、第２３のトーン割振りが、２個の５ＭＨｚサブバンドと、７個の１０ＭＨｚサブバンドとを備え、第２４のトーン割振りが、８個の５ＭＨｚサブバンドと、２個の２０ＭＨｚサブバンドとを備え、第２５のトーン割振りが、６個の５ＭＨｚサブバンドと、３個の１０ＭＨｚサブバンドと、１個の２０ＭＨｚサブバンドとを備え、第２６のトーン割振りが、４個の５ＭＨｚサブバンドと、６個の１０ＭＨｚサブバンドとを備え、第２７のトーン割振りが、８個の５ＭＨｚサブバンドと、２個の１０ＭＨｚサブバンドと、１個の２０ＭＨｚサブバンドとを備え、第２８のトーン割振りが、６個の５ＭＨｚサブバンドと、５個の１０ＭＨｚサブバンドとを備え、第２９のトーン割振りが、１０個の５ＭＨｚサブバンドと、１個の１０ＭＨｚサブバンドと、１個の２０ＭＨｚサブバンドとを備え、第３０のトーン割振りが、８個の５ＭＨｚサブバンドと、４個の１０ＭＨｚサブバンドとを備え、第３１のトーン割振りが、１０個の５ＭＨｚサブバンドと、３個の１０ＭＨｚサブバンドとを備え、第３２のトーン割振りが、１２個の５ＭＨｚサブバンドと、１個の２０ＭＨｚサブバンドとを備え、第３３のトーン割振りが、１２個の５ＭＨｚサブバンドと、２個の１０ＭＨｚサブバンドとを備え、第３４のトーン割振りが、１４個の５ＭＨｚサブバンドと、１個の１０ＭＨｚサブバンドとを備え、第３５のトーン割振りが、１６個の５ＭＨｚサブバンドを備え、トーン割振りを選択すると、８０ＭＨｚ帯域幅を介した送信用のメッセージを供給することと、ここにおいて、各５ＭＨｚサブバンドが、５２個のデータトーンと、４個のパイロットトーンとを備え、各１０ＭＨｚサブバンドが、１０８個のデータトーンと、６個のパイロットトーンとを備え、各２０ＭＨｚサブバンドが、２３４個または２２８個のデータトーンのうちの１つと、８個のパイロットトーンとを備え、各４０ＭＨｚサブバンドが、４６８個のデータトーンと、１６個のパイロットトーンとを備え、８０ＭＨｚバンドが、９９０個のデータトーンと、１６個のパイロットトーンと、７個の直流トーンとを備え、を含むワイヤレス通信の方法が開示される。
【００１３】
[0013]いくつかの態様では、いくつかの２０ＭＨｚトーン割振りの中から選択するための手段と、ここにおいて、第１のトーン割振りが、１個の２０ＭＨｚバンドを備え、第２のトーン割振りが、２個の１０ＭＨｚサブバンドを備え、第３のトーン割振りが、２個の５ＭＨｚサブバンドと、１個の１０ＭＨｚサブバンドとを備え、第４のトーン割振りが、４個の５ＭＨｚサブバンドを備え、トーン割振りを選択すると、２０ＭＨｚ帯域幅を介した送信用のメッセージを供給するための手段と、ここにおいて、各５ＭＨｚサブバンドが、多くて５２個のデータトーンと、４個のパイロットトーンとを備え、各１０ＭＨｚサブバンドが、多くて１０８個のデータトーンと、６個のパイロットトーンとを備え、２０ＭＨｚバンドが、２３４個または２２８個のデータトーンのうちの多くて１つと、８個のパイロットトーンと、３個または７個の直流トーンのうちの多くて１つとを備え、を含むワイヤレス通信のための装置が提供される。
【００１４】
[0014]いくつかの態様では、いくつかの４０ＭＨｚトーン割振りの中から選択するための手段と、ここにおいて、第１のトーン割振りが、１個の４０ＭＨｚバンドを備え、第２のトーン割振りが、２個の２０ＭＨｚサブバンドを備え、第３のトーン割振りが、２個の１０ＭＨｚサブバンドと、１個の２０ＭＨｚサブバンドとを備え、第４のトーン割振りが、４個の１０ＭＨｚサブバンドを備え、第５のトーン割振りが、２個の５ＭＨｚサブバンドと、１個の１０ＭＨｚサブバンドと、１個の２０ＭＨｚサブバンドとを備え、第６のトーン割振りが、４個の５ＭＨｚサブバンドと、１個の２０ＭＨｚサブバンドとを備え、第７のトーン割振りが、２個の５ＭＨｚサブバンドと、３個の１０ＭＨｚサブバンドとを備え、第８のトーン割振りが、４個の５ＭＨｚサブバンドと、２個の１０ＭＨｚサブバンドとを備え、第９のトーン割振りが、６個の５ＭＨｚサブバンドと、１個の１０ＭＨｚサブバンドとを備え、第１０のトーン割振りが、８個の５ＭＨｚサブバンドを備え、トーン割振りを選択すると、４０ＭＨｚ帯域幅を介した送信用のメッセージを供給するための手段と、ここにおいて、各５ＭＨｚサブバンドが、５２個のデータトーンと、４個のパイロットトーンとを備え、各１０ＭＨｚサブバンドが、１０８個のデータトーンと、６個のパイロットトーンとを備え、各２０ＭＨｚサブバンドが、２３４個または２２８個のデータトーンのうちの１つと、８個のパイロットトーンとを備え、４０ＭＨｚバンドが、４６８個のデータトーンと、１６個のパイロットトーンと、１１個の直流トーンとを備え、を含むワイヤレス通信のための装置が開示される。
【００１５】
[0015]いくつかの態様では、いくつかの８０ＭＨｚトーン割振りの中から選択するための手段と、ここにおいて、第１のトーン割振りが、１個の８０ＭＨｚバンドを備え、第２のトーン割振りが、２個の４０ＭＨｚサブバンドを備え、第３のトーン割振りが、２個の２０ＭＨｚサブバンドと、１個の４０ＭＨｚサブバンドとを備え、第４のトーン割振りが、４個の２０ＭＨｚサブバンドを備え、第５のトーン割振りが、２個の１０ＭＨｚサブバンドと、１個の２０ＭＨｚサブバンドと、１個の４０ＭＨｚサブバンドとを備え、第６のトーン割振りが、４個の１０ＭＨｚサブバンドと、１個の４０ＭＨｚサブバンドとを備え、第７のトーン割振りが、２個の５ＭＨｚサブバンドと、１個の１０ＭＨｚサブバンドと、１個の２０ＭＨｚサブバンドと、１個の４０ＭＨｚサブバンドとを備え、第８のトーン割振りが、２個の１０ＭＨｚサブバンドと、３個の２０ＭＨｚサブバンドとを備え、第９のトーン割振りが、２個の５ＭＨｚサブバンドと、３個の１０ＭＨｚサブバンドと、１個の４０ＭＨｚサブバンドとを備え、第１０のトーン割振りが、４個の５ＭＨｚサブバンドと、１個の２０ＭＨｚサブバンドと、１個の４０ＭＨｚサブバンドとを備え、第１１のトーン割振りが、４個の１０ＭＨｚサブバンドと、２個の２０ＭＨｚサブバンドとを備え、第１２のトーン割振りが、４個の５ＭＨｚサブバンドと、２個の１０ＭＨｚサブバンドと、１個の４０ＭＨｚサブバンドとを備え、第１３のトーン割振りが、６個の１０ＭＨｚサブバンドと、１個の２０ＭＨｚサブバンドとを備え、第１４のトーン割振りが、２個の５ＭＨｚサブバンドと、３個の１０ＭＨｚサブバンドと、２個の２０ＭＨｚサブバンドとを備え、第１５のトーン割振りが、４個の５ＭＨｚサブバンドと、３個の２０ＭＨｚサブバンドとを備え、第１６のトーン割振りが、８個の１０ＭＨｚサブバンドを備え、第１７のトーン割振りが、６個の５ＭＨｚサブバンドと、１個の１０ＭＨｚサブバンドと、１個の４０ＭＨｚサブバンドとを備え、第１８のトーン割振りが、４個の５ＭＨｚサブバンドと、２個の１０ＭＨｚサブバンドと、２個の２０ＭＨｚサブバンドとを備え、第１９のトーン割振りが、２個の５ＭＨｚサブバンドと、５個の１０ＭＨｚサブバンドと、１個の２０ＭＨｚサブバンドとを備え、第２０のトーン割振りが、８個の５ＭＨｚサブバンドと、１個の４０ＭＨｚサブバンドとを備え、第２１のトーン割振りが、４個の５ＭＨｚサブバンドと、４個の１０ＭＨｚサブバンドと、１個の２０ＭＨｚサブバンドとを備え、第２２のトーン割振りが、６個の５ＭＨｚサブバンドと、１個の１０ＭＨｚサブバンドと、２個の２０ＭＨｚサブバンドとを備え、第２３のトーン割振りが、２個の５ＭＨｚサブバンドと、７個の１０ＭＨｚサブバンドとを備え、第２４のトーン割振りが、８個の５ＭＨｚサブバンドと、２個の２０ＭＨｚサブバンドとを備え、第２５のトーン割振りが、６個の５ＭＨｚサブバンドと、３個の１０ＭＨｚサブバンドと、１個の２０ＭＨｚサブバンドとを備え、第２６のトーン割振りが、４個の５ＭＨｚサブバンドと、６個の１０ＭＨｚサブバンドとを備え、第２７のトーン割振りが、８個の５ＭＨｚサブバンドと、２個の１０ＭＨｚサブバンドと、１個の２０ＭＨｚサブバンドとを備え、第２８のトーン割振りが、６個の５ＭＨｚサブバンドと、５個の１０ＭＨｚサブバンドとを備え、第２９のトーン割振りが、１０個の５ＭＨｚサブバンドと、１個の１０ＭＨｚサブバンドと、１個の２０ＭＨｚサブバンドとを備え、第３０のトーン割振りが、８個の５ＭＨｚサブバンドと、４個の１０ＭＨｚサブバンドとを備え、第３１のトーン割振りが、１０個の５ＭＨｚサブバンドと、３個の１０ＭＨｚサブバンドとを備え、第３２のトーン割振りが、１２個の５ＭＨｚサブバンドと、１個の２０ＭＨｚサブバンドとを備え、第３３のトーン割振りが、１２個の５ＭＨｚサブバンドと、２個の１０ＭＨｚサブバンドとを備え、第３４のトーン割振りが、１４個の５ＭＨｚサブバンドと、１個の１０ＭＨｚサブバンドとを備え、第３５のトーン割振りが、１６個の５ＭＨｚサブバンドを備え、トーン割振りを選択すると、８０ＭＨｚ帯域幅を介した送信用のメッセージを供給するための手段と、ここにおいて、各５ＭＨｚサブバンドが、５２個のデータトーンと、４個のパイロットトーンとを備え、各１０ＭＨｚサブバンドが、１０８個のデータトーンと、６個のパイロットトーンとを備え、各２０ＭＨｚサブバンドが、２３４個または２２８個のデータトーンのうちの１つと、８個のパイロットトーンとを備え、各４０ＭＨｚサブバンドが、４６８個のデータトーンと、１６個のパイロットトーンとを備え、８０ＭＨｚバンドが、９９０個のデータトーンと、１６個のパイロットトーンと、７個の直流トーンとを備え、を含むワイヤレス通信のための装置が開示される。
【００１６】
[0016]本開示の一態様は、実行されたとき、装置に、いくつかの２０ＭＨｚトーン割振りの中から選択することと、ここにおいて、第１のトーン割振りが、１個の２０ＭＨｚバンドを備え、第２のトーン割振りが、２個の１０ＭＨｚサブバンドを備え、第３のトーン割振りが、２個の５ＭＨｚサブバンドと、１個の１０ＭＨｚサブバンドとを備え、第４のトーン割振りが、４個の５ＭＨｚサブバンドを備え、トーン割振りを選択すると、２０ＭＨｚ帯域幅を介した送信用のメッセージを供給することと、ここにおいて、各５ＭＨｚサブバンドが、多くて５２個のデータトーンと、４個のパイロットトーンとを備え、各１０ＭＨｚサブバンドが、多くて１０８個のデータトーンと、６個のパイロットトーンとを備え、２０ＭＨｚバンドが、２３４個または２２８個のデータトーンのうちの多くて１つと、８個のパイロットトーンと、３個または７個の直流トーンのうちの多くて１つとを備え、を行わせるコードを備える非一時的コンピュータ可読媒体を提供する。
【００１７】
[0017]本開示の一態様は、実行されたとき、装置に、いくつかの４０ＭＨｚトーン割振りの中から選択することと、ここにおいて、第１のトーン割振りが、１個の４０ＭＨｚバンドを備え、第２のトーン割振りが、２個の２０ＭＨｚサブバンドを備え、第３のトーン割振りが、２個の１０ＭＨｚサブバンドと、１個の２０ＭＨｚサブバンドとを備え、第４のトーン割振りが、４個の１０ＭＨｚサブバンドを備え、第５のトーン割振りが、２個の５ＭＨｚサブバンドと、１個の１０ＭＨｚサブバンドと、１個の２０ＭＨｚサブバンドとを備え、第６のトーン割振りが、４個の５ＭＨｚサブバンドと、１個の２０ＭＨｚサブバンドとを備え、第７のトーン割振りが、２個の５ＭＨｚサブバンドと、３個の１０ＭＨｚサブバンドとを備え、第８のトーン割振りが、４個の５ＭＨｚサブバンドと、２個の１０ＭＨｚサブバンドとを備え、第９のトーン割振りが、６個の５ＭＨｚサブバンドと、１個の１０ＭＨｚサブバンドとを備え、第１０のトーン割振りが、８個の５ＭＨｚサブバンドを備え、トーン割振りを選択すると、４０ＭＨｚ帯域幅を介した送信用のメッセージを供給することと、ここにおいて、各５ＭＨｚサブバンドが、５２個のデータトーンと、４個のパイロットトーンとを備え、各１０ＭＨｚサブバンドが、１０８個のデータトーンと、６個のパイロットトーンとを備え、各２０ＭＨｚサブバンドが、２３４個または２２８個のデータトーンのうちの１つと、８個のパイロットトーンとを備え、４０ＭＨｚバンドが、４６８個のデータトーンと、１６個のパイロットトーンと、１１個の直流トーンとを備え、を行わせるコードを備える非一時的コンピュータ可読媒体を提供する。
【００１８】
[0018]本開示の一態様は、実行されたとき、装置に、いくつかの８０ＭＨｚトーン割振りの中から選択ことと、ここにおいて、第１のトーン割振りが、１個の８０ＭＨｚバンドを備え、第２のトーン割振りが、２個の４０ＭＨｚサブバンドを備え、第３のトーン割振りが、２個の２０ＭＨｚサブバンドと、１個の４０ＭＨｚサブバンドとを備え、第４のトーン割振りが、４個の２０ＭＨｚサブバンドを備え、第５のトーン割振りが、２個の１０ＭＨｚサブバンドと、１個の２０ＭＨｚサブバンドと、１個の４０ＭＨｚサブバンドとを備え、第６のトーン割振りが、４個の１０ＭＨｚサブバンドと、１個の４０ＭＨｚサブバンドとを備え、第７のトーン割振りが、２個の５ＭＨｚサブバンドと、１個の１０ＭＨｚサブバンドと、１個の２０ＭＨｚサブバンドと、１個の４０ＭＨｚサブバンドとを備え、第８のトーン割振りが、２個の１０ＭＨｚサブバンドと、３個の２０ＭＨｚサブバンドとを備え、第９のトーン割振りが、２個の５ＭＨｚサブバンドと、３個の１０ＭＨｚサブバンドと、１個の４０ＭＨｚサブバンドとを備え、第１０のトーン割振りが、４個の５ＭＨｚサブバンドと、１個の２０ＭＨｚサブバンドと、１個の４０ＭＨｚサブバンドとを備え、第１１のトーン割振りが、４個の１０ＭＨｚサブバンドと、２個の２０ＭＨｚサブバンドとを備え、第１２のトーン割振りが、４個の５ＭＨｚサブバンドと、２個の１０ＭＨｚサブバンドと、１個の４０ＭＨｚサブバンドとを備え、第１３のトーン割振りが、６個の１０ＭＨｚサブバンドと、１個の２０ＭＨｚサブバンドとを備え、第１４のトーン割振りが、２個の５ＭＨｚサブバンドと、３個の１０ＭＨｚサブバンドと、２個の２０ＭＨｚサブバンドとを備え、第１５のトーン割振りが、４個の５ＭＨｚサブバンドと、３個の２０ＭＨｚサブバンドとを備え、第１６のトーン割振りが、８個の１０ＭＨｚサブバンドを備え、第１７のトーン割振りが、６個の５ＭＨｚサブバンドと、１個の１０ＭＨｚサブバンドと、１個の４０ＭＨｚサブバンドとを備え、第１８のトーン割振りが、４個の５ＭＨｚサブバンドと、２個の１０ＭＨｚサブバンドと、２個の２０ＭＨｚサブバンドとを備え、第１９のトーン割振りが、２個の５ＭＨｚサブバンドと、５個の１０ＭＨｚサブバンドと、１個の２０ＭＨｚサブバンドとを備え、第２０のトーン割振りが、８個の５ＭＨｚサブバンドと、１個の４０ＭＨｚサブバンドとを備え、第２１のトーン割振りが、４個の５ＭＨｚサブバンドと、４個の１０ＭＨｚサブバンドと、１個の２０ＭＨｚサブバンドとを備え、第２２のトーン割振りが、６個の５ＭＨｚサブバンドと、１個の１０ＭＨｚサブバンドと、２個の２０ＭＨｚサブバンドとを備え、第２３のトーン割振りが、２個の５ＭＨｚサブバンドと、７個の１０ＭＨｚサブバンドとを備え、第２４のトーン割振りが、８個の５ＭＨｚサブバンドと、２個の２０ＭＨｚサブバンドとを備え、第２５のトーン割振りが、６個の５ＭＨｚサブバンドと、３個の１０ＭＨｚサブバンドと、１個の２０ＭＨｚサブバンドとを備え、第２６のトーン割振りが、４個の５ＭＨｚサブバンドと、６個の１０ＭＨｚサブバンドとを備え、第２７のトーン割振りが、８個の５ＭＨｚサブバンドと、２個の１０ＭＨｚサブバンドと、１個の２０ＭＨｚサブバンドとを備え、第２８のトーン割振りが、６個の５ＭＨｚサブバンドと、５個の１０ＭＨｚサブバンドとを備え、第２９のトーン割振りが、１０個の５ＭＨｚサブバンドと、１個の１０ＭＨｚサブバンドと、１個の２０ＭＨｚサブバンドとを備え、第３０のトーン割振りが、８個の５ＭＨｚサブバンドと、４個の１０ＭＨｚサブバンドとを備え、第３１のトーン割振りが、１０個の５ＭＨｚサブバンドと、３個の１０ＭＨｚサブバンドとを備え、第３２のトーン割振りが、１２個の５ＭＨｚサブバンドと、１個の２０ＭＨｚサブバンドとを備え、第３３のトーン割振りが、１２個の５ＭＨｚサブバンドと、２個の１０ＭＨｚサブバンドとを備え、第３４のトーン割振りが、１４個の５ＭＨｚサブバンドと、１個の１０ＭＨｚサブバンドとを備え、第３５のトーン割振りが、１６個の５ＭＨｚサブバンドを備え、トーン割振りを選択すると、８０ＭＨｚ帯域幅を介した送信用のメッセージを供給することと、ここにおいて、各５ＭＨｚサブバンドが、５２個のデータトーンと、４個のパイロットトーンとを備え、各１０ＭＨｚサブバンドが、１０８個のデータトーンと、６個のパイロットトーンとを備え、各２０ＭＨｚサブバンドが、２３４個または２２８個のデータトーンのうちの１つと、８個のパイロットトーンとを備え、各４０ＭＨｚサブバンドが、４６８個のデータトーンと、１６個のパイロットトーンとを備え、８０ＭＨｚバンドが、９９０個のデータトーンと、１６個のパイロットトーンと、７個の直流トーンとを備え、を行わせるコードを備える非一時的コンピュータ可読媒体を提供する。
【００１９】
[0019]別の態様は、ワイヤレス通信を実行するように構成された別の装置を提供する。装置は、命令を記憶するメモリを含む。装置は、メモリに結合され、４８４トーン割振りユニットによるワイヤレス通信用のメッセージを生成するための命令を実行するように構成されたプロセッサをさらに含む。４８４トーン割振りユニットは、４６８個のデータトーンを含む。プロセッサは、低密度パリティチェック（ＬＤＰＣ）のために、１２としてのトーンマッピング距離（ＤＴＭ）を使用してメッセージのトーンをマッピングするようにさらに構成される。プロセッサは、送信用のメッセージを供給するようにさらに構成される。
【００２０】
[0020]別の態様は、ワイヤレス通信を実行するように構成された別の装置を提供する。装置は、命令を記憶するメモリを含む。装置は、メモリに結合され、４８４トーン割振りユニットによるワイヤレス通信用のメッセージを生成するための命令を実行するように構成されたプロセッサをさらに含む。４８４トーン割振りユニットは、４６８個のデータトーンを含む。プロセッサは、低密度パリティチェック（ＬＤＰＣ）のために、９としてのトーンマッピング距離（ＤＴＭ）を使用してメッセージのトーンをマッピングするようにさらに構成される。プロセッサは、送信用のメッセージを供給するようにさらに構成される。装置は、符号化データ（encoded data）をインターリーブすることと、インターリーブされた符号化データに基づいて、送信のためにインターリーブされた一連のビットを生成することと、を行うように構成されたインターリーバをさらに含む。インターリーバは、１つまたは複数の空間ストリームに対応する１つまたは複数のストリームインターリーバを含む。１つまたは複数のストリームインターリーバは、２６としてのインターリーバ深度と、４つまでの空間ストリームに対して５８としてのインターリーブされたローテーションインデックスとを含む。
【００２１】
[0021]別の態様は、ワイヤレス通信を実行するように構成された別の装置を提供する。装置は、命令を記憶するメモリを含む。装置は、メモリに結合され、４８４トーン割振りユニットによるワイヤレス通信用のメッセージを生成するための命令を実行するように構成されたプロセッサを含む。４８４トーン割振りユニットは、４６８個のデータトーンを含む。プロセッサは、低密度パリティチェック（ＬＤＰＣ）のために、１２としてのトーンマッピング距離（ＤＴＭ）を使用してメッセージのトーンをマッピングするようにさらに構成される。プロセッサは、送信用のメッセージを供給するようにさらに構成される。装置は、符号化データをインターリーブすることと、インターリーブされた符号化データに基づいて、送信のためにインターリーブされた一連のビットを生成することと、を行うように構成されたインターリーバをさらに含む。インターリーバは、１つまたは複数の空間ストリームに対応する１つまたは複数のストリームインターリーバを含む。１つまたは複数のストリームインターリーバは、３９としてのインターリーバ深度と、４つまでの空間ストリームに対して１１６としてのインターリーブされたローテーションインデックスと、４つを超える空間ストリームに対して５６としてのインターリーブされたローテーションインデックスとを含む。
【００２２】
[0022]別の態様は、ワイヤレス通信を実行するように構成された別の装置を提供する。装置は、命令を記憶するメモリを含む。装置は、メモリに結合され、２０ＭＨｚ帯域幅を介した送信用の、２３４個のデータトーンと、８個のパイロットトーンと、３個の直流トーンと、１１個のエッジトーンとを含む２５６トーンプランに関連する２４２トーンリソースユニット（ＲＵ）、または４０ＭＨｚ帯域幅を介した送信用の、４６８個のデータトーンと、１６個のパイロットトーンと、５個の直流トーンと、２３個のエッジトーンとを含む５１２トーンプランに関連する４８４トーンＲＵのうちの少なくとも１つを選択するための命令を実行するように構成された処理システムをさらに含む。処理システムは、２５６トーンプランまたは５１２トーンプランによる送信用のメッセージを供給するようにさらに構成される。
【００２３】
[0023]様々な実施形態では、処理システムは、２４２トーンＲＵを選択することと、２５６トーンプランによる送信用のメッセージを供給することと、を行うように構成され得る。処理システムは、バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかを行うように構成され得る。様々な実施形態では、処理システムは、４８４トーンＲＵを選択することと、５１２トーンプランによる送信用のメッセージを供給することと、低密度パリティチェック（ＬＤＰＣ）のために、１２としてのトーンマッピング距離（ＤＴＭ）を使用してメッセージのトーンをマッピングすることと、メッセージのバイナリ畳み込みコードインターリービングマップトーンを実行することを控えることと、を行うように構成され得る。
【００２４】
[0024]様々な実施形態では、処理システムは、４８４トーンＲＵに対して、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかを行うようにさらに構成され得る。様々な実施形態では、処理システムは、４８４トーンＲＵに対して、３９としてのインターリーバ深度と、４つまでの空間ストリームに対して１１６としてのインターリーブされたローテーションインデックスと、４つを超える空間ストリームに対して５６としてのインターリーブされたローテーションインデックスとを使用して、符号化データをインターリーブすること、または低密度パリティチェック（ＬＤＰＣ）のために、１２としてのトーンマッピング距離（ＤＴＭ）を使用してメッセージのトーンをマッピングすることのいずれかを行うようにさらに構成され得る。
【００２５】
[0025]様々な実施形態では、処理システムは、２４２個のトーン以下のＲＵサイズに対してバイナリ畳み込みコード（ＢＣＣ）インターリービングを実行するようにさらに構成され得、ここにおいて、ＢＣＣインターリービングは、すべてのＲＵサイズに対して４つ以下の空間ストリームを介した送信に限定され得る。様々な実施形態では、処理システムは、４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用してメッセージのトーンをマッピングするようにさらに構成され得る。
【００２６】
[0026]様々な実施形態では、装置は移動局であり得、処理システムは、移動局をサービスする（serving）アクセスポイントへ移動局の送信機およびアンテナを通してメッセージを送信するように構成されることによって、送信用のメッセージを供給するように構成され得る。様々な実施形態では、装置はアクセスポイントであり得、処理システムは、アクセスポイントによってサービスされる移動局へアクセスポイントの送信機およびアンテナを通してメッセージを送信するように構成されることによって、送信用のメッセージを供給するように構成され得る。
【００２７】
[0027]別の態様は、ワイヤレス通信のための別の方法を提供する。方法は、２０ＭＨｚ帯域幅を介した送信用の、２３４個のデータトーンと、８個のパイロットトーンと、３個の直流トーンと、１１個のエッジトーンとを含む２５６トーンプランに関連する２４２トーンリソースユニット（ＲＵ）、または４０ＭＨｚ帯域幅を介した送信用の、４６８個のデータトーンと、１６個のパイロットトーンと、５個の直流トーンと、２３個のエッジトーンとを含む５１２トーンプランに関連する４８４トーンＲＵのうちの少なくとも１つを選択することを含む。方法は、２５６トーンプランまたは５１２トーンプランによる送信用のメッセージを供給することをさらに含む。
【００２８】
[0028]様々な実施形態では、選択するステップは、２４２トーンＲＵを選択することを含むことができる。供給するステップは、２５６トーンプランによる送信用のメッセージを供給することを含むことができる。方法は、バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかをさらに含むことができる。様々な実施形態では、選択するステップは、４８４トーンＲＵを選択することを含むことができる。供給するステップは、５１２トーンプランによる送信用のメッセージを供給することを含むことができる。方法は、低密度パリティチェック（ＬＤＰＣ）のために、１２としてのトーンマッピング距離（ＤＴＭ）を使用してメッセージのトーンをマッピングすることと、メッセージのバイナリ畳み込みコードインターリービングマップトーンを実行することを控えることと、をさらに含むことができる。
【００２９】
[0029]様々な実施形態では、方法は、２４２トーンＲＵを選択することと、２５６トーンプランによる送信用のメッセージを供給することと、をさらに含むことができる。方法は、バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかをさらに含むことができる。様々な実施形態では、方法は、４８４トーンＲＵを選択することをさらに含むことができる。様々な実施形態では、方法は、５１２トーンプランによる送信用のメッセージを供給することをさらに含むことができる。様々な実施形態では、方法は、低密度パリティチェック（ＬＤＰＣ）のために、１２としてのトーンマッピング距離（ＤＴＭ）を使用してメッセージのトーンをマッピングすることをさらに含むことができる。様々な実施形態では、方法は、メッセージのバイナリ畳み込みコードインターリービングマップトーンを実行することを控えることをさらに含むことができる。
【００３０】
[0030]様々な実施形態では、方法は、４８４トーンＲＵに対して、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかをさらに含むことができる。様々な実施形態では、方法は、４８４トーンＲＵに対して、３９としてのインターリーバ深度と、４つまでの空間ストリームに対して１１６としてのインターリーブされたローテーションインデックスと、４つを超える空間ストリームに対して５６としてのインターリーブされたローテーションインデックスとを使用して、符号化データをインターリーブすること、または低密度パリティチェック（ＬＤＰＣ）のために、１２としてのトーンマッピング距離（ＤＴＭ）を使用してメッセージのトーンをマッピングすることのいずれかをさらに含むことができる。
【００３１】
[0031]様々な実施形態では、方法は、２４２個のトーン以下のＲＵサイズに対してバイナリ畳み込みコード（ＢＣＣ）インターリービングを実行することと、ＢＣＣインターリービングを、４つ以下の空間ストリームを介した送信に限定することと、をさらに含むことができる。様々な実施形態では、方法は、４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用してメッセージのトーンをマッピングすることをさらに含むことができる。
【００３２】
[0032]様々な実施形態では、方法は、移動局において実行され得、送信用のメッセージを供給することは、移動局をサービスするアクセスポイントへ移動局の送信機およびアンテナを通してメッセージを送信することを含む。様々な実施形態では、方法は、アクセスポイントにおいて実行され得、送信用のメッセージを供給することは、アクセスポイントによってサービスされる移動局へアクセスポイントの送信機およびアンテナを通してメッセージを送信することを含む。
【００３３】
[0033]別の態様は、ワイヤレス通信のための別の装置を提供する。装置は、２０ＭＨｚ帯域幅を介した送信用の、２３４個のデータトーンと、８個のパイロットトーンと、３個の直流トーンと、１１個のエッジトーンとを含む２５６トーンプランに関連する２４２トーンリソースユニット（ＲＵ）、または４０ＭＨｚ帯域幅を介した送信用の、４６８個のデータトーンと、１６個のパイロットトーンと、５個の直流トーンと、２３個のエッジトーンとを含む５１２トーンプランに関連する４８４トーンＲＵのうちの少なくとも１つを選択するための手段を含む。装置は、２５６トーンプランまたは５１２トーンプランによる送信用のメッセージを供給するための手段をさらに含む。
【００３４】
[0034]様々な実施形態では、選択するための手段は、２４２トーンＲＵを選択するための手段を含むことができる。供給するための手段は、２５６トーンプランによる送信用のメッセージを供給するための手段を含むことができる。装置は、バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかを行うための手段をさらに含むことができる。様々な実施形態では、選択するための手段は、４８４トーンＲＵを選択するための手段を含むことができる。供給するための手段は、５１２トーンプランによる送信用のメッセージを供給するための手段を含むことができる。装置は、低密度パリティチェック（ＬＤＰＣ）のために、１２としてのトーンマッピング距離（ＤＴＭ）を使用してメッセージのトーンをマッピングすることと、メッセージのバイナリ畳み込みコードインターリービングマップトーンを実行することを控えることと、を行うための手段をさらに含むことができる。
【００３５】
[0035]様々な実施形態では、装置は、４８４トーンＲＵに対して、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかを行うための手段をさらに含むことができる。様々な実施形態では、装置は、４８４トーンＲＵに対して、３９としてのインターリーバ深度と、４つまでの空間ストリームに対して１１６としてのインターリーブされたローテーションインデックスと、４つを超える空間ストリームに対して５６としてのインターリーブされたローテーションインデックスとを使用して、符号化データをインターリーブすること、または低密度パリティチェック（ＬＤＰＣ）のために、１２としてのトーンマッピング距離（ＤＴＭ）を使用してメッセージのトーンをマッピングすることのいずれかを行うための手段をさらに含むことができる。
【００３６】
[0036]様々な実施形態では、装置は、２４２個のトーン以下のＲＵサイズに対してバイナリ畳み込みコード（ＢＣＣ）インターリービングを実行するための手段をさらに含むことができ、ここにおいて、ＢＣＣインターリービングは、すべてのＲＵサイズに対して４つ以下の空間ストリームを介した送信に限定され得る。様々な実施形態では、装置は、４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用してメッセージのトーンをマッピングするための手段をさらに含むことができる。
【００３７】
[0037]様々な実施形態では、装置は移動局であり得、送信用のメッセージを供給するための手段は、移動局をサービスするアクセスポイントへ移動局の送信機およびアンテナを通してメッセージを送信するための手段を含む。様々な実施形態では、装置はアクセスポイントであり得、送信用のメッセージを供給するための手段は、アクセスポイントによってサービスされる移動局へアクセスポイントの送信機およびアンテナを通してメッセージを送信するための手段を含む。
【００３８】
[0038]別の態様は、別の非一時的コンピュータ可読媒体を提供する。媒体は、実行されたとき、装置に、２０ＭＨｚ帯域幅を介した送信用の、２３４個のデータトーンと、８個のパイロットトーンと、３個の直流トーンと、１１個のエッジトーンとを含む２５６トーンプランに関連する２４２トーンリソースユニット（ＲＵ）、または４０ＭＨｚ帯域幅を介した送信用の、４６８個のデータトーンと、１６個のパイロットトーンと、５個の直流トーンと、２３個のエッジトーンとを含む５１２トーンプランに関連する４８４トーンＲＵのうちの少なくとも１つを選択させるコードを含む。媒体は、実行されたとき、装置に、２５６トーンプランまたは５１２トーンプランによる送信用のメッセージを供給させるコードをさらに含む。
【００３９】
[0039]様々な実施形態では、媒体は、実行されたとき、装置に、２４２トーンＲＵに対して、バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかを行わせるコードをさらに含むことができる。様々な実施形態では、媒体は、実行されたとき、装置に、４８４トーンＲＵに対して、低密度パリティチェック（ＬＤＰＣ）のために、１２としてのトーンマッピング距離（ＤＴＭ）を使用してメッセージのトーンをマッピングすることと、メッセージのバイナリ畳み込みコードインターリービングマップトーンを実行することを控えることと、を行わせるコードをさらに含むことができる。
【００４０】
[0040]様々な実施形態では、媒体は、実行されたとき、装置に、２４２個のトーン以下のＲＵサイズに対してバイナリ畳み込みコード（ＢＣＣ）インターリービングを実行させるためのコードをさらに含むことができ、ここにおいて、ＢＣＣインターリービングは、すべてのＲＵサイズに対して４つ以下の空間ストリームを介した送信に限定される。様々な実施形態では、媒体は、実行されたとき、装置に、４０、８０、１６０、または８０＋８０ＭＨｚの単一ユーザ帯域幅のうちの少なくとも１つに対するサポートを宣言しているステーション、または４つを超える空間ストリームに対するサポートを宣言しているステーションへの送信のために、低密度パリティチェック（ＬＤＰＣ）を使用してメッセージのトーンをマッピングさせるコードをさらに含むことができる。
【００４１】
[0041]様々な実施形態では、装置は移動局であり得、送信用のメッセージを供給することは、移動局をサービスするアクセスポイントへ移動局の送信機およびアンテナを通してメッセージを送信することを含む。様々な実施形態では、装置はアクセスポイントであり得、送信用のメッセージを供給することは、アクセスポイントによってサービスされる移動局へアクセスポイントの送信機およびアンテナを通してメッセージを送信することを含むことができる。
【図面の簡単な説明】
【００４２】
【図１】[0042]本開示の態様が採用され得るワイヤレス通信システムの一例を示す図。
【図２】[0043]図１のワイヤレス通信システム内で採用され得るワイヤレスデバイスにおいて利用され得る様々なコンポーネントを示す図。
【図３】[0044]一実施形態による例示的な２Ｎトーンプランを示す図。
【図４】[0045]本開示の態様による、いくつかの異なる帯域幅に対して使用され得る一般的なトーンプランの図。
【図５】[0046]２０ＭＨｚ送信において使用され得るトーン割振りの例示的な図。
【図６】[0047]４０ＭＨｚ送信において使用され得るトーン割振りの例示的な図。
【図７】[0048]４０ＭＨｚ送信において使用され得る追加のトーン割振りの例示的な図。
【図８】[0049]８０ＭＨｚ送信において使用され得るトーン割振りの例示的な図。
【図９】[0050]８０ＭＨｚ送信において使用され得る追加のトーン割振りの例示的な図。
【図１０】[0051]８０ＭＨｚ送信において使用され得る追加のトーン割振りの例示的な図。
【図１１】[0052]８０ＭＨｚ送信において使用され得る追加のトーン割振りの例示的な図。
【図１２】[0053]８０ＭＨｚ送信において使用され得る追加のトーン割振りの例示的な図。
【図１３】[0054]８０ＭＨｚ送信において使用され得る追加のトーン割振りの例示的な図。
【図１４】[0055]様々な帯域幅における１ｘ送信および４ｘ送信のための、ＭＨｚ単位での高速フーリエ変換（ＦＦＴ）サイズの図。
【図１５】[0056]一実施形態による、直交周波数分割多元接続（ＯＦＤＭＡ）トーンプランのためのインターリービングパラメータを生成するように動作可能であるシステムを示す図。
【図１６】[0057]ワイヤレス通信を送信および受信するために、図１５のワイヤレスデバイスなどのワイヤレスデバイスにおいて実装され得る例示的な多入力多出力（ＭＩＭＯ）システムを示す図。
【図１７】[0058]図１のワイヤレス通信システム内で採用され得るワイヤレス通信の例示的な方法のフローチャート。
【図１８】[0059]図１のワイヤレス通信システム内で採用され得るワイヤレス通信の別の例示的な方法のフローチャート。
【図１９】[0060]図１のワイヤレス通信システム内で採用され得るワイヤレス通信のまた別の例示的な方法のフローチャート。
【図２０】[0061]様々な実施形態による、複数の割振り（ＲＵ）サイズおよび対応するデータトーンの数（ＮSD）に対するバイナリ畳み込みコード（ＢＣＣ）インターリービングおよび低密度パリティチェック（ＬＤＰＣ）トーンマッピング距離（ＤTM）の図。
【図２１】[0062]図１のワイヤレス通信システム内で採用され得るワイヤレス通信の別の例示的な方法のフローチャート。
【図２２】[0063]図１のワイヤレス通信システム内で採用され得るワイヤレス通信の別の例示的な方法のフローチャート。
【図２３】[0064]図１のワイヤレス通信システム内で採用され得るワイヤレス通信の別の例示的な方法のフローチャート。
【図２４】[0065]図１のワイヤレス通信システム内で採用され得るワイヤレス通信の別の例示的な方法のフローチャート。
【詳細な説明】
【００４３】
[0066]添付の図面を参照しながら、新規のシステム、装置、および方法の様々な態様が以下でより十分に説明される。しかしながら、教示開示は、多くの異なる形態で具現化され得るものであり、本開示全体にわたって提示される任意の特定の構造または機能に限定されるものと解釈されるべきではない。むしろ、これらの態様は、本開示が周到で完全になり、本開示の範囲を当業者に十分に伝えるように提供される。本明細書の教示に基づいて、本開示の範囲は、本発明の任意の他の態様とは無関係に実装されるにせよ、または本発明の任意の他の態様と組み合わせて実装されるにせよ、本明細書で開示される新規のシステム、装置、および方法のいかなる態様をも包含するものであることを、当業者なら諒解されたい。たとえば、本明細書に記載した任意の数の態様を使用して、装置が実装されてよく、または方法が実施されてよい。さらに、本発明の範囲は、本明細書に記載した本発明の様々な態様に加えて、またはそれら以外の、他の構造、機能、または構造および機能を使用して実施されるそのような装置または方法を包含するものとする。本明細書で開示されるいかなる態様も、請求項の１つまたは複数の要素によって具現化され得ることを理解されたい。
【００４４】
[0067]本明細書では特定の態様が説明されるが、これらの態様の多くの変形形態および置換が本開示の範囲内に入る。好適な態様のいくつかの利益および利点が言及されるが、本開示の範囲は、特定の利益、使用、または目的に限定されることは意図されない。むしろ、本開示の態様は、様々なワイヤレス技術、システム構成、ネットワーク、および伝送プロトコルに広く適用可能であるものとし、それらのうちのいくつかが、図において、および好適な態様の以下の説明において、例として示される。詳細な説明および図面は、限定的ではなく、本開示の例示にすぎず、本開示の範囲は、添付の特許請求の範囲およびその均等物によって定義される。
【００４５】
デバイスの実装
[0068]ワイヤレスネットワーク技術は、様々なタイプのワイヤレスローカルエリアネットワーク（ＷＬＡＮｓ）を含むことができる。ＷＬＡＮは、広く使用されているネットワーキングプロトコルを採用して、近くのデバイスを互いに相互接続するために使用され得る。本明細書で説明される様々な態様は、Ｗｉ−Ｆｉ（登録商標）、またはより一般的には、ワイヤレスプロトコルの米国電気電子技術者協会（ＩＥＥＥ）８０２．１１ファミリーの任意のメンバーなどの、任意の通信規格に適用され得る。
【００４６】
[0069]いくつかの態様では、ワイヤレス信号は、直交周波数分割多重（ＯＦＤＭ）、直接シーケンススペクトラム拡散（ＤＳＳＳ）通信、ＯＦＤＭとＤＳＳＳ通信との組合せ、または他の方式を使用して、高効率８０２．１１プロトコルに従って送信され得る。
【００４７】
[0070]いくつかの実装形態では、ＷＬＡＮは、ワイヤレスネットワークにアクセスするコンポーネントである様々なデバイスを含む。たとえば、２つのタイプのデバイス、すなわち、アクセスポイント（「ＡＰｓ」）および（ステーションまたは「ＳＴＡｓ」とも呼ばれる）クライアントがあり得る。一般に、ＡＰは、ＷＬＡＮのためのハブまたは基地局として働き、ＳＴＡは、ＷＬＡＮのユーザとして働く。たとえば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的な接続性を取得するために、Ｗｉ−Ｆｉ（たとえば、８０２．１１ａｘなどのＩＥＥＥ  ８０２．１１プロトコル）準拠ワイヤレスリンクを介してＡＰに接続する。いくつかの実装形態では、ＳＴＡはＡＰとしても使用され得る。
【００４８】
[0071]本明細書で説明される技法は、直交多重化方式に基づく通信システムを含む、様々なブロードバンドワイヤレス通信システムのために使用され得る。そのような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するために十分に異なる方向を利用することができる。ＴＤＭＡシステムは、送信信号を異なるタイムスロットに分割することによって、複数のユーザ端末が同じ周波数チャネルを共有することを可能にすることができ、各タイムスロットは異なるユーザ端末に割り当てられる。ＴＤＭＡシステムは、モバイル通信用グローバルシステム（ＧＳＭ（登録商標））または当技術分野で知られているいくつかの他の規格を実装することができる。ＯＦＤＭＡシステムは、システム帯域幅全体を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアは、データを用いて独立して変調され得る。ＯＦＤＭシステムは、ＩＥＥＥ  ８０２．１１または当技術分野で知られているいくつかの他の規格を実装することができる。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアの１つのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。概して、変調シンボルは、ＯＦＤＭでは周波数領域で、ＳＣ−ＦＤＭＡでは時間領域で送られる。ＳＣ−ＦＤＭＡシステムは、３ＧＰＰ（登録商標）−ＬＴＥ（登録商標）（第３世代パートナーシッププロジェクトロングタームエボリューション）または他の規格を実装することができる。
【００４９】
[0072]本明細書の教示は、様々なワイヤード装置またはワイヤレス装置（たとえば、ノード）に組み込まれ得る（たとえば、その装置内に実装され得るか、またはその装置によって実行され得る）。いくつかの態様では、本明細書の教示に従って実装されるワイヤレスノードは、アクセスポイントまたはアクセス端末を備えることができる。
【００５０】
[0073]アクセスポイント（「ＡＰ」）は、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、もしくはいくつかの他の用語を備えることができ、それらとして実装され得、またはそれらとして知られ得る。
【００５１】
[0074]ステーション（「ＳＴＡ」）はまた、ユーザ端末、アクセス端末（「ＡＴ」）、加入者局、加入者ユニット、移動局、リモート局、リモート端末、ユーザエージェント、ユーザデバイス、ユーザ機器、もしくはいくつかの他の用語を備えることができ、それらとして実装され得、またはそれらとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続されたいくつかの他の好適な処理デバイスを備えることができる。したがって、本明細書で教示される１つまたは複数の態様は、電話（たとえば、セルラーフォンまたはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはシステム、全地球測位システムデバイス、またはワイヤレス媒体を介して通信するように構成された任意の他の好適なデバイスに組み込まれ得る。
【００５２】
[0075]図１は、本開示の態様が採用され得るワイヤレス通信システム１００の一例を示す。ワイヤレス通信システム１００は、ワイヤレス規格、たとえば８０２．１１ａｘ規格に従って動作することができる。ワイヤレス通信システム１００は、ＳＴＡｓ  １０６Ａ〜１０６Ｄと通信するＡＰ  １０４を含むことができる。
【００５３】
[0076]様々なプロセスおよび方法が、ＡＰ  １０４とＳＴＡｓ  １０６Ａ〜１０６Ｄとの間の、ワイヤレス通信システム１００における送信のために使用され得る。たとえば、ＯＦＤＭ／ＯＦＤＭＡ技法に従って、ＡＰ  １０４とＳＴＡｓ  １０６Ａ〜１０６Ｄとの間で信号が送信および受信され得る。そうである場合、ワイヤレス通信システム１００は、ＯＦＤＭ／ＯＦＤＭＡシステムと呼ばれることがある。代替的に、符号分割多元接続（ＣＤＭＡ）技法に従って、ＡＰ  １０４とＳＴＡｓ  １０６Ａ〜１０６Ｄとの間で信号が送信および受信され得る。そうである場合、ワイヤレス通信システム１００は、ＣＤＭＡシステムと呼ばれることがある。
【００５４】
[0077]ＡＰ  １０４からＳＴＡｓ  １０６Ａ〜１０６Ｄのうちの１つまたは複数への送信を容易にする通信リンクは、ダウンリンク（ＤＬ）１０８と呼ばれることがあり、ＳＴＡｓ  １０６Ａ〜１０６Ｄのうちの１つまたは複数からＡＰ  １０４への送信を容易にする通信リンクは、アップリンク（ＵＬ）１１０と呼ばれることがある。代替的に、ダウンリンク１０８は、順方向リンクまたは順方向チャネルと呼ばれることがあり、アップリンク１１０は、逆方向リンクまたは逆方向チャネルと呼ばれることがある。
【００５５】
[0078]ＡＰ  １０４は、基本サービスエリア（ＢＳＡ）１０２においてワイヤレス通信カバレージを提供することができる。ＡＰ  １０４に関連付けられ、通信のためにＡＰ  １０４を使用するＳＴＡｓ  １０６Ａ〜１０６Ｄとともに、ＡＰ  １０４は、基本サービスセット（ＢＳＳ）と呼ばれることがある。ワイヤレス通信システム１００は、中央ＡＰ  １０４を有しないことがあり、むしろ、ＳＴＡｓ  １０６Ａ〜１０６Ｄ間のピアツーピアネットワークとして機能することができることに留意されたい。したがって、本明細書で説明されるＡＰ  １０４の機能は、代替的にＳＴＡｓ  １０６Ａ〜１０６Ｄのうちの１つまたは複数によって実行され得る。
【００５６】
[0079]図２は、ワイヤレス通信システム１００内で採用され得るワイヤレスデバイス２０２において利用され得る様々なコンポーネントを示す。ワイヤレスデバイス２０２は、本明細書で説明される様々な方法を実施するように構成され得るデバイスの一例である。たとえば、ワイヤレスデバイス２０２は、ＡＰ  １０４、またはＳＴＡｓ  １０６Ａ〜１０６Ｄのうちの１つを備えることができる。
【００５７】
[0080]ワイヤレスデバイス２０２は、ワイヤレスデバイス２０２の動作を制御するプロセッサ２０４を含むことができる。プロセッサ２０４は、中央処理ユニット（ＣＰＵ）と呼ばれることもある。メモリ２０６は、読取り専用メモリ（ＲＯＭ）とランダムアクセスメモリ（ＲＡＭ）の両方を含むことができ、プロセッサ２０４に命令とデータとを提供する。メモリ２０６の一部分はまた、不揮発性ランダムアクセスメモリ（ＮＶＲＡＭ）を含むことができる。プロセッサ２０４は、通常、メモリ２０６内に記憶されたプログラム命令に基づいて、論理演算と算術演算とを実行する。メモリ２０６の中の命令は、本明細書で説明される方法を実施するように実行可能であり得る。
【００５８】
[0081]プロセッサ２０４は、１つまたは複数のプロセッサを用いて実装された処理システムを備えることができ、またはそうした処理システムのコンポーネントであり得る。１つまたは複数のプロセッサは、汎用マイクロプロセッサ、マイクロコントローラ、デジタル信号プロセッサ（ＤＳＰｓ）、フィールドプログラマブルゲートアレイ（ＦＰＧＡｓ）、プログラマブル論理デバイス（ＰＬＤｓ）、コントローラ、ステートマシン、ゲート論理、個別ハードウェアコンポーネント、専用ハードウェア有限ステートマシン、または情報の計算または他の操作を実行できる任意の他の好適なエンティティの、任意の組合せを用いて実装され得る。
【００５９】
[0082]処理システムはまた、ソフトウェアを記憶するための機械可読媒体を含むことができる。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコードフォーマット、バイナリコードフォーマット、実行可能コードフォーマット、または任意の他の好適なコードのフォーマットでの）コードを含むことができる。命令は、１つまたは複数のプロセッサによって実行されたとき、処理システムに本明細書で説明される様々な機能を実行させる。
【００６０】
[0083]ワイヤレスデバイス２０２はまた、ワイヤレスデバイス２０２とリモートロケーションとの間のデータの送信および受信を可能にするために、送信機２１０と受信機２１２とを含むことができるハウジング２０８を含むことができる。送信機２１０および受信機２１２は、組み合わせられてトランシーバ２１４になり得る。アンテナ２１６は、ハウジング２０８に取り付けられ得、トランシーバ２１４に電気的に結合され得る。ワイヤレスデバイス２０２はまた、たとえば、ＭＩＭＯ通信中に利用され得る、複数の送信機、複数の受信機、複数のトランシーバ、および／または複数のアンテナを含むことができる（図示せず）。
【００６１】
[0084]ワイヤレスデバイス２０２はまた、トランシーバ２１４によって受信された信号のレベルを検出および定量化しようとして使用され得る信号検出器２１８を含むことができる。信号検出器２１８は、そのような信号を、総エネルギー、シンボルごとのサブキャリア当たりのエネルギー、電力スペクトル密度、および他の信号として検出することができる。ワイヤレスデバイス２０２はまた、信号を処理する際に使用するためのデジタル信号プロセッサ（ＤＳＰ）２２０を含むことができる。ＤＳＰ  ２２０は、送信のためのデータユニットを生成するように構成され得る。いくつかの態様では、データユニットは、物理レイヤデータユニット（ＰＰＤＵ）を備えることができる。いくつかの態様では、ＰＰＤＵはパケットと呼ばれる。
【００６２】
[0085]ワイヤレスデバイス２０２は、いくつかの態様では、ユーザインターフェース２２２をさらに備えることができる。ユーザインターフェース２２２は、キーパッド、マイクロフォン、スピーカー、および／またはディスプレイを備えることができる。ユーザインターフェース２２２は、ワイヤレスデバイス２０２のユーザに情報を伝達し、および／またはユーザからの入力を受け取る、任意の要素またはコンポーネントを含むことができる。
【００６３】
[0086]ワイヤレスデバイス２０２の様々な構成要素は、バスシステム２２６によって互いに結合され得る。バスシステム２２６は、データバスと、たとえば、さらにデータバスに加えて、電力バスと、制御信号バスと、ステータス信号バスとを含むことができる。ワイヤレスデバイス２０２のコンポーネントが、いくつかの他の機構を使用して、互いに結合され得るか、または互いに対する入力を受け入れ、もしくは提供し得ることを、当業者は諒解されよう。
【００６４】
[0087]いくつかの別個のコンポーネントが図２に示されるが、コンポーネントのうちの１つまたは複数が組み合わせられるかまたは共通に実装され得ることを、当業者なら認識されよう。たとえば、プロセッサ２０４は、プロセッサ２０４に関して上記で説明した機能を実施するためだけでなく、信号検出器２１８および／またはＤＳＰ  ２２０に関して上記で説明した機能を実施するためにも使用され得る。さらに、図２に示すコンポーネントの各々は、複数の別個の要素を使用して実装され得る。
【００６５】
[0088]上記で説明したように、ワイヤレスデバイス２０２は、ＡＰ  １０４またはＳＴＡ  １０６を備えることができ、通信を送信および／または受信するために使用され得る。ワイヤレスネットワークにおけるデバイス間で交換される通信は、パケットまたはフレームを備えることができるデータユニットを含むことができる。いくつかの態様では、データユニットは、データフレーム、制御フレーム、および／または管理フレームを含むことができる。データフレームは、ＡＰおよび／またはＳＴＡから他のＡＰｓおよび／またはＳＴＡｓへデータを送信するために使用され得る。制御フレームは、様々な動作を実行するために、およびデータを確実に配信するために（たとえば、データの受信を確認応答すること、ＡＰｓのポーリング、エリアクリアリング動作、チャネル取得、キャリア検知保守機能など）、データフレームとともに使用され得る。管理フレームは、様々な監視機能のため（たとえば、ワイヤレスネットワークに参加し、ワイヤレスネットワークから離脱するためなど）に使用され得る。
【００６６】
[0089]本開示のいくつかの態様は、ＡＰ  １０４が、効率を改善するように最適化された方法でＳＴＡｓ  １０６Ａ〜１０６Ｄの送信を割り振ることを可能にすることをサポートする。高効率ワイヤレス（ＨＥＷ）ステーション、すなわち、（８０２．１１ａｘなどの）８０２．１１高効率プロトコルを利用するステーションと、（８０２．１１ｂなどの）より古いまたはレガシーの８０２．１１プロトコルを使用するステーションの両方は、ワイヤレス媒体にアクセスする際に互いに競合または協調することができる。いくつかの実施形態では、本明細書で説明される高効率８０２．１１プロトコルは、ＨＥＷおよびレガシーのステーションが様々なＯＦＤＭＡトーンプラン（トーンマップと呼ばれることもある）に従って相互動作することを可能にすることができる。いくつかの実施形態では、ＨＥＷステーションは、ＯＦＤＭＡにおける多元接続技法を使用することなどによって、より効率的な方法でワイヤレス媒体にアクセスすることができる。したがって、集合住宅または人口密度の高い公共空間の場合、高効率８０２．１１プロトコルを使用するＡＰｓおよび／またはＳＴＡｓは、アクティブなワイヤレスデバイスの数が増加するときでも、低減されたレイテンシと増大されたネットワークスループットを経験することができ、それによってユーザ体験を改善することができる。
【００６７】
[0090]いくつかの実施形態では、ＡＰ  １０４は、ＨＥＷ  ＳＴＡｓのための様々なＤＬトーンプランに従って、ワイヤレス媒体上で送信することができる。たとえば、図１に関して、ＳＴＡｓ  １０６Ａ〜１０６Ｄは、ＨＥＷ  ＳＴＡｓであり得る。いくつかの実施形態では、ＨＥＷ  ＳＴＡｓは、レガシーのＳＴＡのシンボル持続時間の４倍のシンボル持続時間を使用して通信することができる。したがって、送信される各シンボルは、持続時間において４倍長くあり得る。より長いシンボル持続時間を使用するとき、個々のトーンの各々は、送信されるべき帯域幅の１／４しか必要となくてよい。たとえば、様々な実施形態では、１ｘシンボル持続時間は４ｍｓであり得、４ｘシンボル持続時間は１６ｍｓであり得る。ＡＰ  １０４は、通信帯域幅に基づいて、１つまたは複数のトーンプランに従ってＨＥＷ  ＳＴＡｓ  １０６Ａ〜１０６Ｄへメッセージを送信することができる。いくつかの態様では、ＡＰ  １０４は、ＯＦＤＭＡを使用して複数のＨＥＷ  ＳＴＡｓへ同時に送信するように構成され得る。
【００６８】
ＵＬ  ＯＦＤＭＡおよびＤＬ  ＯＦＤＭＡにおける調和されたトーン割振り
[0091]図３は、一実施形態による、例示的な２Ｎトーンプラン３００を示す。一実施形態では、トーンプラン３００は、２ＮポイントＦＦＴを使用して生成された、周波数領域におけるＯＦＤＭトーンに対応する。トーンプラン３００は、−Ｎ〜Ｎ−１にインデックス付けされた２Ｎ個のＯＦＤＭトーンを含む。トーンプラン３００は、ガードトーン３１０の２つのセットと、データ／パイロットトーン３２０の２つのセットと、直流（ＤＣ）トーン３３０の１つのセットとを含む。様々な実施形態では、ガードトーン３１０およびＤＣトーン３３０はヌル（null）であり得る。様々な実施形態では、トーンプラン３００は、別の好適な数のパイロットトーンを含む、および／または他の好適なトーンロケーションにおいてパイロットトーンを含む。
【００６９】
[0092]いくつかの態様では、ＯＦＤＭＡトーンプランは、様々なＩＥＥＥ  ８０２．１１プロトコルと比較して、４ｘシンボル持続時間を使用する送信に提供され得る。たとえば、４ｘシンボル持続時間は、それぞれ持続時間が１６ｍｓであるいくつかのシンボルを使用し得る。
【００７０】
[0093]いくつかの態様では、ＯＦＤＭＡサブバンドは、いくつかの異なるサイズの中に入り得る。たとえば、ＯＦＤＭＡサブバンドは、５、１０、２０、４０、または８０ＭＨｚとしての帯域幅を有し得る。いくつかの態様では、ＯＦＤＭＡトーンプランは、６４個のトーンを含み得る、５ＭＨｚとしての最小サブバンドサイズを使用し得る。いくつかの態様では、上記のサブバンドサイズを使用することは、デバイスが複数のサブバンドに割り振られることを可能にすることによって、（５ＭＨｚの増分で）５〜１６０ＭＨｚとしての帯域幅を介してデバイスが受信することを可能にし得る。概して、２０ＭＨｚのＦＦＴサイズは２５６個のトーンであり得、４０ＭＨｚのＦＦＴサイズは５１２個のトーンであり得、８０ＭＨｚのＦＦＴサイズは１０２４個のトーンであり得る。１６０ＭＨｚのＦＦＴは２つの８０ＭＨｚセグメントを含み得、したがって、１０２４個のトーンの２つのＦＦＴを含み得る。
【００７１】
[0094]いくつかの態様では、トーンプランは、できる限りアップリンクトーンプランとダウンリンクトーンプランとを調和させるように選ばれ得る。いくつかの態様では、トーンプランはまた、できる限り単一ユーザとＯＦＤＭＡ送信とを調和させるように選ばれ得る。概して、たとえば、サブバンド帯域幅が２０ＭＨｚ未満でないことがあることを除いて、ＭＵ−ＭＩＭＯ送信が、単一のユーザ、またはＯＦＤＭＡにおける１つのユーザと同じトーンプランを使用することが想定され得る。
【００７２】
[0095]いくつかの態様では、いくつかの異なる設計制約が、トーンプラン（リソース割振りプラン）を実施するときに使用され得る。たとえば、できる限り多くの既存のトーンプランを使用することは、実施において必要とされる変更を限定するために有益であり得る。さらに、各アップリンクＳＴＡからのＰＡ非線形性の影響（PA non-linearity impact）を低減するために、いくつかのガードトーンを割り当てること（budgeting）が有用であり得る。たとえば、いくつかの態様では、２つ以上のデバイスによって送信されるＵＬ  ＯＦＤＭＡパケットは、ユーザ間で２個のガードトーンを使用し得る。いくつかの態様では、同様に、ユーザ間で他の数のガードトーンを使用することが有益であり得る。
【００７３】
[0096]いくつかの態様では、８０２．１１ａｘパケットの中で使用されるパイロットトーンの数は、８０２．１１ａｃパケットの中で見つけられるそれらと類似であり得、ここにおいて、パイロットトーンの数は、固定パイロットトーンを使用するとき、ＦＦＴサイズを倍にするごとに２だけ増加する。しかしながら、トラベリングパイロットトーン（traveling pilot tones）を使用するとき、パイロットトーンが、より低密度なその２５６トーンＦＦＴ当たり８個のパイロットトーンであるべきでないように、より高密度のパイロットトーンが必要とされることがある。
【００７４】
[0097]いくつかの態様では、送信する際のいくつかのレベルの誤差に基づいて、好適なトーンプランを規定することが望ましくあり得る。たとえば、ＷｉＦｉ（登録商標）のいくつかの実装形態は、＋／−２０パーツパーミリオン（ｐｐｍ）または合計４０ｐｐｍ（許容範囲を合計して）としての送信中心周波数誤差を使用することがある。この周波数オフセットの場合、７個のＤＣトーンが必要とされ得る。より精密な送信機キャリア周波数オフセット（ＣＦＯ）要件（たとえば、１０ｐｐｍまたは２０ｐｐｍ）が満たされる場合、３個または５個のＤＣトーンなどの、より少数のＤＣトーンが使用され得る。いくつかの態様では、必要とされるＤＣトーンの数はまた、帯域幅とＦＦＴサイズとを増大させるとともに増加し得る。
【００７５】
[0098]いくつかの態様では、いくつかのガードトーンが帯域幅のエッジにおいて予約され得る。たとえば、１１個のガードトーンが予備品（reserves）であり得る（片側に６個、および反対側に５個として）。このことは、（１ｘトーン持続時間を有する）８０２．１１ａｃにおけるものと同じフィルタリングが、（４ｘトーン持続時間を伴う）８０２．１１ａｘにおいて使用され得ることを想定する。たとえば、４ｘトーン持続時間を使用するときのより細いトーン、およびより急速なロールオフに起因して、このことは事実であり得る。
【００７６】
[0099]いくつかの態様では、ダウンリンクリソースユニットとアップリンクリソースユニットとを調和させることが好ましく、それらは本明細書で、割振り、割振りユニット、および／またはトーン割振りユニット（ＴＡＵｓ）と呼ばれることもある。概して、このことは、非ＡＰ  ＳＴＡがソフトＡＰとして働くことができるとき、実装を最小限に抑え得る。たとえＵＬおよびＤＬ  ＯＦＤＭＡトーンプランニングに差があっても、この調和が行われ得る。たとえば、ＵＬ送信における各デバイスがそれ自体のパイロットを有し得ながら、ＤＬがユーザ位相トラッキングごとに対して共通パイロットを使用することができる。ＵＬ送信はまた、異なるユーザの送信の間にガードトーンを有することを好む場合があるが、これはＤＬにおいては問題でないことがある。さらに、ＤＬ送信は広帯域マスクに従い得、ＵＬ送信はＳＴＡごとのサブバンドマスクに従い得る。したがって、必要とされるガードトーンの数は変化し得る。
【００７７】
[00100]いくつかの態様では、動作モードと、必要とされる新たなトーンプランとを低減するために、２０ＭＨｚのＳＴＡは、５、１０、または２０ＭＨｚの割振りを使用し得、明示的な１５ＭＨｚ割振りを有しない。しかしながら、ＳＴＡが複数の割振りを許容され得るので、１つの５ＭＨｚ割振りと１つの１０ＭＨｚ割振りとを割り振られることによって、ＳＴＡが１５ＭＨｚの帯域幅を有する場合があることに留意されたい。そのような複数の割振りは、必要とされるトーンプランの数を最小限に抑えながら、ＳＴＡへのスループットを最大にし得る。同様に、４０ＭＨｚのＳＴＡは、５、１０、２０、または４０ＭＨｚの割振りを使用し得、明示的な１５、２５、３０、または３５ＭＨｚ割振りを有しない。さらに、８０ＭＨｚのＳＴＡは、５、１０、２０、４０、または８０ＭＨｚ割振りを使用し得、明示的な他の量の割振りを有しない。いくつかの態様では、それぞれ、２４個のデータトーン（３２ＦＦＴ）と１２個のデータトーン（１６ＦＦＴ）とを使用する、２．５ＭＨｚ割振りまたは１．２５ＭＨｚ割振りも可能であり得る。１６０ＭＨｚ帯域幅の場合、これは２つの８０ＭＨｚ帯域幅として扱われ得る。したがって、これらの割振りは、本明細書の表における８０ＭＨｚ割振りと別個に記載されることを必要としないことがある。さらに、いくつかの態様では、各２０ＭＨｚ帯域幅部分が個々に処理され得るように、ＯＦＤＭＡユーザは、物理的な２０ＭＨｚ帯域幅を越えて乗りかからないように（not to ride across physical 20 MHz bandwidths）構成され得る。すなわち、たとえば、４０ＭＨｚが１つの２０ＭＨｚ割振りおよび２つの１０ＭＨｚ割振りに分割される場合、第１の２０ＭＨｚと第２の２０ＭＨｚの両方が独立に処理され得るように、３つの割振りを１０／２０／１０ではなく１０／１０／２０または２０／１０／１０として順序付けることが望ましくあり得る（その一方で、１０／２０／１０分割では、物理的な２０ＭＨｚ帯域幅部分の両方にわたって２０ＭＨｚ割振りが送信されるので、このことが可能でないことがある）。
【００７８】
[00101]いくつかの態様では、いくつかのトーンは、ＯＦＤＭＡトーン割振りの後の残余であり得る。これらの残余トーンは、追加ＤＣトーン、追加パイロットトーン（トラッキングを改善する）、帯域幅のエッジにおける追加ガードトーン、およびアップリンクユーザ間の追加ガードトーンのために使用され得る。さらに、これらの追加トーンは、同様に、必要とされるとき、サブバンドＤＣトーンのために使用され得る。これらのトーンは、同様に、トラッキングとチャネル推定とを改善するために使用され得る。残余トーンはまた、確認応答（ＡＣＫ）もしくはグループＡＣＫメッセージ、サブバンドサウンディング、電力制御コマンド、変調およびコーディング方式（ＭＣＳ）アップ／ダウン制御コマンド、または他の情報などの、情報を搬送するために使用され得る。いくつかの態様では、そのような送信がより良好にレガシーデバイスと共存することを可能にするために、異なるユーザ間により多くのガードトーンを必要とし得るマルチキャリアベースの手法がシームレスに働き得る。
【００７９】
[00102]いくつかの態様では、パッキング効率は、ＯＦＤＭＡ送信のための異なる事例において異なり得る。たとえば、（ＦＦＴトーン数を単位とした）ＯＦＤＭＡ割振り帯域幅は、（ＦＦＴサイズを単位とした）異なる総帯域幅に基づいて変化し得る。たとえば、帯域幅の５ＭＨｚ部分は、その５ＭＨｚ部分が単一のユーザによって送信されている場合、または異なる総帯域幅を有するＯＦＤＭＡ送信の一部において送信されている場合、異なる数のデータトーンを搬送することができる場合がある。しかしながら、様々なタイプの送信を調和させるために、これらの各々が類似の数のデータトーンと他のトーンとを含むことが有益であり得る。パッキング効率に起因して、このことは、上記で説明したように、残余トーンをもたらし得る。
【００８０】
[00103]有用であるために、トーンプランはまた、いくつかのＢＣＣ（バイナリ畳み込みコード）インターリービング設計とＬＤＰＣ（低密度パリティチェック）トーンマッピング距離設計とを満足すること、ならびにいくつかの異なる可能なＭＣＳｓにとって有効であることを必要とし得る。概して、トーンプランを選ぶ際に、所望の帯域幅の各々に対して最小数のＤＣトーン、ガードトーン、およびパイロットトーンを伴う、データトーンの数（Ｎｄａｔａ）の上限を最初に取得することが有益であり得る。次に、それがいつＯＦＤＭＡ割振りであるか、またはそれが単一のユーザ（ＳＵ）用の全体的な帯域幅であるときの、サブバンド帯域幅ごとのデータトーンの数、すなわち、Ｎｄａｔａの上限を取得することが有益であり得る。
【００８１】
[00104]一般に、Ｎｄａｔａの約数（divisors）が、ＢＣＣインターリービング深度ＮCOLに対して使用され得る。次に、Ｎｄａｔａの約数はまた、既存のトーンプランにとってトーンの間の中にあるＬＤＰＣトーンマッピング距離ＤTMとして使用され得る。最後に、それが有益であり得ることは、ＭＣＳの除外される組合せの数およびデータストリームの数が比較的小さく保たれることである。概して、このトーンマッピングの後に残余トーンがある場合、それらは追加ＤＣトーン、追加ガードトーン、または追加パイロットトーンとして使用され得る。したがって、インターリーバパラメータおよびＬＤＰＣトーンマッピング距離は、これらのファクタを念頭に置いて選ばれ得る。
【００８２】
[00105]図４は、本開示の態様による、いくつかの異なる帯域幅に対して使用され得る一般的なトーンプランの図である。この図では、帯域幅モードは、送信の総帯域幅（＞＝２０ＭＨｚのとき）、またはサブバンド幅であり得る。いくつかの態様では、アステリスク（＊）を伴う行は、ＯＦＤＭＡにおけるトーン割振りのための以下の例で使用されるものである。たとえば、２０ＭＨｚ当たり最高４ユーザ、および８０ＭＨｚ当たり最高１６ユーザがあり得ることを想定する場合、これらの帯域幅は、各アップリンクユーザが少なくとも１個のパイロットトーンを有することを可能にし得る。概して、単一ユーザトーンプランは、マルチユーザトーンプランとそれほど大きく異なっていないことになる。さらに、アステリスクを伴う行は、ダウンリンクＳＴＡが、帯域幅の１／４だけをフィルタ処理および復号し、トラッキング目的のために依然として十分な数のパイロットトーンを有することを可能にし得る。たとえば、ＤＬ  ＳＴＡは、不必要な処理を低減するために、そのデバイスに向けられる帯域幅の２０ＭＨｚ部分を復号するだけであり得る。
【００８３】
[00106]この図におけるいくつかの行は、インターリーバパラメータまたはＬＤＰＣトーンマッピング距離のための複数の実施形態を含む。いくつかの態様では、パラメータ値に対して複数の異なる実施形態の間で選ぶとき、シミュレーションを実行することが有益であり得る。いくつかの態様では、類似の性能を得る、およびこれらの技法の実装を容易にするために、ハードウェアと互換性のある値にできる限り近いパラメータ値を選ぶことが有益であり得る。概して、Ｎｃｏｌ×ＬＤＰＣトーンマッピング距離が、しばしば、データトーンの数に等しいことが観測され得る。
【００８４】
[00107]この図では、５２個のデータトーンと、４個のパイロットトーンとを含む、５ＭＨｚ帯域幅モード、６４個のＦＦＴトーンが使用され得る。５ＭＨｚモードは単一の送信として含まれないので（すべての送信が２０ＭＨｚ以上である）、そのようなモードは、特定の数のＤＣトーンまたはガードトーンが明示的に割り当てられる必要がない。これは、インターリーバパラメータの１３としてのＮｃｏｌ、４つ以下の空間ストリームがあるときの１１としてのＮｒｏｔ、および４つを超える空間ストリームがあるときの６としてのＮｒｏｔを用いて、残余トーンがないこと、４としてのＬＤＰＣトーンマッピング距離をもたらし得る。
【００８５】
[00108]１０ＭＨｚ帯域幅モードでは、１０８個のデータトーンと、６個のパイロットトーンとを含む、１２８個のＦＦＴトーンが使用され得る。１０ＭＨｚモードは単一の送信として含まれないので（すべての送信が２０ＭＨｚ以上である）、そのようなモードは、特定の数のＤＣトーンまたはガードトーンが明示的に割り当てられる必要がない。これは、インターリーバパラメータの１８としてのＮｃｏｌ、４つ以下の空間ストリームがあるときの２９としてのＮｒｏｔ、および４つを超える空間ストリームがあるときの１３としてのＮｒｏｔを用いて、残余トーンがないこと、６としてのＬＤＰＣトーンマッピング距離をもたらし得る。
【００８６】
[00109]第１の２０ＭＨｚ帯域幅モードでは、２３４個のデータトーンと、８個のパイロットトーンとを含む、２５６個のＦＦＴトーンが使用され得る。この２０ＭＨｚモードは、３個のＤＣトーンと、エッジにおける１１個のガードトーン（片側に６個、反対側に５個）とを含み得る。これは、インターリーバパラメータの２６としてのＮｃｏｌ、４つ以下の空間ストリームがあるときの５８としてのＮｒｏｔ、および４つを超える空間ストリームがあるときの２８としてのＮｒｏｔを用いて、残余トーンがないこと、９としてのＬＤＰＣトーンマッピング距離をもたらし得る。
【００８７】
[00110]第２の２０ＭＨｚ帯域幅モードでは、２２８個のデータトーンと、８個のパイロットトーンとを含む、２５６個のＦＦＴトーンが使用され得る。この２０ＭＨｚモードは、７個のＤＣトーンと、エッジにおける１１個のガードトーン（片側に６個、反対側に５個）とを含み得る。前述のように、送信しているデバイスにおいて許されるキャリア周波数オフセットに基づいて、より多くのＤＣトーンを使用することが必要とされることがある。これは、インターリーバパラメータの１９または３８としてのＮｃｏｌ、４つ以下の空間ストリームがあるときの５８としてのＮｒｏｔ、および４つを超える空間ストリームがあるときの２８としてのＮｒｏｔを用いて、２個の残余トーン、１２または１９としてのＬＤＰＣトーンマッピング距離をもたらし得る。
【００８８】
[00111]４０ＭＨｚ帯域幅モードでは、４６８個のデータトーンと、１６個のパイロットトーンとを含む、５１２個のＦＦＴトーンが使用され得る。この４０ＭＨｚモードは、１１個のＤＣトーンと、エッジにおける１１個のガードトーン（片側に６個、反対側に５個）とを含み得る。これは、インターリーバパラメータの２６としてのＮｃｏｌ、４つ以下の空間ストリームがあるときの５８としてのＮｒｏｔ、および４つを超える空間ストリームがあるときの２８としてのＮｒｏｔを用いて、６個の残余トーン、９としてのＬＤＰＣトーンマッピング距離をもたらし得る。
【００８９】
[00112]第１の８０ＭＨｚ帯域幅モードでは、９９６個のデータトーンと、１２個のパイロットトーンとを含む、１０２４個のＦＦＴトーンが使用され得る。この８０ＭＨｚモードは、５個のＤＣトーンと、エッジにおける１１個のガードトーン（片側に６個、反対側に５個）とを含み得る。これは、インターリーバパラメータの８３としてのＮｃｏｌ、４つ以下の空間ストリームがあるときの２４８としてのＮｒｏｔ、および４つを超える空間ストリームがあるときの１２０としてのＮｒｏｔを用いて、残余トーンがないこと、１２としてのＬＤＰＣトーンマッピング距離をもたらし得る。
【００９０】
[00113]第２の８０ＭＨｚ帯域幅モードでは、９７２個のデータトーンと、３２個のパイロットトーンとを含む、１０２４個のＦＦＴトーンが使用され得る。この８０ＭＨｚモードは、５個のＤＣトーンと、エッジにおける１１個のガードトーン（片側に６個、反対側に５個）とを含み得る。これは、インターリーバパラメータの５４としてのＮｃｏｌ、４つ以下の空間ストリームがあるときの２４３としてのＮｒｏｔ、および４つを超える空間ストリームがあるときの１２０としてのＮｒｏｔを用いて、４個の残余トーン、１８または３６としてのＬＤＰＣトーンマッピング距離をもたらし得る。
【００９１】
[00114]第３の８０ＭＨｚ帯域幅モードでは、９９０個のデータトーンと、１６個のパイロットトーンとを含む、１０２４個のＦＦＴトーンが使用され得る。この８０ＭＨｚモードは、７個のＤＣトーンと、エッジにおける１１個のガードトーン（片側に６個、反対側に５個）とを含み得る。前述のように、送信しているデバイスにおいて許されるキャリア周波数オフセットに基づいて、より多くのＤＣトーンを使用することが必要とされることがある。これは、インターリーバパラメータの５５としてのＮｃｏｌ、４つ以下の空間ストリームがあるときの２４８としてのＮｒｏｔ、および４つを超える空間ストリームがあるときの１２０としてのＮｒｏｔを用いて、残余トーンがないこと、１８、３０、または３３としてのＬＤＰＣトーンマッピング距離をもたらし得る。
【００９２】
[00115]第４の８０ＭＨｚ帯域幅モードでは、９７２個のデータトーンと、３２個のパイロットトーンとを含む、１０２４個のＦＦＴトーンが使用され得る。この８０ＭＨｚモードは、７個のＤＣトーンと、エッジにおける１３個のガードトーンとを含み得る。前述のように、送信しているデバイスにおいて許されるキャリア周波数オフセットに基づいて、より多くのＤＣトーンを使用することが必要とされることがある。これは、インターリーバパラメータの５４としてのＮｃｏｌ、４つ以下の空間ストリームがあるときの２４３としてのＮｒｏｔ、および４つを超える空間ストリームがあるときの１２０としてのＮｒｏｔを用いて、残余トーンがないこと、１８または３６としてのＬＤＰＣトーンマッピング距離をもたらし得る。
【００９３】
[00116]図５は、２０ＭＨｚ送信において使用され得るトーン割振りの例示的な図である。概して、ここおよび大部分が後で記載されるトーン割振りの例は、ＵＬ  ＯＦＤＭＡに注目する（focus）。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替え（permutaions）も可能であることに留意されたい。ここおよび以下に記載される例は、広帯域ＤＣトーンに位置しているユーザがないように、各半帯域幅（each half-bandwidth）を自蔵させる（be self-contained）ように順序付けられる（たとえば、５／１０／５ではなく５／５／１０）。
【００９４】
[00117]単一の割振りを有する２０ＭＨｚトーンプランは、１つの２０ＭＨｚ割振りを含む。この割振りは、２３４個のデータトーンと、８個のパイロットトーンと、３個のＤＣトーンとを含み得る。前に述べたように、このことは例にすぎない  −  他の割振りも使用され得る。たとえば、大きいキャリア周波数オフセットに対応するために、７個のＤＣトーンが使用され得、その場合、この割振りは、２２８個のデータトーンと、８個のパイロットトーンと、７個のＤＣトーンとを含み得る。単一のユーザしかいないので、ユーザ間のガードトーンは必要とされない。この割振りは、エッジにおける１１個のガードトーン（片側に６個、反対側に５個）を有し得、いかなる残余トーンも有し得ない。
【００９５】
[00118]２つの割振りを有する２０ＭＨｚトーンプランは、２つの１０ＭＨｚ割振りを含み得る。これらの１０ＭＨｚ割振りの各々は、１０８個のデータトーンと、６個のパイロットトーンとを含み得る。いくつかの態様では、２つの割振りの間に７個または１１個のガードトーンがあり得る。これらのガードトーンは、割振りサイズ（１０／１０−半分に分割される）のために、送信におけるＤＣトーンである。いくつかの態様では、１１個のＤＣトーンが使用されるとき、この送信は、２つの物理的な１０ＭＨｚバンドと同等であり得、それぞれが、エッジにおける１１個のガードトーンを有する。このトーンプランは、エッジにおける１１個のガードトーンと、ＵＬユーザ間の何個のガードトーンが使用されるのかに応じて１０個または６個の残余トーンとを含む。
【００９６】
[00119]３つの割振りを有する２０ＭＨｚトーンプランは、１つの１０ＭＨｚ割振りと２つの５ＭＨｚ割振りとを含み得る。１０ＭＨｚ割振りは、１０８個のデータトーンと、６個のパイロットトーンとを含み得、各５ＭＨｚ割振りは、５２個のデータトーンと、４個のパイロットトーンとを含み得る。いくつかの態様では、割振りの間に３／３個または７／９個のガードトーンがあり得る。すなわち、２つの５ＭＨｚ割振りの間に３個または７個のガードトーン、および第２の５ＭＨｚ割振りと１０ＭＨｚ割振りとの間に３個または９個のガードトーンがあり得る。送信のエッジにおける１１個または９個のガードトーン、および１３個または５個の残余トーンがあり得る。
【００９７】
[00120]４つの割振りを有する２０ＭＨｚトーンプランは、４つの５ＭＨｚ割振りを含み得る。各５ＭＨｚ割振りは、５２個のデータトーンと、４個のパイロットトーンとを含み得る。いくつかの態様では、割振りの間に３／３／３個または７／７／７個のガードトーンがあり得、すなわち、割振りの各々の間に３個または７個のいずれかのガードトーンがあり得る。送信のエッジにおける１１個または７個のガードトーン、および１２個または４個の残余トーンがあり得る。
【００９８】
[00121]図６は、４０ＭＨｚ送信において使用され得るトーン割振りの例示的な図である。概して、ここに記載されるトーン割振りの例は、ＵＬ  ＯＦＤＭＡに注目する。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替えも可能であることに留意されたい。ここおよび以下に記載される例は、広帯域ＤＣトーンに位置しているユーザがないように、各半帯域幅を自蔵させるように順序付けられる（たとえば、５／１０／５ではなく５／５／１０）。
【００９９】
[00122]アップリンクユーザ間でのガードトーンの数に対して、２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１００】
[00123]単一の割振りのための４０ＭＨｚトーンプランは、４０ＭＨｚ割振りを含む。この割振りは、４６８個のデータトーンと、１６個のパイロットトーンと、１１個のデータトーンとを含み得る。このトーンプランは、エッジにおける１１個のガードトーンを含み、６個の残余トーンを有する。
【０１０１】
[00124]２つの割振りのための４０ＭＨｚトーンプランは、２つの２０ＭＨｚ割振りを含む。これらの割振りの各々は、２３４個のデータトーンと、８個のパイロットトーンとを含み得る。このトーンプランは、ＵＬユーザ間での７個または１１個のガードトーンと、エッジにおける１１個のガードトーンと、１０個または６個の残余トーンとを含み得る。いくつかの態様では、２２８個のデータトーンプランに関して上記で説明したように、他の数のデータトーンも使用され得る。
【０１０２】
[00125]３つの割振りのための４０ＭＨｚトーンプランは、２個の１０ＭＨｚサブバンドと、１個の２０ＭＨｚサブバンドとを含む。１０ＭＨｚサブバンドの各々は、１０８個のデータトーンと、６個のパイロットトーンとを含み、２０ＭＨｚサブバンドは、２３４個のデータトーンと、８個のパイロットトーンとを含む。このトーンプランは、ユーザ間での３／１１個または１１／１１個のガードトーンと、エッジにおける１１個のガードトーンと、１４個または６個の残余トーンとを含み得る。
【０１０３】
[00126]４つの割振りのための第１の４０ＭＨｚトーンプランは、４個の１０ＭＨｚサブバンドを含む。１０ＭＨｚサブバンドの各々は、１０８個のデータトーンと、６個のパイロットトーンとを含む。このトーンプランは、ユーザ間での３／１１／３個または１１／１１／１１個のガードトーンと、エッジにおける１１個のガードトーンと、２８個または１２個の残余トーンとを含み得る。
【０１０４】
[00127]４つの割振りのための第２の４０ＭＨｚトーンプランは、２個の５ＭＨｚサブバンドと、１個の１０ＭＨｚサブバンドと、１個の２０ＭＨｚサブバンドとを含む。５ＭＨｚサブバンドの各々は、５２個のデータトーンと、４個のパイロットトーンとを含み、１０ＭＨｚサブバンドは、１０８個のデータトーンと、６個のパイロットトーンとを含み、２０ＭＨｚサブバンドは、２３４個のデータトーンと、８個のパイロットトーンとを含む。このトーンプランは、ユーザ間での３／３／１１個または７／９／１１個のガードトーンと、エッジにおける１１個または９個のガードトーンと、１６個または８個の残余トーンとを含み得る。
【０１０５】
[00128]５つの割振りのための第１の４０ＭＨｚトーンプランは、４個の５ＭＨｚサブバンドと、１個の２０ＭＨｚサブバンドとを含む。５ＭＨｚサブバンドの各々は、５２個のデータトーンと、４個のパイロットトーンとを含み、２０ＭＨｚサブバンドは、２３４個のデータトーンと、８個のパイロットトーンとを含む。このトーンプランは、ユーザ間での３／３／３／１１個または７／７／７／９個のガードトーンと、エッジにおける１１個または９個のガードトーンと、１５個または７個の残余トーンとを含み得る。
【０１０６】
[00129]図７は、４０ＭＨｚ送信において使用され得る追加のトーン割振りの例示的な図である。概して、ここに記載されるトーン割振りの例は、ＵＬ  ＯＦＤＭＡに注目する。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替えも可能であることに留意されたい。ここおよび以下に記載される例は、広帯域ＤＣトーンに位置しているユーザがないように、各半帯域幅を自蔵させるように順序付けられる（たとえば、５／１０／５ではなく５／５／１０）。
【０１０７】
[00130]アップリンクユーザ間でのガードトーンの数に対して、２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１０８】
[00131]５つの割振りのための第２の４０ＭＨｚトーンプランは（第１は図６にある）、２個の５ＭＨｚサブバンドと、３個の１０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含む。このトーンプランは、ユーザ間での３／３／１１／３個または７／９／１１／１１個のガードトーンと、エッジにおける１１個または９個のガードトーンと、２７個または１１個の残余トーンとを含み得る。
【０１０９】
[00132]６つの割振りのための４０ＭＨｚトーンプランは、４個の５ＭＨｚサブバンドと、２個の１０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含む。このトーンプランは、ユーザ間での３／３／３／１１／３個または７／７／７／９／１１個のガードトーンと、エッジにおける１１個または９個のガードトーンと、２６個または１０個の残余トーンとを含み得る。
【０１１０】
[00133]７つの割振りのための４０ＭＨｚトーンプランは、６個の５ＭＨｚサブバンドと、１個の１０ＭＨｚサブバンドとを含む。５ＭＨｚサブバンドの各々は、５２個のデータトーンと、４個のパイロットトーンとを含み、１０ＭＨｚサブバンドは、１０８個のデータトーンと、６個のパイロットトーンとを含む。このトーンプランは、ユーザ間での３／３／３／１１／３／３個または７／７／７／７／７／９個のガードトーンと、エッジにおける１１個または９個のガードトーンと、２５個または９個の残余トーンとを含み得る。
【０１１１】
[00134]８つの割振りのための４０ＭＨｚトーンプランは、８個の５ＭＨｚサブバンドを含む。５ＭＨｚサブバンドの各々は、５２個のデータトーンと、４個のパイロットトーンとを含む。このトーンプランは、ユーザ間での３／３／３／１１／３／３／３個または７／７／７／７／７／７／７個のガードトーンと、エッジにおける１１個または７個のガードトーンと、２４個または８個の残余トーンとを含み得る。
【０１１２】
[00135]いくつかの態様では、割振りタイプごとに他の並べ替えも可能である。たとえば、ここで示す例は、広帯域ＤＣに位置しているユーザがなく、２つ以上のユーザがその半帯域幅にある場合に半帯域幅ＤＣがないように、各半帯域幅を自蔵させるように構成されている。さらに、可能な場合に５ＭＨｚユーザを帯域幅のエッジに割り振らないことによって、可能な場合、１１個のガードトーンがあることがエッジであることを確実にすることができる。
【０１１３】
[00136]上記に示したように、時には、１．２５ＭＨｚ（１２個のデータトーンを有する）または２．５ＭＨｚ（２４個のデータトーンを有する）の、追加の小さいパケットを収容するのに十分な残余トーンがあり得る。そのような小さいパケットを可能にすることに対して、利点と不都合の両方があり得る。たとえば、そのようなパケットは、確実にパッキング効率を改善し、より多くのデータが同じ帯域幅を介して送信されることを可能にする。いくつかの態様では、このことがＤＬ  ＯＦＤＭＡにとって可能な唯一の利益であり得るので、このことはＤＬ  ＯＦＤＭＡパケットにとって特に重要であり得る。しかしながら、小さいパケットは、ＯＦＤＭＡスケジュールをはるかに複雑にさせることがある。たとえば、そのような小さいパケットがいつ必要とされるのか、および小さいパケットを総帯域幅内でどこに配置するべきかを決定するために、スケジューリングが必要であることになる。さらに、そのような小さいパケットは、マルチキャリアベースのサブバンドごとの送信を無効にすることがあり、その場合、帯域幅の各２０ＭＨｚ（または、他のサイズ）部分が他の部分から独立して復号され得る。
【０１１４】
[00137]図８は、８０ＭＨｚ送信において使用され得るトーン割振りの例示的な図である。概して、ここに記載されるトーン割振りの例は、ＵＬ  ＯＦＤＭＡに注目する。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替えも可能であることに留意されたい。ここおよび以下に記載される例は、広帯域ＤＣトーンに位置しているユーザがないように、各半帯域幅を自蔵させるように順序付けられる（たとえば、５／１０／５ではなく５／５／１０）。
【０１１５】
[00138]アップリンクユーザ間でのガードトーンの数に対して、２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１１６】
[00139]１つの割振りのための８０ＭＨｚトーンプランは、１個の８０ＭＨｚサブバンドを含む。８０ＭＨｚサブバンドは、９９０個のデータトーンと、１６個のパイロットトーンと、７個のデータトーンとを含み得る。このトーンプランは、エッジにおける１１個のガードトーンを含み得、残余トーンを含まないことがある。いくつかの態様では、図４に示すように、他のトーンプランも使用され得る。
【０１１７】
[00140]２つの割振りのための８０ＭＨｚトーンプランは、２個の４０ＭＨｚサブバンドを含む。４０ＭＨｚサブバンドの各々は、４６８個のデータトーンと、１６個のパイロットトーンとを含む。このトーンプランは、ユーザ間での７個または１１個のガードトーンと、エッジにおける１１個のガードトーンと、３８個または３４個の残余トーンとを含み得る。
【０１１８】
[00141]３つの割振りのための８０ＭＨｚトーンプランは、２個の２０ＭＨｚサブバンドと、１個の４０ＭＨｚサブバンドとを含む。２０ＭＨｚサブバンドの各々は、２３４個のデータトーンと、８個のパイロットトーンとを含み、４０ＭＨｚサブバンドは、４６８個のデータトーンと、１６個のパイロットトーンとを含む。このトーンプランは、ユーザ間での１１／７個または１１／１１個のガードトーンと、エッジにおける１１個のガードトーンと、２７個または２３個の残余トーンとを含み得る。
【０１１９】
[00142]４つの割振りのための第１の８０ＭＨｚトーンプランは、４個の２０ＭＨｚサブバンドを含む。２０ＭＨｚサブバンドの各々は、２３４個のデータトーンと、８のパイロットトーンとを含む。このトーンプランは、ユーザ間での１１／７／１１個または１１／１１／１１個のガードトーンと、エッジにおける１１個のガードトーンと、１６個または１２個の残余トーンとを含み得る。
【０１２０】
[00143]４つの割振りのための第２の８０ＭＨｚトーンプランは、２個の１０ＭＨｚサブバンドと、１個の２０ＭＨｚサブバンドと、１個の４０ＭＨｚサブバンドとを含む。１０ＭＨｚサブバンドの各々は、１０８個のデータトーンと、６個のパイロットトーンとを含み、２０ＭＨｚサブバンドは、２３４個のデータトーンと、８個のパイロットトーンとを含み、４０ＭＨｚサブバンドは、４６８個のデータトーンと、１６個のパイロットトーンとを含む。このトーンプランは、ユーザ間での３／１１／７個または１１／１１／１１個のガードトーンと、エッジにおける１１個のガードトーンと、３８個または２６個の残余トーンとを含み得る。
【０１２１】
[00144]５つの割振りのための第１の８０ＭＨｚトーンプランは、４個の１０ＭＨｚサブバンドと、１個の４０ＭＨｚサブバンドとを含む。１０ＭＨｚサブバンドの各々は、１０８個のデータトーンと、６個のパイロットトーンとを含み、４０ＭＨｚサブバンドは、４６８個のデータトーンと、１６個のパイロットトーンとを含む。このトーンプランは、ユーザ間での３／１１／３／７個または１１／１１／１１／１１個のガードトーンと、エッジにおける１１個のガードトーンと、４９個または２９個の残余トーンとを含み得る。
【０１２２】
[00145]５つの割振りのための第２の８０ＭＨｚトーンプランは、２個の５ＭＨｚサブバンドと、１個の１０ＭＨｚサブバンドと、１個の２０ＭＨｚサブバンドと、１個の４０ＭＨｚサブバンドとを含む。５ＭＨｚサブバンドの各々は、５２個のデータトーンと、４個のパイロットトーンとを含み、１０ＭＨｚサブバンドは、１０８個のデータトーンと、６個のパイロットトーンとを含み、２０ＭＨｚサブバンドは、２３４個のデータトーンと、８個のパイロットトーンとを含み、４０ＭＨｚサブバンドは、４６８個のデータトーンと、１６個のパイロットトーンとを含む。このトーンプランは、ユーザ間での３／３／１１／７個または７／９／１１／１１個のガードトーンと、エッジにおける１１個または９個のガードトーンと、３７個または２５個の残余トーンとを含み得る。
【０１２３】
[00146]図９は、８０ＭＨｚ送信において使用され得る追加のトーン割振りの例示的な図である。概して、ここに記載されるトーン割振りの例は、ＵＬ  ＯＦＤＭＡに注目する。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替えも可能であることに留意されたい。ここおよび以下に記載される例は、広帯域ＤＣトーンに位置しているユーザがないように、各半帯域幅を自蔵させるように順序付けられる（たとえば、５／１０／５ではなく５／５／１０）。
【０１２４】
[00147]アップリンクユーザ間でのガードトーンの数に対して、２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１２５】
[00148]５つの割振りのための第３の８０ＭＨｚトーンプランは、２個の１０ＭＨｚサブバンドと、３個の２０ＭＨｚサブバンドとを含む。１０ＭＨｚサブバンドの各々は、１０８個のデータトーンと、６個のパイロットトーンとを含み、２０ＭＨｚサブバンドの各々は、２３４個のデータトーンと、８個のパイロットトーンとを含む。このトーンプランは、ユーザ間での３／１１／７／１１個または１１／１１／１１／１１個のガードトーンと、エッジにおける１１個のガードトーンと、２７個または１５個の残余トーンとを含み得る。
【０１２６】
[00149]６つの割振りのための第１の８０ＭＨｚトーンプランは、２個の５ＭＨｚサブバンドと、３個の１０ＭＨｚサブバンドと、１個の４０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含み、４０ＭＨｚサブバンドは、４６８個のデータトーンと、１６個のパイロットトーンとを含む。このトーンプランは、ユーザ間での３／３／１１／３／７個または７／９／１１／１１／１１個のガードトーンと、エッジにおける１１個または９個のガードトーンと、４８個または２８個の残余トーンとを含み得る。
【０１２７】
[00150]６つの割振りのための第２の８０ＭＨｚトーンプランは、４個の５ＭＨｚサブバンドと、１個の２０ＭＨｚサブバンドと、１個の４０ＭＨｚサブバンドとを含む。５ＭＨｚサブバンドの各々は、５２個のデータトーンと、４個のパイロットトーンとを含み、２０ＭＨｚサブバンドは、２３４個のデータトーンと、８個のパイロットトーンとを含み、４０ＭＨｚサブバンドは、４６８個のデータトーンと、１６個のパイロットトーンとを含む。このトーンプランは、ユーザ間での３／３／３／１１／７個または７／７／７／９／１１個のガードトーンと、エッジにおける１１個または９個のガードトーンと、３６個または２４個の残余トーンとを含み得る。
【０１２８】
[00151]６つの割振りのための第３の８０ＭＨｚトーンプランは、４個の１０ＭＨｚサブバンドと、２個の２０ＭＨｚサブバンドとを含む。１０ＭＨｚサブバンドの各々は、１０８個のデータトーンと、６個のパイロットトーンとを含み、２０ＭＨｚサブバンドの各々は、２３４個のデータトーンと、８個のパイロットトーンとを含む。このトーンプランは、ユーザ間での３／１１／３／７／１１個または１１／１１／１１／１１／１１個のガードトーンと、エッジにおける１１個のガードトーンと、３８個または１８個の残余トーンとを含み得る。
【０１２９】
[00152]７つの割振りのための第１の８０ＭＨｚトーンプランは、４個の５ＭＨｚサブバンドと、２個の１０ＭＨｚサブバンドと、１個の４０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含み、４０ＭＨｚサブバンドは、４６８個のデータトーンと、１６個のパイロットトーンとを含む。このトーンプランは、ユーザ間での３／３／３／１１／３／７個または７／７／７／９／１１／１１個のガードトーンと、エッジにおける１１個または９個のガードトーンと、４７個または２７個の残余トーンとを含み得る。
【０１３０】
[00153]７つの割振りのための第２の８０ＭＨｚトーンプランは、６個の１０ＭＨｚサブバンドと、１個の２０ＭＨｚサブバンドとを含む。１０ＭＨｚサブバンドの各々は、１０８個のデータトーンと、６個のパイロットトーンとを含み、２０ＭＨｚサブバンドは、２３４個のデータトーンと、８個のパイロットトーンとを含む。このトーンプランは、ユーザ間での３／１１／３／７／３／１１個または１１／１１／１１／１１／１１／１１個のガードトーンと、エッジにおける１１個のガードトーンと、４９個または２１個の残余トーンとを含み得る。
【０１３１】
[00154]図１０は、８０ＭＨｚ送信において使用され得る追加のトーン割振りの例示的な図である。概して、ここに記載されるトーン割振りの例は、ＵＬ  ＯＦＤＭＡに注目する。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替えも可能であることに留意されたい。ここおよび以下に記載される例は、広帯域ＤＣトーンに位置しているユーザがないように、各半帯域幅を自蔵させるように順序付けられる（たとえば、５／１０／５ではなく５／５／１０）。
【０１３２】
[00155]アップリンクユーザ間でのガードトーンの数に対して、２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１３３】
[00156]７つの割振りのための第３の８０ＭＨｚトーンプランは、２個の５ＭＨｚサブバンドと、３個の１０ＭＨｚサブバンドと、２個の２０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含み、２０ＭＨｚサブバンドの各々は、２３４個のデータトーンと、８個のパイロットトーンとを含む。このトーンプランは、ユーザ間での３／３／１１／３／７／１１個または７／９／１１／１１／１１／１１個のガードトーンと、エッジにおける１１個または９個のガードトーンと、３７個または１７個の残余トーンとを含み得る。
【０１３４】
[00157]７つの割振りのための第４の８０ＭＨｚトーンプランは、４個の５ＭＨｚサブバンドと、３個の２０ＭＨｚサブバンドとを含む。５ＭＨｚサブバンドの各々は、５２個のデータトーンと、４個のパイロットトーンとを含み、２０ＭＨｚサブバンドの各々は、２３４個のデータトーンと、８個のパイロットトーンとを含む。このトーンプランは、ユーザ間での３／３／３／１１／７／１１個または７／７／７／９／１１／１１個のガードトーンと、エッジにおける１１個または９個のガードトーンと、２５個または１３個の残余トーンとを含み得る。
【０１３５】
[00158]８つの割振りのための第１の８０ＭＨｚトーンプランは、８個の１０ＭＨｚサブバンドを含む。１０ＭＨｚサブバンドの各々は、１０８個のデータトーンと、６個のパイロットトーンとを含む。このトーンプランは、ユーザ間での３／１１／３／７／７／１１／３個または１１／１１／１１／１１／１１／１１／１１個のガードトーンと、エッジにおける１１個のガードトーンと、６０個または２４個の残余トーンとを含み得る。
【０１３６】
[00159]８つの割振りのための第２の８０ＭＨｚトーンプランは、６個の５ＭＨｚサブバンドと、１個の１０ＭＨｚサブバンドと、１個の４０ＭＨｚサブバンドとを含む。５ＭＨｚサブバンドの各々は、５２個のデータトーンと、４個のパイロットトーンとを含み、１０ＭＨｚサブバンドは、１０８個のデータトーンと、６個のパイロットトーンとを含み、４０ＭＨｚサブバンドは、４６８個のデータトーンと、１６個のパイロットトーンとを含む。このトーンプランは、ユーザ間での３／３／３／１１／３／３／７個または７／７／７／７／７／９／１１個のガードトーンと、エッジにおける１１個または９個のガードトーンと、４６個または２６個の残余トーンとを含み得る。
【０１３７】
[00160]８つの割振りのための第３の８０ＭＨｚトーンプランは、４個の５ＭＨｚサブバンドと、２個の１０ＭＨｚサブバンドと、２個の２０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含み、２０ＭＨｚサブバンドの各々は、２３４個のデータトーンと、８個のパイロットトーンとを含む。このトーンプランは、ユーザ間での３／３／３／１１／３／７／１１個または７／７／７／９／１１／１１／１１個のガードトーンと、エッジにおける１１個または９個のガードトーンと、３６個または１６個の残余トーンとを含み得る。
【０１３８】
[00161]図１１は、８０ＭＨｚ送信において使用され得る追加のトーン割振りの例示的な図である。概して、ここに記載されるトーン割振りの例は、ＵＬ  ＯＦＤＭＡに注目する。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替えも可能であることに留意されたい。ここおよび以下に記載される例は、広帯域ＤＣトーンに位置しているユーザがないように、各半帯域幅を自蔵させるように順序付けられる（たとえば、５／１０／５ではなく５／５／１０）。
【０１３９】
[00162]アップリンクユーザ間でのガードトーンの数に対して、２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１４０】
[00163]８つの割振りのための第４の８０ＭＨｚトーンプランは、２個の５ＭＨｚサブバンドと、５個の１０ＭＨｚサブバンドと、１個の２０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含み、２０ＭＨｚサブバンドは、２３４個のデータトーンと、８個のパイロットトーンとを含む。このトーンプランは、ユーザ間での３／３／１１／３／７／３／１１個または７／９／１１／１１／１１／１１／１１個のガードトーンと、エッジにおける１１個または９個のガードトーンと、４８個または１６個の残余トーンとを含み得る。
【０１４１】
[00164]９つの割振りのための第１の８０ＭＨｚトーンプランは、８個の５ＭＨｚサブバンドと、１個の４０ＭＨｚサブバンドとを含む。５ＭＨｚサブバンドの各々は、５２個のデータトーンと、４個のパイロットトーンとを含み、４０ＭＨｚサブバンドは、４６８個のデータトーンと、１６個のパイロットトーンとを含む。このトーンプランは、ユーザ間での３／３／３／１１／３／３／３／７個または７／７／７／７／７／７／７／９個のガードトーンと、エッジにおける１１個または９個のガードトーンと、４５個または２５個の残余トーンとを含み得る。
【０１４２】
[00165]９つの割振りのための第２の８０ＭＨｚトーンプランは、４個の５ＭＨｚサブバンドと、４個の１０ＭＨｚサブバンドと、１個の２０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含み、２０ＭＨｚサブバンドは、２３４個のデータトーンと、８個のパイロットトーンとを含む。このトーンプランは、ユーザ間での３／３／３／１１／３／７／３／１１個または７／７／７／９／１１／１１／１１／１１個のガードトーンと、エッジにおける１１個または９個のガードトーンと、４７個または１９個の残余トーンとを含み得る。
【０１４３】
[00166]９つの割振りのための第３の８０ＭＨｚトーンプランは、６個の５ＭＨｚサブバンドと、１個の１０ＭＨｚサブバンドと、２個の２０ＭＨｚサブバンドとを含む。５ＭＨｚサブバンドの各々は、５２個のデータトーンと、４個のパイロットトーンとを含み、１０ＭＨｚサブバンドは、１０８個のデータトーンと、６個のパイロットトーンとを含み、２０ＭＨｚサブバンドの各々は、２３４個のデータトーンと、８個のパイロットトーンとを含む。このトーンプランは、ユーザ間での３／３／３／１１／３／３／７／１１個または７／７／７／７／７／９／１１／１１個のガードトーンと、エッジにおける１１個または９個のガードトーンと、３５個または１５個の残余トーンとを含み得る。
【０１４４】
[00167]９つの割振りのための第４の８０ＭＨｚトーンプランは、２個の５ＭＨｚサブバンドと、７個の１０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含む。このトーンプランは、ユーザ間での３／３／１１／３／７／３／１１／３個または７／９／１１／１１／１１／１１／１１／１１個のガードトーンと、エッジにおける１１個または９個のガードトーンと、５９個または２３個の残余トーンとを含み得る。
【０１４５】
[00168]１０個の割振りのための第１の８０ＭＨｚトーンプランは、８個の５ＭＨｚサブバンドと、２個の２０ＭＨｚサブバンドとを含む。５ＭＨｚサブバンドの各々は、５２個のデータトーンと、４個のパイロットトーンとを含み、２０ＭＨｚサブバンドの各々は、２３４個のデータトーンと、８個のパイロットトーンとを含む。このトーンプランは、ユーザ間での３／３／３／１１／３／３／３／７／１１個または７／７／７／７／７／７／７／９／１１個のガードトーンと、エッジにおける１１個または９個のガードトーンと、３４個または１４個の残余トーンとを含み得る。
【０１４６】
[00169]図１２は、８０ＭＨｚ送信において使用され得る追加のトーン割振りの例示的な図である。概して、ここに記載されるトーン割振りの例は、ＵＬ  ＯＦＤＭＡに注目する。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替えも可能であることに留意されたい。ここおよび以下に記載される例は、広帯域ＤＣトーンに位置しているユーザがないように、各半帯域幅を自蔵させるように順序付けられる（たとえば、５／１０／５ではなく５／５／１０）。
【０１４７】
[00170]アップリンクユーザ間でのガードトーンの数に対して、２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１４８】
[00171]１０個の割振りのための第２の８０ＭＨｚトーンプランは、６個の５ＭＨｚサブバンドと、３個の１０ＭＨｚサブバンドと、１個の２０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含み、２０ＭＨｚサブバンドは、２３４個のデータトーンと、８個のパイロットトーンとを含む。このトーンプランは、ユーザ間での３／３／３／１１／３／３／７／３／１１個または７／７／７／７／７／９／１１／１１／１１個のガードトーンと、エッジにおける１１個または９個のガードトーンと、４６個または１８個の残余トーンとを含み得る。
【０１４９】
[00172]１０個の割振りのための第３の８０ＭＨｚトーンプランは、４個の５ＭＨｚサブバンドと、６個の１０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含む。このトーンプランは、ユーザ間での３／３／３／１１／３／７／３／１１／３個または７／７／７／９／１１／１１／１１／１１／１１個のガードトーンと、エッジにおける１１個または９個のガードトーンと、５８個または２２個の残余トーンとを含み得る。
【０１５０】
[00173]１１個の割振りのための第１の８０ＭＨｚトーンプランは、８個の５ＭＨｚサブバンドと、２個の１０ＭＨｚサブバンドと、１個の２０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含み、２０ＭＨｚサブバンドは、２３４個のデータトーンと、８個のパイロットトーンとを含む。このトーンプランは、ユーザ間での３／３／３／１１／３／３／３／７／３／１１個または７／７／７／７／７／７／７／９／１１／１１個のガードトーンと、エッジにおける１１個または９個のガードトーンと、４５個または１７個の残余トーンとを含み得る。
【０１５１】
[00174]１１個の割振りのための第２の８０ＭＨｚトーンプランは、６個の５ＭＨｚサブバンドと、５個の１０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含む。このトーンプランは、ユーザ間での３／３／３／１１／３／３／７／３／１１／３個または７／７／７／７／７／９／１１／１１／１１／１１個のガードトーンと、エッジにおける１１個または９個のガードトーンと、５７個または２１個の残余トーンとを含み得る。
【０１５２】
[00175]１２個の割振りのための第１の８０ＭＨｚトーンプランは、１０個の５ＭＨｚサブバンドと、１個の１０ＭＨｚサブバンドと、１個の２０ＭＨｚサブバンドとを含む。５ＭＨｚサブバンドの各々は、５２個のデータトーンと、４個のパイロットトーンとを含み、１０ＭＨｚサブバンドは、１０８個のデータトーンと、６個のパイロットトーンとを含み、２０ＭＨｚサブバンドは、２３４個のデータトーンと、８個のパイロットトーンとを含む。このトーンプランは、ユーザ間での３／３／３／１１／３／３／３／７／３／３／１１個または７／７／７／７／７／７／７／７／７／９／１１個のガードトーンと、エッジにおける１１個または９個のガードトーンと、４４個または１６個の残余トーンとを含み得る。
【０１５３】
[00176]１２個の割振りのための第２の８０ＭＨｚトーンプランは、８個の５ＭＨｚサブバンドと、４個の１０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含む。このトーンプランは、ユーザ間での３／３／３／１１／３／３／３／７／３／１１／３個または７／７／７／７／７／７／７／９／１１／１１／１１個のガードトーンと、エッジにおける１１個または９個のガードトーンと、５６個または２０個の残余トーンとを含み得る。
【０１５４】
[00177]図１３は、８０ＭＨｚ送信において使用され得る追加のトーン割振りの例示的な図である。概して、ここに記載されるトーン割振りの例は、ＵＬ  ＯＦＤＭＡに注目する。ダウンリンクに対して、簡単のためにＵＬと同じ割振りプランを使用することができ、またはトラベリングパイロットを伴うと、ＤＬユーザは、共通パイロットを使用する間のみ、データトーンを分割することによって割り振られ得る。そのようなＤＬ割振り方式は、上記で説明したようないくつかの方法で使用され得る、より多くの残余トーンを残すことになる。割振りタイプごとに他の並べ替えも可能であることに留意されたい。ここおよび以下に記載される例は、広帯域ＤＣトーンに位置しているユーザがないように、各半帯域幅を自蔵させるように順序付けられる（たとえば、５／１０／５ではなく５／５／１０）。
【０１５５】
[00178]アップリンクユーザ間でのガードトーンの数に対して、２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１５６】
[00179]１３個の割振りのための第１の８０ＭＨｚトーンプランは、１０個の５ＭＨｚサブバンドと、３個の１０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含む。このトーンプランは、ユーザ間での３／３／３／１１／３／３／３／７／３／３／１１／３個または７／７／７／７／７／７／７／７／７／９／１１／１１個のガードトーンと、エッジにおける１１個または９個のガードトーンと、５５個または１９個の残余トーンとを含み得る。
【０１５７】
[00180]１３個の割振りのための第２の８０ＭＨｚトーンプランは、１２個の５ＭＨｚサブバンドと、１個の２０ＭＨｚサブバンドとを含む。５ＭＨｚサブバンドの各々は、５２個のデータトーンと、４個のパイロットトーンとを含み、２０ＭＨｚサブバンドは、２３４個のデータトーンと、８個のパイロットトーンとを含む。このトーンプランは、ユーザ間での３／３／３／１１／３／３／３／７／３／３／３／１１個または７／７／７／７／７／７／７／７／７／７／７／９個のガードトーンと、エッジにおける１１個または９個のガードトーンと、４３個または１５個の残余トーンとを含み得る。
【０１５８】
[00181]１４個の割振りのための８０ＭＨｚトーンプランは、１２個の５ＭＨｚサブバンドと、２個の１０ＭＨｚサブバンドとを含む。５ＭＨｚサブバンドの各々は、５２個のデータトーンと、４個のパイロットトーンとを含み、１０ＭＨｚサブバンドの各々は、１０８個のデータトーンと、６個のパイロットトーンとを含む。このトーンプランは、ユーザ間での３／３／３／１１／３／３／３／７／３／３／３／１１／３個または７／７／７／７／７／７／７／７／７／７／７／９／１１個のガードトーンと、エッジにおける１１個または９個のガードトーンと、５４個または１８個の残余トーンとを含み得る。
【０１５９】
[00182]１５個の割振りのための８０ＭＨｚトーンプランは、１４個の５ＭＨｚサブバンドと、１個の１０ＭＨｚサブバンドとを含む。５ＭＨｚサブバンドの各々は、５２個のデータトーンと、４個のパイロットトーンとを含み、１０ＭＨｚサブバンドは、１０８個のデータトーンと、６個のパイロットトーンとを含む。このトーンプランは、ユーザ間での３／３／３／１１／３／３／３／７／３／３／３／１１／３／３個または７／７／７／７／７／７／７／７／７／７／７／７／７／９個のガードトーンと、エッジにおける１１個または９個のガードトーンと、５３個または１７個の残余トーンとを含み得る。
【０１６０】
[00183]１６個の割振りのための８０ＭＨｚトーンプランは、１６個の５ＭＨｚサブバンドを含む。５ＭＨｚサブバンドの各々は、５２個のデータトーンと、４個のパイロットとを含む。このトーンプランは、ユーザ間での３／３／３／１１／３／３／３／７／３／３／３／１１／３／３／３個または７／７／７／７／７／７／７／７／７／７／７／７／７／７／７個のガードトーンと、エッジにおける１１個または９個のガードトーンと、５２個または１４個の残余トーンとを含み得る。
【０１６１】
[00184]これらの８０ＭＨｚトーンプランの各々に対して、アップリンクユーザ間でのガードトーンの数について２つのオプションが記載される。第１のオプションは、全帯域の元来の数のＤＣトーンに従い、第２のセットは、サブＤＣトーンを有する各物理サブバンド上での送信を得る。各セットでの順序は、サブバンド割振りがＢＷサイズでの昇順であることが想定される。たとえば、降順などの他の順序も使用され得る。
【０１６２】
[00185]概して、ダウンリンクトーンプランニングおよびアップリンクトーンプランニングに対して、２つのオプション、すなわち、マルチキャリアトーン割振りおよび単一キャリアトーン割振りが利用可能である。マルチキャリアトーン割振りでは、各ユーザのサブバンドは、総帯域幅における物理サブバンドである。言い換えれば、ユーザは、それのトーンプランではなく、総帯域幅を分割する。たとえば、２０ＭＨｚを有する４つのユーザは各々、合計８０ＭＨｚを介して送信し得る。各ユーザは、５２個のデータトーン（１ｘシンボル持続時間において）および４個のデータトーンを有する物理的な２０ＭＨｚサブバンドを占有し得、そのため、合計で、２０８個のデータトーン＋１６個のパイロットトーンが合計８０ＭＨｚにおいて使用され、それは、１ｘ８０ＭＨｚ送信のために使用される２３４個のデータトーンおよび８個のパイロットトーンよりも少ない。単一キャリアトーン割振りでは、送信の総帯域幅に対するトーンプラン（ＤＬのためのデータトーンの数、およびＵＬのためのデータ＋パイロットトーンの数）は、ユーザによって分割される。たとえば、上記の同じ４つのユーザを伴うと、ユーザは、２３４個のデータトーンをそれらの間で分割し得る。同様に、３つのユーザを有し５／１０／５分割を伴う１ｘにおける２０ＭＨｚ送信の場合、５２個のデータトーンは、１３／２６／１３個のデータトーンを生み出すように分割され得る。
【０１６３】
[00186]マルチキャリアトーン割振りは、トーン定義の変更を用いてレガシー送信と混合しやすいという利点を有し得る。さらに、ＤＬおよびＵＬは、同じトーンプランを共有し得、ＤＬは、それらのパイロットトラッキングのために、依然として広帯域の共通パイロットを使用し得る。さらに、このシステムは、トーンプランニングにおけるより小さい複雑さを可能にし得る。しかしながら、そのような手法の１つの不都合は、それが、（サブバンドガードトーンである）ユーザ間でのトーンからなるいくつかの中間トーンと、サブバンドＤＣトーンと、サブバンドパイロットトーンとを浪費する場合があることである。既存のトーンプランに加えて、このことはまた、上記に記載したものなどの新たなトーン割振りの設計を必要とする場合がある。図１４は、様々な帯域幅における１ｘ送信および４ｘ送信のための、ＭＨｚ単位でのＦＦＴサイズの図である。概して、上記のトーンプランは、マルチキャリアトーン割振りを使用し得る。
【０１６４】
[00187]単一キャリアトーン割振りは、一方、ユーザ間でのトーンが、ユーザによって分割される使用可能なトーンとして上記で説明するような、中間トーン（mid-tones）を節約し得る。しかしながら、レガシーデバイスと比較して、互換性のあるＯＦＤＭＡユーザグループが、それらのデバイスによって使用される追加トーンを使用することを可能にするために、そのようなトーン割振りは、レガシー送信と混合されるときにトーンインデックスの再定義を必要とする場合がある。さらに、ＤＬおよびＵＬは、共通パイロット／ユーザごとのパイロット、およびユーザ間でのガードトーンに起因して、異なるトーンプランを必要とする場合がある。概して、ＤＬは、ユーザごとの位相トラッキングのために共通パイロットを使用し得、そのため、広帯域パイロット構造が、有用なトーンが複数のユーザの間で分割されるときのように保たれ得る。さらに、異なるユーザへのパケットがＡＰにおいて同期しており、したがって、ユーザのサブバンド間の直交性がＯＦＤＭ動作によって保たれているので、ＤＬ  ＯＦＤＭＡにとってユーザ間でのガードトーンは必要とされない。ＤＬ送信は、十分に広帯域マスクに従い、ＵＬ送信は、ＳＴＡごとのサブバンドマスクに従うべきである。対象とされない受信機の場合、それらは、同時のＵＬ送信に起因して、サブバンド信号ではなく広帯域信号を見ることになる。サブバンドマスクが広帯域マスクよりも狭い（tighter）ので、組み合わせられた信号は広帯域マスクに従い得る。広帯域ＩＦＦＴ／ＦＦＴに起因して、ＤＬとＵＬの両方にとってサブバンドＤＣが必要とされないことに留意されたい。
【０１６５】
[00188]図１５は、一実施形態による、直交周波数分割多元接続（ＯＦＤＭＡ）トーンプランのためのインターリービングパラメータを生成するように動作可能であるシステム１０００を示す。システム１０００は、ワイヤレスネットワーク１０５０を介して複数の他のデバイス（たとえば、宛先デバイス）１０２０、１０３０、および１０４０とワイヤレスに通信するように構成された、第１のデバイス（たとえば、ソースデバイス）１０１０を含む。代替実施形態では、異なる数のソースデバイス宛先デバイスがシステム１０００の中に存在することができる。様々な実施形態では、ソースデバイス１０１０は、ＡＰ  １０４（図１）を含むことができ、他のデバイス１０２０、１０３０、および１０４０は、ＳＴＡｓ  １０６Ａ〜１０６Ｄ（図１）を含むことができる。システム１０００は、システム１００（図１）を含むことができる。様々な実施形態では、デバイス１０１０、１０２０、１０３０、および１０４０のいずれも、ワイヤレスデバイス２０２（図２）を含むことができる。
【０１６６】
[00189]特定の実施形態では、ワイヤレスネットワーク１０５０は、ＩＥＥＥ  ８０２．１１ワイヤレスネットワーク（たとえば、Ｗｉ−Ｆｉネットワーク）である。たとえば、ワイヤレスネットワーク６１０５０は、ＩＥＥＥ  ８０２．１１規格に従って動作することができる。特定の実施形態では、ワイヤレスネットワーク１０５０は、多元接続通信をサポートする。たとえば、ワイヤレスネットワーク１０５０は、宛先デバイス１０２０、１０３０、および１０４０の各々への単一のパケット１０６０の通信をサポートすることができ、ここで、単一のパケット１０６０は、宛先デバイスの各々に向けられる個々のデータ部分を含む。一例では、本明細書でさらに説明されるように、パケット１０６０はＯＦＤＭＡパケットであり得る。
【０１６７】
[00190]ソースデバイス１０１０は、（１つまたは複数の）多元接続パケットを生成し、それを複数の宛先デバイスへ送信するように構成されたアクセスポイント（ＡＰ）または他のデバイスであり得る。特定の実施形態では、ソースデバイス１０１０は、プロセッサ１０１１（たとえば、中央処理ユニット（ＣＰＵ）、デジタル信号プロセッサ（ＤＳＰ）、ネットワーク処理ユニット（ＮＰＵ）など）と、メモリ１０１２（たとえば、ランダムアクセスメモリ（ＲＡＭ）、読取り専用メモリ（ＲＯＭ）など）と、ワイヤレスネットワーク１０５０を介してデータを送信および受信するように構成されたワイヤレスインターフェース１０１５とを含む。メモリ１０１２は、図１５のインターリービングシステム１１１４に関して説明される技法に従って、データをインターリーブするためにインターリービングシステム１０１４によって使用されるバイナリ畳み込みコード（ＢＣＣ）インターリービングパラメータ１０１３を記憶することができる。
【０１６８】
[00191]本明細書で使用する「トーン」は、データがその中で通信され得る周波数または周波数のセット（たとえば、周波数範囲）を表すことができる。トーンは、代替的にサブキャリアと呼ばれることがある。したがって、「トーン」は、周波数領域ユニットであり得、パケットは複数のトーンにわたることができる。トーンとは対照的に、「シンボル」は時間領域ユニットであり得、パケットは複数のシンボルにわたる（たとえば、それらを含む）ことができ、各シンボルは特定の持続時間を有する。したがって、ワイヤレスパケットは、周波数範囲（たとえば、トーン）と時間期間（たとえば、シンボル）とにわたる２次元構造として視覚化され得る。
【０１６９】
[00192]一例として、ワイヤレスデバイスは、８０メガヘルツ（ＭＨｚ）ワイヤレスチャネル（たとえば、８０ＭＨｚ帯域幅を有するチャネル）を介してパケットを受信することができる。ワイヤレスデバイスは、パケットの中の５１２個のトーンを決定するために、５１２ポイントＦＦＴを実行することができる。トーンのサブセットが「使用可能」と考えられ得、残りのトーンは「使用不可能」（たとえば、ガードトーン、直流（ＤＣ）トーンなどであり得る）と考えられ得る。例示のために、４７４個のデータトーンと、２２個のパイロットトーンとを含む、５１２個のトーンのうちの４９６個が使用可能であり得る。別の例として、４７６個のデータトーンおよび２０個のパイロットトーンがあり得る。上述のチャネル帯域幅、変換、およびトーンプランは単に例であることに留意されたい。代替実施形態では、異なるチャネル帯域幅（たとえば、５ＭＨｚ、６ＭＨｚ、６．５ＭＨｚ、４０ＭＨｚ、８０ＭＨｚなど）、異なる変換（たとえば、２５６ポイントＦＦＴ、１０２４ポイントＦＦＴなど）、および／または異なるトーンプランが使用され得る。
【０１７０】
[00193]特定の実施形態では、パケットは、１つまたは複数の空間ストリームを介して送信される様々なブロックサイズ（たとえば、サブバンドごとに様々なデータトーン数）を含むことができる。たとえば、パケットは、サブバンド当たり１２個のデータトーン、サブバンド当たり３６個のデータトーン、サブバンド当たり７２個のデータトーン、サブバンド当たり１２０個のデータトーン、サブバンド当たり１５６個のデータトーン、またはサブバンド当たり３１２個のデータトーンを含むことができる。インターリーブ深度、インターリーブローテーションインデックス、およびベースサブキャリアローテーションの組合せが、ブロックサイズごとに提供され得る。
【０１７１】
[00194]特定の実施形態では、パケット１０６０のどのデータトーンが個々の宛先デバイスに割り当てられるのかを決定するために、インターリービングパラメータ１０１３が多元接続パケット１０６０の生成中にインターリービングシステム１０１４によって使用され得る。たとえば、パケット１０６０は、各個々の宛先デバイス１０２０、１０３０、および１０４０に割り振られたトーンの別個のセットを含むことができる。例示のために、パケット１０６０は、インターリーブされたトーン割振りを利用することができる。
【０１７２】
[00195]宛先デバイス１０２０、１０３０、および１０４０はそれぞれ、プロセッサ（たとえば、プロセッサ１０２１）と、メモリ（たとえば、メモリ１０２２）と、ワイヤレスインターフェース（たとえば、ワイヤレスインターフェース１０２５）とを含むことができる。宛先デバイス１０２０、１０３０、および１０４０はまた、それぞれ、図１５のＭＩＭＯ検出器１１１８に関して説明されるように、パケット（たとえば、単一接続パケットまたは多元接続パケット）をデインターリーブするように構成されたデインターリービングシステム１０２４を含むことができる。一例では、メモリ１０２２は、インターリービングパラメータ１０１３と同等のインターリービングパラメータ１０２３を記憶することができる。
【０１７３】
[00196]動作中、ソースデバイス１０１０は、パケット１０６０を生成することができ、それをワイヤレスネットワーク１０５０を介して宛先デバイス１０２０、１０３０、および１０４０の各々へ送信することができる。パケット１０６０は、インターリーブされたパターンに従って各個々の宛先デバイスに割り振られたデータトーンの別個のセットを含むことができる。
【０１７４】
[00197]システム１０００は、したがって、ＩＥＥＥ  ８０２．１１ワイヤレスネットワークを介して通信するために、ソースデバイスおよび宛先デバイスによって使用するためのＯＦＤＭＡデータトーンインターリービングパラメータを提供することができる。たとえば、インターリービングパラメータ１０１３、１０２３（またはそれの部分）は、図示のように、ソースデバイスおよび宛先デバイスのメモリに記憶され得る、ワイヤレス規格（たとえば、ＩＥＥＥ  ８０２．１１規格）によって規格化され得る、などである。本明細書で説明される様々なデータトーンプランが、ダウンリンク（ＤＬ）ＯＦＤＭＡ通信ならびにアップリンク（ＵＬ）ＯＦＤＭＡ通信の両方にとって適用可能であり得ることに留意されたい。
【０１７５】
[00198]たとえば、ソースデバイス１０１０（たとえば、アクセスポイント）は、ワイヤレスネットワーク１０５０を介して（１つまたは複数の）信号を受信することができる。（１つまたは複数の）信号は、アップリンクパケットに対応することができる。パケットにおいて、トーンの別個のセットは、宛先デバイス（たとえば、移動局）１０２０、１０３０、および１０４０の各々に割り振られ得、そうした宛先デバイスによって送信されたアップリンクデータを搬送することができる。
【０１７６】
[00199]図１６は、ワイヤレス通信を送信および受信するために、図１５のワイヤレスデバイスなどのワイヤレスデバイスにおいて実装され得る例示的な多入力多出力（ＭＩＭＯ）システム１１００を示す。システム１１００は、図１５の第１のデバイス１０１０と図１５の宛先デバイス１０２０とを含む。
【０１７７】
[00200]第１のデバイス１０１０は、エンコーダ１１０４と、インターリービングシステム１０１４と、複数の変調器１１０２ａ〜１１０２ｃと、複数の送信（ＴＸ）回路１１１０ａ〜１１１０ｃと、複数のアンテナ１１１２ａ〜１１１２ｃとを含む。宛先デバイス１０２０は、複数のアンテナ１１１４ａ〜１１１４ｃと、複数の受信（ＲＸ）回路１１１６ａ〜１１１６ｃと、ＭＩＭＯ検出器１１１８と、デコーダ１１２０とを含む。
【０１７８】
[00201]ビットシーケンスが、エンコーダ１１０４に提供され得る。エンコーダ１１０４は、ビットシーケンスを符号化するように構成され得る。たとえば、エンコーダ１１０４は、ビットシーケンスに前方誤り訂正（ＦＥＣ）コードを適用するように構成され得る。ＦＥＣコードは、ブロックコード、畳み込みコード（たとえば、バイナリ畳み込みコード）などであり得る。符号化ビットシーケンスが、インターリービングシステム１０１４に提供され得る。
【０１７９】
[00202]インターリービングシステム１０１４は、ストリームパーサ（stream parser）１１０６と、複数の空間ストリームインターリーバ１１０８ａ〜１１０８ｃとを含むことができる。ストリームパーサ１１０６は、エンコーダ１１０４から複数の空間ストリームインターリーバ１１０８ａ〜１１０８ｃへの符号化ビットストリームをパースするように構成され得る。
【０１８０】
[00203]各インターリーバ１１０８ａ〜１１０８ｃは、周波数インターリービングを実行するように構成され得る。たとえば、ストリームパーサ１１０６は、各空間ストリームについてシンボルごとにコード化ビットのブロックを出力することができる。各ブロックは、行に書き込むおよび列を読み出す、対応するインターリーバ１１０８ａ〜１１０８ｃによってインターリーブされ得る。列数（Ｎｃｏｌ）またはインターリーバ深度は、データトーン数（Ｎｄａｔａ）に基づき得る。行数（Ｎｒｏｗ）は、列数（Ｎｃｏｌ）およびデータトーン数（Ｎｄａｔａ）の関数であり得る。たとえば、行数（Ｎｒｏｗ）は、データトーン数（Ｎｄａｔａ）を列数（Ｎｃｏｌ）で除算したものに等しくなり得る（たとえば、Ｎｒｏｗ＝Ｎｄａｔａ／Ｎｃｏｌ）。
【０１８１】
[00204]図１７は、図１のワイヤレス通信システム１００内で採用され得るワイヤレス通信の例示的な方法のためのフローチャート１７００を示す。方法は、ＡＰ  １０４（図１）、ＳＴＡｓ  １０６Ａ〜１０６Ｄ（図１）のいずれか、図２に示すワイヤレスデバイス２０２、デバイス１０１０、１０２０、１０３０、または１０４０（図１５）などの、本明細書で説明されるデバイスによって全体的または部分的に実施され得る。本明細書では、図示された方法が、図１に関して上記で説明したワイヤレス通信システム１００、図２に関して上記で説明したワイヤレスデバイス２０２、図１５のシステム１０００に関して説明されるが、図示された方法が、本明細書で説明される別のデバイス、または任意の他の好適なデバイスによって実施され得ることを、当業者は諒解されよう。本明細書では、図示された方法が特定の順序に関して説明されるが、様々な実施形態では、本明細書のブロックは、異なる順序で実施され得るか、または省略され得、さらなるブロックが追加され得る。
【０１８２】
[00205]最初に、ブロック１７１０において、ワイヤレスデバイスは、いくつかの２０ＭＨｚトーン割振りの中から選択し、ここにおいて、第１のトーン割振りは、１個の２０ＭＨｚバンドを備え、第２のトーン割振りは、２個の１０ＭＨｚサブバンドを備え、第３のトーン割振りは、２個の５ＭＨｚサブバンドと、１個の１０ＭＨｚサブバンドとを備え、第４のトーン割振りは、４個の５ＭＨｚサブバンドを備える。いくつかの態様では、各サブバンドが異なるデバイスに向けられ得、いくつかの態様では、単一のデバイスが２つ以上のサブバンドを受信し得る。いくつかの態様では、割振りの中から選択するための手段は、プロセッサを含み得る。
【０１８３】
[00206]ブロック１７２０において、ワイヤレスデバイスは、トーン割振りを選択すると、２０ＭＨｚ帯域幅を介した送信用のメッセージを供給し、ここにおいて、各５ＭＨｚサブバンドは、多くて５２個のデータトーンと、４個のパイロットトーンとを備え、各１０ＭＨｚサブバンドは、多くて１０８個のデータトーンと、６個のパイロットトーンとを備え、２０ＭＨｚバンドは、２３４個または２２８個のデータトーンのうちの多くて１つと、８個のパイロットトーンと、３個または７個の直流トーンのうちの多くて１つとを備える。いくつかの態様では、上記で説明したように使用され得るいくつかの残余トーンもあり得る。いくつかの態様では、供給するための手段は、プロセッサおよび／または送信機を含み得る。いくつかの態様では、上記で説明されたように、異なる数のデータトーンまたはパイロットトーンが様々なサブバンドに対して使用され得る。
【０１８４】
[00207]図１８は、図１のワイヤレス通信システム１００内で採用され得るワイヤレス通信の例示的な方法のためのフローチャート１８００を示す。方法は、ＡＰ  １０４（図１）、ＳＴＡｓ  １０６Ａ〜１０６Ｄ（図１）のいずれか、図２に示すワイヤレスデバイス２０２、デバイス１０１０、１０２０、１０３０、または１０４０（図１５）などの、本明細書で説明されるデバイスによって全体的または部分的に実施され得る。本明細書では、図示された方法が、図１に関して上記で説明したワイヤレス通信システム１００、図２に関して上記で説明したワイヤレスデバイス２０２、図１５のシステム１０００に関して説明されるが、図示された方法が、本明細書で説明する別のデバイス、または任意の他の好適なデバイスによって実施され得ることを、当業者は諒解されよう。本明細書では、図示された方法が特定の順序に関して説明されるが、様々な実施形態では、本明細書のブロックは、異なる順序で実施され得るか、または省略され得、さらなるブロックが追加され得る。
【０１８５】
[00208]最初に、ブロック１８１０において、ワイヤレスデバイスは、いくつかの４０ＭＨｚトーン割振りの中から選択し、ここにおいて、第１のトーン割振りは、１個の４０ＭＨｚバンドを備え、第２のトーン割振りは、２個の２０ＭＨｚサブバンドを備え、第３のトーン割振りは、２個の１０ＭＨｚサブバンドと、１個の２０ＭＨｚサブバンドとを備え、第４のトーン割振りは、４個の１０ＭＨｚサブバンドを備え、第５のトーン割振りは、２個の５ＭＨｚサブバンドと、１個の１０ＭＨｚサブバンドと、１個の２０ＭＨｚサブバンドとを備え、第６のトーン割振りは、４個の５ＭＨｚサブバンドと、１個の２０ＭＨｚサブバンドとを備え、第７のトーン割振りは、２個の５ＭＨｚサブバンドと、３個の１０ＭＨｚサブバンドとを備え、第８のトーン割振りは、４個の５ＭＨｚサブバンドと、２個の１０ＭＨｚサブバンドとを備え、第９のトーン割振りは、６個の５ＭＨｚサブバンドと、１個の１０ＭＨｚサブバンドとを備え、第１０のトーン割振りは、８個の５ＭＨｚサブバンドを備える。いくつかの態様では、各サブバンドが異なるデバイスに向けられ得、いくつかの態様では、単一のデバイスが２つ以上のサブバンドを受信し得る。いくつかの態様では、割振りの中から選択するための手段は、プロセッサを含み得る。
【０１８６】
[00209]ブロック１８２０において、ワイヤレスデバイスは、トーン割振りを選択すると、４０ＭＨｚ帯域幅を介した送信用のメッセージを供給し、ここにおいて、各５ＭＨｚサブバンドは、５２個のデータトーンと、４個のパイロットトーンとを備え、各１０ＭＨｚサブバンドは、１０８個のデータトーンと、６個のパイロットトーンとを備え、各２０ＭＨｚサブバンドは、２３４個または２２８個のデータトーンのうちの１つと、８個のパイロットトーンとを備え、４０ＭＨｚバンドは、４６８個のデータトーンと、１６個のパイロットトーンと、１１個の直流トーンとを備える。いくつかの態様では、上記で説明されたように使用され得るいくつかの残余トーンもあり得る。いくつかの態様では、供給するための手段は、プロセッサおよび／または送信機を含み得る。いくつかの態様では、上記で説明されたように、異なる数のデータトーンまたはパイロットトーンが様々なサブバンドに対して使用され得る。
【０１８７】
[00210]図１９は、図１のワイヤレス通信システム１００内で採用され得るワイヤレス通信の例示的な方法のためのフローチャート１９００を示す。方法は、ＡＰ  １０４（図１）、ＳＴＡｓ  １０６Ａ〜１０６Ｄ（図１）のいずれか、図２に示すワイヤレスデバイス２０２、デバイス１０１０、１０２０、１０３０、または１０４０（図１５）などの、本明細書で説明されるデバイスによって全体的または部分的に実施され得る。本明細書では、図示された方法が、図１に関して上記で説明したワイヤレス通信システム１００、図２に関して上記で説明したワイヤレスデバイス２０２、図１５のシステム１０００に関して説明されるが、図示された方法が、本明細書で説明される別のデバイス、または任意の他の好適なデバイスによって実施され得ることを、当業者は諒解されよう。本明細書では、図示された方法が特定の順序に関して説明されるが、様々な実施形態では、本明細書のブロックは、異なる順序で実施され得るか、または省略され得、さらなるブロックが追加され得る。
【０１８８】
[00211]最初に、ブロック１９１０において、ワイヤレスデバイスは、いくつかの８０ＭＨｚトーン割振りの中から選択し、ここにおいて、第１のトーン割振りは、１個の８０ＭＨｚバンドを備え、第２のトーン割振りは、２個の４０ＭＨｚサブバンドを備え、第３のトーン割振りは、２個の２０ＭＨｚサブバンドと、１個の４０ＭＨｚサブバンドとを備え、第４のトーン割振りは、４個の２０ＭＨｚサブバンドを備え、第５のトーン割振りは、２個の１０ＭＨｚサブバンドと、１個の２０ＭＨｚサブバンドと、１個の４０ＭＨｚサブバンドとを備え、第６のトーン割振りは、４個の１０ＭＨｚサブバンドと、１個の４０ＭＨｚサブバンドとを備え、第７のトーン割振りは、２個の５ＭＨｚサブバンドと、１個の１０ＭＨｚサブバンドと、１個の２０ＭＨｚサブバンドと、１個の４０ＭＨｚサブバンドとを備え、第８のトーン割振りは、２個の１０ＭＨｚサブバンドと、３個の２０ＭＨｚサブバンドとを備え、第９のトーン割振りは、２個の５ＭＨｚサブバンドと、３個の１０ＭＨｚサブバンドと、１個の４０ＭＨｚサブバンドとを備え、第１０のトーン割振りは、４個の５ＭＨｚサブバンドと、１個の２０ＭＨｚサブバンドと、１個の４０ＭＨｚサブバンドとを備え、第１１のトーン割振りは、４個の１０ＭＨｚサブバンドと、２個の２０ＭＨｚサブバンドとを備え、第１２のトーン割振りは、４個の５ＭＨｚサブバンドと、２個の１０ＭＨｚサブバンドと、１個の４０ＭＨｚサブバンドとを備え、第１３のトーン割振りは、６個の１０ＭＨｚサブバンドと、１個の２０ＭＨｚサブバンドとを備え、第１４のトーン割振りは、２個の５ＭＨｚサブバンドと、３個の１０ＭＨｚサブバンドと、２個の２０ＭＨｚサブバンドとを備え、第１５のトーン割振りは、４個の５ＭＨｚサブバンドと、３個の２０ＭＨｚサブバンドとを備え、第１６のトーン割振りは、８個の１０ＭＨｚサブバンドを備え、第１７のトーン割振りは、６個の５ＭＨｚサブバンドと、１個の１０ＭＨｚサブバンドと、１個の４０ＭＨｚサブバンドとを備え、第１８のトーン割振りは、４個の５ＭＨｚサブバンドと、２個の１０ＭＨｚサブバンドと、２個の２０ＭＨｚサブバンドとを備え、第１９のトーン割振りは、２個の５ＭＨｚサブバンドと、５個の１０ＭＨｚサブバンドと、１個の２０ＭＨｚサブバンドとを備え、第２０のトーン割振りは、８個の５ＭＨｚサブバンドと、１個の４０ＭＨｚサブバンドとを備え、第２１のトーン割振りは、４個の５ＭＨｚサブバンドと、４個の１０ＭＨｚサブバンドと、１個の２０ＭＨｚサブバンドとを備え、第２２のトーン割振りは、６個の５ＭＨｚサブバンドと、１個の１０ＭＨｚサブバンドと、２個の２０ＭＨｚサブバンドとを備え、第２３のトーン割振りは、２個の５ＭＨｚサブバンドと、７個の１０ＭＨｚサブバンドとを備え、第２４のトーン割振りは、８個の５ＭＨｚサブバンドと、２個の２０ＭＨｚサブバンドとを備え、第２５のトーン割振りは、６個の５ＭＨｚサブバンドと、３個の１０ＭＨｚサブバンドと、１個の２０ＭＨｚサブバンドとを備え、第２６のトーン割振りは、４個の５ＭＨｚサブバンドと、６個の１０ＭＨｚサブバンドとを備え、第２７のトーン割振りは、８個の５ＭＨｚサブバンドと、２個の��０ＭＨｚサブバンドと、１個の２０ＭＨｚサブバンドとを備え、第２８のトーン割振りは、６個の５ＭＨｚサブバンドと、５個の１０ＭＨｚサブバンドとを備え、第２９のトーン割振りは、１０個の５ＭＨｚサブバンドと、１個の１０ＭＨｚサブバンドと、１個の２０ＭＨｚサブバンドとを備え、第３０のトーン割振りは、８個の５ＭＨｚサブバンドと、４個の１０ＭＨｚサブバンドとを備え、第３１のトーン割振りは、１０個の５ＭＨｚサブバンドと、３個の１０ＭＨｚサブバンドとを備え、第３２のトーン割振りは、１２個の５ＭＨｚサブバンドと、１個の２０ＭＨｚサブバンドとを備え、第３３のトーン割振りは、１２個の５ＭＨｚサブバンドと、２個の１０ＭＨｚサブバンドとを備え、第３４のトーン割振りは、１４個の５ＭＨｚサブバンドと、１個の１０ＭＨｚサブバンドとを備え、第３５のトーン割振りは、１６個の５ＭＨｚサブバンドを備える。いくつかの態様では、各サブバンドが異なるデバイスに向けられ得、いくつかの態様では、単一のデバイスが２つ以上のサブバンドを受信し得る。いくつかの態様では、割振りの中から選択するための手段は、プロセッサを含み得る。
【０１８９】
[00212]ブロック１９２０において、ワイヤレスデバイスは、トーン割振りを選択すると、８０ＭＨｚ帯域幅を介した送信用のメッセージを供給し、ここにおいて、各５ＭＨｚサブバンドは、５２個のデータトーンと、４個のパイロットトーンとを備え、各１０ＭＨｚサブバンドは、１０８個のデータトーンと、６個のパイロットトーンとを備え、各２０ＭＨｚサブバンドは、２３４個または２２８個のデータトーンのうちの１つと、８個のパイロットトーンとを備え、各４０ＭＨｚサブバンドは、４６８個のデータトーンと、１６個のパイロットトーンとを備え、８０ＭＨｚバンドは、９９０個のデータトーンと、１６個のパイロットトーンと、７個の直流トーンとを備える。いくつかの態様では、上記で説明されたように使用され得るいくつかの残余トーンもあり得る。いくつかの態様では、供給するための手段は、プロセッサおよび／または送信機を含み得る。いくつかの態様では、上記で説明されたように、異なる数のデータトーンまたはパイロットトーンが様々なサブバンドに対して使用され得る。
【０１９０】
[00213]一実施形態では、図１９に示す方法は、選択回路と、供給回路と、インターリービング回路とを含むことができるワイヤレスデバイスにおいて実施され得る。ワイヤレスデバイスが本明細書で説明される簡略化されたワイヤレスデバイスよりも多くのコンポーネントを有することができることを、当業者は諒解されよう。本明細書で説明されるワイヤレスデバイスは、特許請求の範囲内の実装形態のいくつかの顕著な特徴を説明するのに有用なそれらのコンポーネントのみを含む。
【０１９１】
[00214]選択回路は、メッセージのワイヤレス通信のためにトーンプランを選択するように構成され得る。一実施形態では、選択回路は、フローチャート１１００（図１５）のブロック１１１０を実施するように構成され得る。選択回路は、ＤＳＰ  ２２０（図２）、プロセッサ２０４（図２）、およびメモリ２０６（図２）のうちの１つまたは複数を含むことができる。いくつかの実装形態では、選択するための手段は選択回路を含むことができる。
【０１９２】
[00215]供給回路は、選択されたトーンプランによる送信用のメッセージを供給するように構成され得る。一実施形態では、供給回路は、フローチャート１１００（図１５）のブロック１１２０〜１１３０のいずれかを実施するように構成され得る。供給回路は、送信機２１０（図２）、トランシーバ２１４（図２）、プロセッサ２０４（図２）、ＤＳＰ  ２２０（図２）、およびメモリ２０６（図２）のうちの１つまたは複数を含むことができる。いくつかの実装形態では、供給するための手段は供給回路を含むことができる。
【０１９３】
[00216]インターリービング回路は、送信のためにデータをインターリーブするように構成され得る。インターリービング回路は、インターリービングシステム１０１４（図１５）、ストリームパーサ１１０６（図１６）、インターリーバ１１０８Ａ〜１１０８Ｃ（図１６）のいずれか、プロセッサ２０４（図２）、ＤＳＰ  ２２０（図２）、およびメモリ２０６（図２）のうちの１つまたは複数を含むことができる。いくつかの実装形態では、インターリーブするための手段はインターリービング回路を含むことができる。
【０１９４】
[00217]図２０は、様々な実施形態による、複数の割振り（ＲＵ）サイズおよび対応するデータトーンの数（ＮSD）に対するバイナリ畳み込みコード（ＢＣＣ）インターリービングおよび低密度パリティチェック（ＬＤＰＣ）トーンマッピング距離（ＤTM）の図である。様々な実施形態では、図２０に示す態様は、本開示の他の態様に従って、たとえば、図４（または、本明細書で説明する任意の他の図）に関して説明した帯域幅および／またはＦＦＴトーンを用いて適用され得る。この図では、ＲＵサイズは、グループとして任意のステーションに割り振られ得るトーンの数であり得る。各割振りの中のトーンは、たとえば、図４に示すように、データトーン（ＮSD）、パイロットトーン、ＤＣトーン、ガードトーン、および残余トーンに分割され得る。
【０１９５】
[00218]この図におけるいくつかの行は、インターリーバパラメータまたはＬＤＰＣトーンマッピング距離のための複数の実施形態を含む。いくつかの態様では、パラメータ値に対して複数の異なる実施形態の間で選ぶとき、シミュレーションを実行することが有益であり得る。いくつかの態様では、類似の性能を得るため、およびこれらの技法の実施を容易にするために、ハードウェアと互換性のある値にできる限り近いパラメータ値を選ぶことが有益であり得る。概して、Ｎｃｏｌ×ＬＤＰＣトーンマッピング距離が、しばしば、データトーンの数に等しいことが観測され得る。
【０１９６】
[00219]図示の実施形態では、２６としてのＲＵサイズに対して２４個のデータトーンが使用され得る。ＢＣＣインターリーバ、たとえば、インターリービングシステム１０１４（図１５）または１１０８ａ〜１１０８ｃ（図１６）は、８としてのＮｃｏｌを含むことができ、４つ以下の空間ストリームがあるときに２としてのＮｒｏｔを、４つを超える空間ストリームがあるときに１としてのＮｒｏｔを含むことができる。ＬＤＰＣのＤTMは１であり得る。
【０１９７】
[00220]図示の実施形態では、５２としてのＲＵサイズに対して４８個のデータトーンが使用され得る。ＢＣＣインターリーバ、たとえば、インターリービングシステム１０１４（図１５）または１１０８ａ〜１１０８ｃ（図１６）は、１６としてのＮｃｏｌを含むことができ、４つ以下の空間ストリームがあるときに１１としてのＮｒｏｔを、４つを超える空間ストリームがあるときに６としてのＮｒｏｔを含むことができる。ＬＤＰＣのＤTMは３であり得る。図示の実施形態では、ＤTM＝ＮSD／ＮCOLである。
【０１９８】
[00221]図示の実施形態では、１０６としてのＲＵサイズに対して１０２個のデータトーンが使用され得る。ＢＣＣインターリーバ、たとえば、インターリービングシステム１０１４（図１５）または１１０８ａ〜１１０８ｃ（図１６）は、１７としてのＮｃｏｌを含むことができ、４つ以下の空間ストリームがあるときに２９としてのＮｒｏｔを、４つを超える空間ストリームがあるときに１３としてのＮｒｏｔを含むことができる。ＬＤＰＣのＤTMは６であり得る。図示の実施形態では、ＤTM＝ＮSD／ＮCOLである。
【０１９９】
[00222]図示の実施形態では、２４２としてのＲＵサイズに対して２３４個のデータトーンが使用され得る。ＢＣＣインターリーバ、たとえば、インターリービングシステム１０１４（図１５）または１１０８ａ〜１１０８ｃ（図１６）は、２６としてのＮｃｏｌを含むことができ、４つ以下の空間ストリームがあるときに５８としてのＮｒｏｔを、４つを超える空間ストリームがあるときに２８としてのＮｒｏｔを含むことができる。ＬＤＰＣのＤTMは９であり得る。
【０２００】
[00223]第１の実施形態では、４８４としてのＲＵサイズに対して４６８個のデータトーンが使用され得る。第１の実施形態では、ＢＣＣインターリーバは省略され得、ＬＤＰＣのためのセグメントパーシングは実行されないことがある。ＬＤＰＣのＤTMは１２であり得る。
【０２０１】
[00224]第２の実施形態では、４８４としてのＲＵサイズに対して４６８個のデータトーンが使用され得る。ＢＣＣインターリーバ、たとえば、インターリービングシステム１０１４（図１５）または１１０８ａ〜１１０８ｃ（図１６）は、２６としてのＮｃｏｌを含むことができ、４つ以下の空間ストリームがあるときに５８としてのＮｒｏｔを含むことができ、空間ストリームの数は４以下となるように限定され得る。ＬＤＰＣのＤTMは９であり得る。
【０２０２】
[00225]第３の実施形態では、４８４としてのＲＵサイズに対して４６８個のデータトーンが使用され得る。ＢＣＣインターリーバ、たとえば、インターリービングシステム１０１４（図１５）または１１０８ａ〜１１０８ｃ（図１６）は、３９としてのＮｃｏｌを含むことができ、４つ以下の空間ストリームがあるときに１１６としてのＮｒｏｔを、４つを超える空間ストリームがあるときに５６としてのＮｒｏｔを含むことができる。第３の実施形態では、単一のインターリーバが使用され得、したがって、セグメントパーシングは省略され得る。ＬＤＰＣのＤTMは１２であり得る。図示の実施形態では、ＤTM＝ＮSD／ＮCOLである。
【０２０３】
[00226]９９６としてのＲＵサイズに対して９８０個のデータトーンが使用され得る。図示の実施形態では、ＢＣＣインターリーバは省略され得る。ＬＤＰＣのＤTMは２０であり得る。
【０２０４】
[00227]１９９２としてのＲＵサイズ（たとえば、２つの９９６トーン割振り）に対して、９９６トーン割振りごとに９８０個のデータトーンが使用され得る。図示の実施形態では、ＢＣＣインターリーバは省略され得、セグメントパーシングが実行され得る。ＬＤＰＣのＤTMは２０であり得る。
【０２０５】
[00228]様々な実施形態では、８０ＭＨｚ送信をサポートするデバイスにとって、４０ＭＨｚ送信に対するＢＣＣサポートが随意であり得る。別の実施形態では、８０ＭＨｚ送信をサポートしないデバイスにとって、４０ＭＨｚ送信に対するＢＣＣサポートが義務付けら得る。いくつかの実施形態では、一部のＳＴＡが４０ＭＨｚ送信に対してＢＣＣをサポートし一部のＳＴＡが４０ＭＨｚ送信に対してＢＣＣをサポートしない混合環境に対応するために、ＡＰｓは４０ＭＨｚ送信に対してＢＣＣをサポートすることができる。いくつかの実施形態では、任意の所与のＲＵサイズに対して、空間ストリームの数（ＮSS）は４以下であり得る。たとえば、場合によっては、すべてのＲＵサイズに対するＢＣＣにおいてＮSS＞４がサポートされない。
【０２０６】
[00229]図２１は、図１のワイヤレス通信システム１００内で採用され得るワイヤレス通信の別の例示的な方法のためのフローチャート２１００を示す。方法は、ＡＰ  １０４（図１）、ＳＴＡｓ  １０６Ａ〜１０６Ｄ（図１）のいずれか、図２に示すワイヤレスデバイス２０２、および／またはデバイス１０１０、１０２０、１０３０、もしくは１０４０（図１５）などの、本明細書で説明されるデバイスによって全体的または部分的に実施され得る。本明細書では、図示された方法が、図１に関して上記で説明したワイヤレス通信システム１００、図２に関して上記で説明したワイヤレスデバイス２０２、図１５のシステム１０００、および図２０のトーンプランに関して説明されるが、図示された方法が、本明細書で説明される別のデバイス、または任意の他の好適なデバイスによって実施され得ることを、当業者は諒解されよう。本明細書では、図示された方法が特定の順序に関して説明されるが、様々な実施形態では、本明細書のブロックは、異なる順序で実施され得るか、または省略され得、さらなるブロックが追加され得る。
【０２０７】
[00230]最初に、ブロック２１１０において、ワイヤレスデバイスは、４８４トーン割振りユニットによるワイヤレス通信用のメッセージを生成する。４８４トーン割振りユニットは、４６８個のデータトーンを含む。たとえば、ＡＰ  １０４は、図２０に関して上記で説明した、４６８個のデータトーンを有する４８４トーン割振りユニットに従ってメッセージを生成することができる。
【０２０８】
[00231]様々な実施形態では、４８４トーン割振りユニットに従ってメッセージを生成することは、複数のデータビットを符号化すること、符号化ビットのストリームをパースすること、符号化ビットをインターリーブすること、符号化ビットを直交振幅変調（ＱＡＭ）シンボルとして、次いで、ＯＦＤＭデータトーンにマッピングすること、ビットのパイロットシーケンスを指定された数のパイロットＯＦＤＭトーンにマッピングすること、ならびにヌルデータビットを指定された数の左ガードトーン、右ガードトーン、およびＤＣトーンにマッピングすることのうちの１つまたは複数を含むことができる。たとえば、エンコーダ１１０４（図１６）は、データビットを符号化することができる。ストリームパーサ１１０６（図１６）は、符号化データビットをパースすることができる。インターリーバ１１０８ａ〜１１０８ｃ（図１６）は、パースされたデータをインターリーブする。変調器１１０２ａ〜１１０８ｃ（図１６）は、データビットを４６８個のＯＦＤＭデータトーンにマッピングすることができ、ビットのパイロットシーケンスをパイロットＯＦＤＭトーンにマッピングすることができ、ヌルデータビットを左ガードトーン、右ガードトーン、およびＤＣトーンにマッピングすることができる。図示の実施形態では、インターリーバおよびストリームパーサは省略される。
【０２０９】
[00232]次いで、ブロック２１１２において、ワイヤレスデバイスはストリームパーシングを実行する。たとえば、ストリームパーサ１１０６（図１６）が、１つまたは複数のビットストリームへの符号化データビットをパースすることができる。
【０２１０】
[00233]図示の実施形態では、コード化ビットは、ＱＡＭマッピングを通過し、次いで、ＱＡＭシンボルをトーンにマッピングするためのＬＤＰＣトーンマッピングを通過する。様々な実施形態では、ＬＤＰＣは、十分なビットレベルランダム性を有し、そのため、周波数ダイバーシティを実現するために、（一種のインターリービングとして特徴付けられ得る）トーンマッピングがＱＡＭシンボルに対して実行される。したがって、ブロック２１１７において、ワイヤレスデバイスはコンスタレーションマッピングを実行する。たとえば、システム１１００（図１６）のマッパー（mapper）が、データビットを４６８個のＯＦＤＭデータトーンにマッピングすることができ、ビットのパイロットシーケンスをパイロットＯＦＤＭトーンにマッピングすることができ、ヌルデータビットを左ガードトーン、右ガードトーン、およびＤＣトーンにマッピングすることができる。
【０２１１】
[00234]その後、ブロック２１２０において、ワイヤレスデバイスは、低密度パリティチェック（ＬＤＰＣ）のために、１２としてのトーンマッピング距離（ＤＴＭ）を使用してメッセージのトーンをマッピングする。いくつかの実施形態では、トーンマッピングのプロセスは、符号化データビットのコンスタレーションポイントをＯＦＤＭサブキャリアに関連付けることを含むことができる。各トーンがそれにマッピングされるＯＦＤＭサブキャリアは、示されたサブキャリア数だけ分離され得る。たとえば、そのようなマッピングは、複数のデータビットを符号化することと、それらの符号化ビットをＱＡＭシンボルにマッピングすることとを含むことができる。マッピングは、第１のＱＡＭシンボルを第１のデータトーンに、第２のＱＡＭシンボルを第（１＋ＤＴＭ）のデータトーンに、第３のＱＡＭシンボルを第（１＋２＊ＤＴＭ）のデータトーンに、以下同様にマッピングすることをさらに含むことができる。マッピングは、たとえば、第４９のＱＡＭシンボルが第９６０のデータトーンにマッピングされ、第５０のＱＡＭシンボルが第２のデータトーンにマッピングされ、第５１のＱＡＭシンボルが第（２＋Ｄ＿ＴＭ）のデータトーンにマッピングされ、以下同様のようにラップアラウンドする（wrap around）ことができる。
【０２１２】
[00235]次いで、ブロック２１３０において、ワイヤレスデバイスは、送信用のメッセージを供給する。たとえば、ＡＰ  １０４は、４８４トーン割振りユニットに従って、アンテナ２１６を介した送信のためにメッセージを送信機２１０に供給することができる。様々な実施形態では、本明細書で説明する任意の帯域幅が使用され得る。
【０２１３】
[00236]様々な実施形態では、送信用のメッセージを供給することは、複数のデータビットを符号化すること、符号化ビットのストリームをパースすること、符号化ビットをインターリーブすること、符号化ビットをＱＡＭシンボルとして、次いで、ＯＦＤＭデータトーンにマッピングすること、ビットのパイロットシーケンスを指定された数のパイロットＯＦＤＭトーンにマッピングすること、ならびにヌルデータビットを指定された数の左ガードトーン、右ガードトーン、およびＤＣトーンにマッピングすることのうちの１つまたは複数を含む。たとえば、プロセッサ２０４（図２）は、４８４トーン割振りユニットに従って、複数のデータビットを編成することができる。エンコーダ１１０４（図１６）は、データビットを符号化することができる。ストリームパーサ１１０６（図１６）は、符号化データビットをパースすることができる。インターリーバ１１０８ａ〜１１０８ｃ（図１６）は、パースされたデータをインターリーブする。変調器１１０２ａ〜１１０８ｃ（図１６）は、送信機１１１０ａ〜１１１０ｃ（図１６）を介した送信のために、インターリーブされたデータを変調することができる。図示の実施形態では、インターリーバおよびストリームパーサは省略される。
【０２１４】
[00237]様々な実施形態では、方法は、たとえば、図１のＳＴＡ  １０６Ａ〜１０６Ｄなどの移動局において実施され得る。送信用のメッセージを供給することは、移動局をサービスするアクセスポイント（たとえば、図１のＡＰ  １０４）へ移動局の送信機（たとえば、図２の送信機２１０）およびアンテナ（たとえば、図２のアンテナ２１６）を通してメッセージを送信することを含むことができる。様々な実施形態では、方法は、たとえば、図１のＡＰ  １０４などのアクセスポイントにおいて実施され得る。送信用のメッセージを供給することは、アクセスポイントによってサービスされる移動局（たとえば、図１のＳＴＡ  １０６Ａ）へアクセスポイントの送信機（たとえば、図２の送信機２１０）およびアンテナ（たとえば、図２のアンテナ２１６）を通してメッセージを送信することを含むことができる。
【０２１５】
[00238]様々な実施形態では、図２１の方法は、図１７〜図１９の方法に示された１つまたは複数のブロックまたは機能を含むことができる。４８４トーン割振りユニットは、図４〜図１４に関して上記で説明した特性のいずれかを有することができる。
【０２１６】
[00239]一実施形態では、図２１に示す方法は、生成回路と、マッピング回路と、供給回路とを含むことができるワイヤレスデバイスにおいて実施され得る。ワイヤレスデバイスが本明細書で説明される簡略化されたワイヤレスデバイスよりも多くのコンポーネントを有することができることを、当業者は諒解されよう。本明細書で説明されるワイヤレスデバイスは、特許請求の範囲内の実装形態のいくつかの顕著な特徴を説明するのに有用なそれらのコンポーネントのみを含む。
【０２１７】
[00240]生成回路は、１０２４トーンプランに従ってメッセージを生成するように構成され得る。一実施形態では、生成回路は、フローチャート２１００（図２１）のブロック２１１０を実施するように構成され得る。生成回路は、ＤＳＰ  ２２０（図２）、プロセッサ２０４（図２）、およびメモリ２０６（図２）のうちの１つまたは複数を含むことができる。いくつかの実装形態では、生成するための手段は生成回路を含むことができる。
【０２１８】
[00241]マッピング回路は、低密度パリティチェック（ＬＤＰＣ）トーンマッピング距離（ＤＴＭ）を使用して、メッセージのトーンをマッピングするように構成され得る。様々な実施形態では、ＤＴＭは、１０、１４、または２０のうちの１つであり得る。マッピング回路は、ＤＳＰ  ２２０（図２）、プロセッサ２０４（図２）、メモリ２０６（図２）、インターリービングシステム１０１４（図１５）、インターリーバ１１０８ａ〜１１０８ｃ（図１６）、および変調器１１０２ａ〜７０２ｃ（図１６）のうちの１つまたは複数を含むことができる。いくつかの実装形態では、マッピングするための手段は生成回路を含むことができる。
【０２１９】
[00242]供給回路は、送信用のメッセージを供給するように構成され得る。一実施形態では、供給回路は、フローチャート２１００（図２１）のブロック２１２０を実施するように構成され得る。供給回路は、送信機２１０（図２）、トランシーバ２１４（図２）、プロセッサ２０４（図２）、ＤＳＰ  ２２０（図２）、アンテナ２１６（図２）、およびメモリ２０６（図２）のうちの１つまたは複数を含むことができる。いくつかの実装形態では、供給するための手段は供給回路を含むことができる。
【０２２０】
[00243]様々な実施形態では、ワイヤレスデバイスは送信回路をさらに含むことができる。送信回路は、たとえば、移動局またはアクセスポイントの送信機およびアンテナを通してメッセージを送信するように構成され得る。送信回路は、送信機２１０（図２）、トランシーバ２１４（図２）、プロセッサ２０４（図２）、ＤＳＰ  ２２０（図２）、アンテナ２１６（図２）、およびメモリ２０６（図２）のうちの１つまたは複数を含むことができる。いくつかの実装形態では、送信するための手段は送信回路を含むことができる。
【０２２１】
[00244]図２２は、図１のワイヤレス通信システム１００内で採用され得るワイヤレス通信の別の例示的な方法のためのフローチャート２２００を示す。方法は、ＡＰ  １０４（図１）、ＳＴＡｓ  １０６Ａ〜１０６Ｄ（図１）のいずれか、図２に示すワイヤレスデバイス２０２、および／またはデバイス１０１０、１０２０、１０３０、もしくは１０４０（図１５）などの、本明細書で説明されるデバイスによって全体的または部分的に実施され得る。本明細書では、図示された方法が、図１に関して上記で説明したワイヤレス通信システム１００、図２に関して上記で説明したワイヤレスデバイス２０２、図１５のシステム１０００、および図２０のトーンプランに関して説明されるが、図示された方法が、本明細書で説明される別のデバイス、または任意の他の好適なデバイスによって実施され得ることを、当業者は諒解されよう。本明細書では、図示された方法が特定の順序に関して説明されるが、様々な実施形態では、本明細書のブロックは、異なる順序で実施され得るか、または省略され得、さらなるブロックが追加され得る。
【０２２２】
[00245]最初に、ブロック２２１０において、ワイヤレスデバイスは、４８４トーン割振りユニットによるワイヤレス通信用のメッセージを生成する。４８４トーン割振りユニットは、４６８個のデータトーンを含む。たとえば、ＡＰ  １０４は、図２０に関して上記で説明した、４６８個のデータトーンを有する４８４トーン割振りユニットに従ってメッセージを生成することができる。
【０２２３】
[00246]様々な実施形態では、４８４トーン割振りユニットに従ってメッセージを生成することは、複数のデータビットを符号化すること、符号化ビットのストリームをパースすること、符号化ビットをインターリーブすること、符号化ビットをＱＡＭシンボルとして、次いで、ＯＦＤＭデータトーンにマッピングすること、ビットのパイロットシーケンスを指定された数のパイロットＯＦＤＭトーンにマッピングすること、ならびにヌルデータビットを指定された数の左ガードトーン、右ガードトーン、およびＤＣトーンにマッピングすることのうちの１つまたは複数を含むことができる。たとえば、エンコーダ１１０４（図１６）は、データビットを符号化することができる。
【０２２４】
[00247]次いで、ブロック２２１２において、ワイヤレスデバイスはストリームパーシングを実行する。たとえば、ストリームパーサ１１０６（図１６）が、１つまたは複数のビットストリームへの符号化データビットをパースすることができる。
【０２２５】
[00248]次に、ブロック２２１３において、ワイヤレスデバイスはセグメントパーシングを実行する。たとえば、システム１１００（図１６）のセグメントパーサが、１つまたは複数のセグメントへのビットストリームをパースすることができる。
【０２２６】
[00249]その後、ブロック２２１５において、ワイヤレスデバイスは、ＢＣＣコーディングとＬＤＰＣコーディングとの間で選択する。ＢＣＣが選択される場合（ブロック２２２０）、コード化ビットは、（たとえば、図２０に示すＮｃｏｌ、Ｎｒｏｔ、およびストリーム並べ替えによる）ＢＣＣインターリービングを通過し、次いで、ＱＡＭシンボルをトーンにマッピングする前にＱＡＭマッピングを通過する。様々な実施形態では、ＢＣＣは、ランダム性を得るためにビットレベルインターリービングを利用し、そのため、インターリービングがコード化ビットに対して実行される。したがって、ブロック２２２０において、ワイヤレスデバイスは、２６としてのインターリーバ深度と、４つまでの空間ストリームに対して５８としてのインターリーブされたローテーションインデックスとを使用して、送信のためにインターリーブされた一連のビットを生成する。たとえば、インターリーバ１１０８ａ〜１１０８ｃ（図１６）が、パースされたデータをインターリーブすることができる。４つを上回る空間ストリームは省略され得る。その後、ブロック２２２５において、ワイヤレスデバイスはコンスタレーションマッピングを実行する。たとえば、システム１１００（図１６）のマッパーが、データビットを４６８個のＯＦＤＭデータトーンにマッピングすることができ、ビットのパイロットシーケンスをパイロットＯＦＤＭトーンにマッピングすることができ、ヌルデータビットを左ガードトーン、右ガードトーン、およびＤＣトーンにマッピングすることができる。
【０２２７】
[00250]ブロック２２１５に戻ると、ＬＤＰＣが選択される場合（ブロック２２３０）、コード化ビットは、ＱＡＭマッピングを通過し、次いで、ＱＡＭシンボルをトーンにマッピングするためのＬＤＰＣトーンマッピングを通過する。様々な実施形態では、ＬＤＰＣは、十分なビットレベルランダム性を有し、そのため、周波数ダイバーシティを実現するために、（一種のインターリービングとして特徴付けられ得る）トーンマッピングがＱＡＭシンボルに対して実行される。したがって、ブロック２２１７において、ワイヤレスデバイスはコンスタレーションマッピングを実行する。たとえば、システム１１００（図１６）のマッパーが、データビットを４６８個のＯＦＤＭデータトーンにマッピングすることができ、ビットのパイロットシーケンスをパイロットＯＦＤＭトーンにマッピングすることができ、ヌルデータビットを左ガードトーン、右ガードトーン、およびＤＣトーンにマッピングすることができる。その後、ブロック２２３０において、ワイヤレスデバイスは、低密度パリティチェック（ＬＤＰＣ）のために、９としてのトーンマッピング距離（ＤＴＭ）を使用してメッセージのトーンをマッピングする。いくつかの実施形態では、トーンマッピングのプロセスは、符号化データビットのコンスタレーションポイントをＯＦＤＭサブキャリアに関連付けることを含むことができる。各トーンがそれにマッピングされるＯＦＤＭサブキャリアは、示されたサブキャリア数だけ分離され得る。たとえば、そのようなマッピングは、複数のデータビットを符号化することと、それらの符号化ビットを直交振幅変調（ＱＡＭ）シンボルにマッピングすることとを含むことができる。マッピングは、第１のＱＡＭシンボルを第１のデータトーンに、第２のＱＡＭシンボルを第（１＋ＤＴＭ）のデータトーンに、第３のＱＡＭシンボルを第（１＋２＊ＤＴＭ）のデータトーンに、以下同様にマッピングすることをさらに含むことができる。マッピングは、たとえば、第４９のＱＡＭシンボルが第９６０のデータトーンにマッピングされ、第５０のＱＡＭシンボルが第２のデータトーンにマッピングされ、第５１のＱＡＭシンボルが第（２＋Ｄ＿ＴＭ）のデータトーンにマッピングされ、以下同様のようにラップアラウンドすることができる。
【０２２８】
[00251]再び図２０を参照すると、様々な実施形態では、ＢＣＣインターリービングパラメータおよびＬＤＰＣトーンマッピングの設計は別個である。図示の実施形態では、それらは２つの方法で接続される。すなわち、（１）両方のコーディング方法のいずれかがセグメントパーシングを使用するか、または両方のコーディング方法がセグメントパーシングを使用しない、および（２）ＤTM＝ＮSD／ＮCOLたとえば、９＝２３４／２６または１２＝４６８／３９）という関係を通して、ＢＣＣインターリービングとＬＤＰＣトーンマッピングの両方が同じインターリービング深度を共有する。
【０２２９】
[00252]図２２に戻ると、ブロック２２４０において、ワイヤレスデバイスは、送信用のメッセージを供給する。たとえば、ＡＰ  １０４は、４８４トーン割振りユニットに従って、アンテナ２２６を介した送信のためにメッセージを送信機２２０に供給することができる。様々な実施形態では、本明細書で説明する任意の帯域幅が使用され得る。
【０２３０】
[00253]様々な実施形態では、送信用のメッセージを供給することは、複数のデータビットを符号化すること、符号化ビットのストリームをパースすること、符号化ビットをインターリーブすること、符号化ビットをＱＡＭシンボルとして、次いで、ＯＦＤＭデータトーンにマッピングすること、ビットのパイロットシーケンスを指定された数のパイロットＯＦＤＭトーンにマッピングすること、ならびにヌルデータビットを指定された数の左ガードトーン、右ガードトーン、およびＤＣトーンにマッピングすることのうちの１つまたは複数を含む。たとえば、プロセッサ２０４（図２）は、４８４トーン割振りユニットに従って、複数のデータビットを編成することができる。エンコーダ１１０４（図１６）は、データビットを符号化することができる。ストリームパーサ１１０６（図１６）は、符号化データビットをパースすることができる。インターリーバ１１０８ａ〜１１０８ｃ（図１６）は、パースされたデータをインターリーブする。変調器１１０２ａ〜１１０８ｃ（図１６）は、送信機１１１０ａ〜１１１０ｃ（図１６）を介した送信のために、インターリーブされたデータを変調することができる。
【０２３１】
[00254]様々な実施形態では、方法は、たとえば、図１のＳＴＡ  １０６Ａ〜１０６Ｄなどの移動局において実施され得る。送信用のメッセージを供給することは、移動局をサービスするアクセスポイント（たとえば、図１のＡＰ  １０４）へ移動局の送信機（たとえば、図２の送信機２２０）およびアンテナ（たとえば、図２のアンテナ２２６）を通してメッセージを送信することを含むことができる。様々な実施形態では、方法は、たとえば、図１のＡＰ  １０４などのアクセスポイントにおいて実施され得る。送信用のメッセージを供給することは、アクセスポイントによってサービスされる移動局（たとえば、図１のＳＴＡ  １０６Ａ）へアクセスポイントの送信機（たとえば、図２の送信機２２０）およびアンテナ（たとえば、図２のアンテナ２２６）を通してメッセージを送信することを含むことができる。
【０２３２】
[00255]様々な実施形態では、図２２の方法は、図１７〜図１９の方法に示された１つまたは複数のブロックまたは機能を含むことができる。４８４トーン割振りユニットは、図４〜図１４に関して上記で説明した特性のいずれかを有することができる。
【０２３３】
[00256]一実施形態では、図２２に示す方法は、生成回路と、マッピング回路と、供給回路とを含むことができるワイヤレスデバイスにおいて実施され得る。ワイヤレスデバイスが本明細書で説明される簡略化されたワイヤレスデバイスよりも多くのコンポーネントを有することができることを、当業者は諒解されよう。本明細書で説明されるワイヤレスデバイスは、特許請求の範囲内の実装形態のいくつかの顕著な特徴を説明するのに有用なそれらのコンポーネントのみを含む。
【０２３４】
[00257]生成回路は、１０２４トーンプランに従ってメッセージを生成するように構成され得る。一実施形態では、生成回路は、フローチャート２２００（図２２）のブロック２２１０を実施するように構成され得る。生成回路は、ＤＳＰ  ２２０（図２）、プロセッサ２０４（図２）、およびメモリ２０６（図２）のうちの１つまたは複数を含むことができる。いくつかの実装形態では、生成するための手段は生成回路を含むことができる。
【０２３５】
[00258]マッピング回路は、低密度パリティチェック（ＬＤＰＣ）トーンマッピング距離（ＤＴＭ）を使用して、メッセージのトーンをマッピングするように構成され得る。様々な実施形態では、ＤＴＭは、１０、１４、または２０のうちの１つであり得る。マッピング回路は、ＤＳＰ  ２２０（図２）、プロセッサ２０４（図２）、メモリ２０６（図２）、インターリービングシステム１０１４（図１５）、インターリーバ１１０８ａ〜１１０８ｃ（図１６）、および変調器１１０２ａ〜７０２ｃ（図１６）のうちの１つまたは複数を含むことができる。いくつかの実装形態では、マッピングするための手段は生成回路を含むことができる。
【０２３６】
[00259]供給回路は、送信用のメッセージを供給するように構成され得る。一実施形態では、供給回路は、フローチャート２２００（図２２）のブロック２２２０を実施するように構成され得る。供給回路は、送信機２２０（図２）、トランシーバ２２４（図２）、プロセッサ２０４（図２）、ＤＳＰ  ２２０（図２）、アンテナ２２６（図２）、およびメモリ２０６（図２）のうちの１つまたは複数を含むことができる。いくつかの実装形態では、供給するための手段は供給回路を含むことができる。
【０２３７】
[00260]様々な実施形態では、ワイヤレスデバイスは送信回路をさらに含むことができる。送信回路は、たとえば、移動局またはアクセスポイントの送信機およびアンテナを通してメッセージを送信するように構成され得る。送信回路は、送信機２２０（図２）、トランシーバ２２４（図２）、プロセッサ２０４（図２）、ＤＳＰ  ２２０（図２）、アンテナ２２６（図２）、およびメモリ２０６（図２）のうちの１つまたは複数を含むことができる。いくつかの実装形態では、送信するための手段は送信回路を含むことができる。
【０２３８】
[00261]図２３は、図１のワイヤレス通信システム１００内で採用され得るワイヤレス通信の別の例示的な方法のためのフローチャート２３００を示す。方法は、ＡＰ  １０４（図１）、ＳＴＡｓ  １０６Ａ〜１０６Ｄ（図１）のいずれか、図２に示すワイヤレスデバイス２０２、および／またはデバイス１０１０、１０２０、１０３０、もしくは１０４０（図１５）などの、本明細書で説明されるデバイスによって全体的または部分的に実施され得る。本明細書では、図示された方法が、図１に関して上記で説明したワイヤレス通信システム１００、図２に関して上記で説明したワイヤレスデバイス２０２、図１５のシステム１０００、および図２０のトーンプランに関して説明されるが、図示された方法が、本明細書で説明される別のデバイス、または任意の他の好適なデバイスによって実施され得ることを、当業者は諒解されよう。本明細書では、図示された方法が特定の順序に関して説明されるが、様々な実施形態では、本明細書のブロックは、異なる順序で実施され得るか、または省略され得、さらなるブロックが追加され得る。
【０２３９】
[00262]最初に、ブロック２３１０において、ワイヤレスデバイスは、４８４トーン割振りユニットによるワイヤレス通信用のメッセージを生成する。４８４トーン割振りユニットは、４６８個のデータトーンを含む。たとえば、ＡＰ  １０４は、図２０に関して上記で説明した、４６８個のデータトーンを有する４８４トーン割振りユニットに従ってメッセージを生成することができる。
【０２４０】
[00263]様々な実施形態では、４８４トーン割振りユニットに従ってメッセージを生成することは、複数のデータビットを符号化すること、符号化ビットのストリームをパースすること、符号化ビットをインターリーブすること、符号化ビットをＱＡＭシンボルとして、次いで、ＯＦＤＭデータトーンにマッピングすること、ビットのパイロットシーケンスを指定された数のパイロットＯＦＤＭトーンにマッピングすること、ならびにヌルデータビットを指定された数の左ガードトーン、右ガードトーン、およびＤＣトーンにマッピングすることのうちの１つまたは複数を含むことができる。たとえば、エンコーダ１１０４（図１６）は、データビットを符号化することができる。図示の実施形態では、セグメントパーサは省略され得、単一のインターリーバが使用され得る。
【０２４１】
[00264]次いで、ブロック２３１２において、ワイヤレスデバイスはストリームパーシングを実行する。たとえば、ストリームパーサ１１０６（図１６）が、１つまたは複数のビットストリームへの符号化データビットをパースすることができる。
【０２４２】
[00265]その後、ブロック２３１５において、ワイヤレスデバイスは、ＢＣＣコーディングとＬＤＰＣコーディングとの間で選択する。ＢＣＣが選択される場合（ブロック２３２０）、コード化ビットは、（たとえば、図２０に示すＮｃｏｌ、Ｎｒｏｔ、およびストリーム並べ替えによる）ＢＣＣインターリービングを通過し、次いで、ＱＡＭシンボルをトーンにマッピングする前にＱＡＭマッピングを通過する。様々な実施形態では、ＢＣＣは、ランダム性を得るためにビットレベルインターリービングを利用し、そのため、インターリービングがコード化ビットに対して実行される。したがって、ブロック２３２０において、ワイヤレスデバイスは、３９としてのインターリーバ深度と、４つまでの空間ストリームに対して１１６としてのインターリーブされたローテーションインデックスと、４つを超える空間ストリームに対して５６としてのインターリーブされたローテーションインデックスとを使用して、送信のためにインターリーブされた一連のビットを生成する。たとえば、単一のインターリーバ１１０８ａ〜１１０８ｃ（図１６）が、パースされたデータをインターリーブすることができる。その後、ブロック２３２５において、ワイヤレスデバイスはコンスタレーションマッピングを実行する。たとえば、システム１１００（図１６）のマッパーが、データビットを４６８個のＯＦＤＭデータトーンにマッピングすることができ、ビットのパイロットシーケンスをパイロットＯＦＤＭトーンにマッピングすることができ、ヌルデータビットを左ガードトーン、右ガードトーン、およびＤＣトーンにマッピングすることができる。
【０２４３】
[00266]ブロック２３１５に戻ると、ＬＤＰＣが選択される場合（ブロック２３３０）、コード化ビットは、ＱＡＭマッピングを通過し、次いで、ＱＡＭシンボルをトーンにマッピングするためのＬＤＰＣトーンマッピングを通過する。様々な実施形態では、ＬＤＰＣは、十分なビットレベルランダム性を有し、そのため、周波数ダイバーシティを実現するために、（一種のインターリービングとして特徴付けられ得る）トーンマッピングがＱＡＭシンボルに対して実行される。したがって、ブロック２３１７において、ワイヤレスデバイスはコンスタレーションマッピングを実行する。たとえば、システム１１００（図１６）のマッパーが、データビットを４６８個のＯＦＤＭデータトーンにマッピングすることができ、ビットのパイロットシーケンスをパイロットＯＦＤＭトーンにマッピングすることができ、ヌルデータビットを左ガードトーン、右ガードトーン、およびＤＣトーンにマッピングすることができる。その後、ブロック２３３０において、ワイヤレスデバイスは、低密度パリティチェック（ＬＤＰＣ）のために、１２としてのトーンマッピング距離（ＤＴＭ）を使用してメッセージのトーンをマッピングする。いくつかの実施形態では、トーンマッピングのプロセスは、符号化データビットのコンスタレーションポイントをＯＦＤＭサブキャリアに関連付けることを含むことができる。各トーンがそれにマッピングされるＯＦＤＭサブキャリアは、示されたサブキャリア数だけ分離され得る。たとえば、そのようなマッピングは、複数のデータビットを符号化することと、それらの符号化ビットを直交振幅変調（ＱＡＭ）シンボルにマッピングすることとを含むことができる。マッピングは、第１のＱＡＭシンボルを第１のデータトーンに、第２のＱＡＭシンボルを第（１＋ＤＴＭ）のデータトーンに、第３のＱＡＭシンボルを第（１＋２＊ＤＴＭ）のデータトーンに、以下同様にマッピングすることをさらに含むことができる。マッピングは、たとえば、第４９のＱＡＭシンボルが第９６０のデータトーンにマッピングされ、第５０のＱＡＭシンボルが第２のデータトーンにマッピングされ、第５１のＱＡＭシンボルが第（２＋Ｄ＿ＴＭ）のデータトーンにマッピングされ、以下同様のようにラップアラウンドすることができる。
【０２４４】
[00267]再び図２０を参照すると、様々な実施形態では、ＢＣＣインターリービングパラメータおよびＬＤＰＣトーンマッピングの設計は別個である。図示の実施形態では、それらは２つの方法で接続される。すなわち、（１）両方のコーディング方法のいずれかがセグメントパーシングを使用するか、または両方のコーディング方法がセグメントパーシングを使用しない、および（２）ＤTM＝ＮSD／ＮCOLたとえば、９＝２３４／２６または１２＝４６８／３９）という関係を通じて、ＢＣＣインターリービングとＬＤＰＣトーンマッピングの両方が同じインターリービング深度を共有する。
【０２４５】
[00268]図２３に戻ると、ブロック２３４０において、ワイヤレスデバイスは、送信用のメッセージを供給する。たとえば、ＡＰ  １０４は、４８４トーン割振りユニットに従って、アンテナ２３６を介した送信のためにメッセージを送信機２３０に供給することができる。様々な実施形態では、本明細書で説明する任意の帯域幅が使用され得る。
【０２４６】
[00269]様々な実施形態では、送信用のメッセージを供給することは、複数のデータビットを符号化すること、符号化ビットのストリームをパースすること、符号化ビットをインターリーブすること、符号化ビットをＱＡＭシンボルとして、次いで、ＯＦＤＭデータトーンにマッピングすること、ビットのパイロットシーケンスを指定された数のパイロットＯＦＤＭトーンにマッピングすること、ならびにヌルデータビットを指定された数の左ガードトーン、右ガードトーン、およびＤＣトーンにマッピングすることのうちの１つまたは複数を含む。たとえば、プロセッサ２０４（図２）は、４８４トーン割振りユニットに従って、複数のデータビットを編成することができる。エンコーダ１１０４（図１６）は、データビットを符号化することができる。ストリームパーサ１１０６（図１６）は、符号化データビットをパースすることができる。インターリーバ１１０８ａ〜１１０８ｃ（図１６）は、パースされたデータをインターリーブする。変調器１１０２ａ〜１１０８ｃ（図１６）は、送信機１１１０ａ〜１１１０ｃ（図１６）を介した送信のために、インターリーブされたデータを変調することができる。
【０２４７】
[00270]様々な実施形態では、方法は、たとえば、図１のＳＴＡ  １０６Ａ〜１０６Ｄなどの移動局において実施され得る。送信用のメッセージを供給することは、移動局をサービスするアクセスポイント（たとえば、図１のＡＰ  １０４）へ移動局の送信機（たとえば、図２の送信機２３０）およびアンテナ（たとえば、図２のアンテナ２３６）を通してメッセージを送信することを含むことができる。様々な実施形態では、方法は、たとえば、図１のＡＰ  １０４などのアクセスポイントにおいて実施され得る。送信用のメッセージを供給することは、アクセスポイントによってサービスされる移動局（たとえば、図１のＳＴＡ  １０６Ａ）へアクセスポイントの送信機（たとえば、図２の送信機２３０）およびアンテナ（たとえば、図２のアンテナ２３６）を通してメッセージを送信することを含むことができる。
【０２４８】
[00271]様々な実施形態では、図２３の方法は、図１７〜図１９の方法に示された１つまたは複数のブロックまたは機能を含むことができる。４８４トーン割振りユニットは、図４〜図１４に関して上記で説明した特性のいずれかを有することができる。
【０２４９】
[00272]一実施形態では、図２３に示す方法は、生成回路と、マッピング回路と、供給回路とを含むことができるワイヤレスデバイスにおいて実施され得る。ワイヤレスデバイスが本明細書で説明される簡略化されたワイヤレスデバイスよりも多くのコンポーネントを有することができることを、当業者は諒解されよう。本明細書で説明されるワイヤレスデバイスは、特許請求の範囲内の実装形態のいくつかの顕著な特徴を説明するのに有用なそれらのコンポーネントのみを含む。
【０２５０】
[00273]生成回路は、１０２４トーンプランに従ってメッセージを生成するように構成され得る。一実施形態では、生成回路は、フローチャート２３００（図２３）のブロック２３１０を実施するように構成され得る。生成回路は、ＤＳＰ  ２３０（図２）、プロセッサ２０４（図２）、およびメモリ２０６（図２）のうちの１つまたは複数を含むことができる。いくつかの実装形態では、生成するための手段は生成回路を含むことができる。
【０２５１】
[00274]マッピング回路は、低密度パリティチェック（ＬＤＰＣ）トーンマッピング距離（ＤＴＭ）を使用して、メッセージのトーンをマッピングするように構成され得る。様々な実施形態では、ＤＴＭは、１０、１４、または２０のうちの１つであり得る。マッピング回路は、ＤＳＰ  ２３０（図２）、プロセッサ２０４（図２）、メモリ２０６（図２）、インターリービングシステム１０１４（図１５）、インターリーバ１１０８ａ〜１１０８ｃ（図１６）、および変調器１１０２ａ〜７０２ｃ（図１６）のうちの１つまたは複数を含むことができる。いくつかの実装形態では、マッピングするための手段は生成回路を含むことができる。
【０２５２】
[00275]供給回路は、送信用のメッセージを供給するように構成され得る。一実施形態では、供給回路は、フローチャート２３００（図２３）のブロック２３２０を実施するように構成され得る。供給回路は、送信機２３０（図２）、トランシーバ２３４（図２）、プロセッサ２０４（図２）、ＤＳＰ  ２３０（図２）、アンテナ２３６（図２）、およびメモリ２０６（図２）のうちの１つまたは複数を含むことができる。いくつかの実装形態では、供給するための手段は供給回路を含むことができる。
【０２５３】
[00276]様々な実施形態では、ワイヤレスデバイスは送信回路をさらに含むことができる。送信回路は、たとえば、移動局またはアクセスポイントの送信機およびアンテナを通してメッセージを送信するように構成され得る。送信回路は、送信機２３０（図２）、トランシーバ２３４（図２）、プロセッサ２０４（図２）、ＤＳＰ  ２３０（図２）、アンテナ２３６（図２）、およびメモリ２０６（図２）のうちの１つまたは複数を含むことができる。いくつかの実装形態では、送信するための手段は送信回路を含むことができる。
【０２５４】
[00277]図２４は、図１のワイヤレス通信システム１００内で採用され得るワイヤレス通信の別の例示的な方法のためのフローチャート２４００を示す。方法は、ＡＰ  １０４（図１）、ＳＴＡｓ  １０６Ａ〜１０６Ｄ（図１）のいずれか、図２に示すワイヤレスデバイス２０２、デバイス１０１０、１０２０、１０３０、もしくは１０４０（図１５）、および／またはシステム１１００（図１６）のデバイスのいずれかなどの、本明細書で説明されるデバイスによって全体的または部分的に実施され得る。本明細書では、図示された方法が、図１に関して上記で説明したワイヤレス通信システム１００、図２に関して上記で説明したワイヤレスデバイス２０２、図１５のシステム１０００、図１６のシステム１１００、および図２０のトーンプランに関して説明されるが、図示された方法が、本明細書で説明される別のデバイス、または任意の他の好適なデバイスによって実施され得ることを、当業者は諒解されよう。本明細書では、図示された方法が特定の順序に関して説明されるが、様々な実施形態では、本明細書のブロックは、異なる順序で実施され得るか、または省略され得、さらなるブロックが追加され得る。
【０２５５】
[00278]最初に、ブロック２４１０において、ワイヤレスデバイスは、２４２トーンリソースユニット（ＲＵ）および４８４トーンＲＵのうちの少なくとも１つを選択する。２４２トーンＲＵは、２０ＭＨｚ帯域幅を介した送信用の、２３４個のデータトーンと、８個のパイロットトーンと、３個の直流トーンと、１１個のエッジトーンとを備える２５６トーンプランに関連する。４８４トーンＲＵは、４０ＭＨｚ帯域幅を介した送信用の、４６８個のデータトーンと、１６個のパイロットトーンと、５個の直流トーンと、２３個のエッジトーン（たとえば、１２個の左ガードトーンおよび１１個の右ガードトーン）とを備える５１２トーンプランに関連する。たとえば、ＡＰ  １０４は、図２０に関して説明される２４２トーンＲＵまたは４８４トーンＲＵを選択することができ、それを割り振ることができる。別の例として、ＳＴＡ  １０６Ａは、図２０に関して説明される２４２トーンＲＵまたは４８４トーンＲＵに対する割振りを受信することができ、そうしたＲＵを選択することができる。
【０２５６】
[00279]様々な実施形態では、選択するステップは、２４２トーンＲＵを選択することを含むことができる。供給するステップは、２５６トーンプランによる送信用のメッセージを供給することを含むことができる。方法は、バイナリ畳み込みコード（ＢＣＣ）インターリービングのために、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかをさらに含むことができる。様々な実施形態では、選択するステップは、４８４トーンＲＵを選択することを含むことができる。供給するステップは、５１２トーンプランによる送信用のメッセージを供給することを含むことができる。方法は、低密度パリティチェック（ＬＤＰＣ）のために、１２としてのトーンマッピング距離（ＤＴＭ）を使用してメッセージのトーンをマッピングすることと、メッセージのバイナリ畳み込みコードインターリービングマップトーンを実行することを控えることとをさらに含むことができる。
【０２５７】
[00280]様々な実施形態では、方法は、４８４トーンＲＵに対して、２６としてのインターリーバ深度と、４つまでの空間ストリームに対して５８としてのインターリーブされたローテーションインデックスとを使用して、符号化データをインターリーブすること、または低密度パリティチェック（ＬＤＰＣ）のために、９としてのトーンマッピング距離（ＤＴＭ）を使用してメッセージのトーンをマッピングすることのいずれかをさらに含むことができる。様々な実施形態では、方法は、４８４トーンＲＵに対して、３９としてのインターリーバ深度と、４つまでの空間ストリームに対して１１６としてのインターリーブされたローテーションインデックスと、４つを超える空間ストリームに対して５６としてのインターリーブされたローテーションインデックスとを使用して、符号化データをインターリーブすること、または低密度パリティチェック（ＬＤＰＣ）のために、１２としてのトーンマッピング距離（ＤＴＭ）を使用してメッセージのトーンをマッピングすることのいずれかをさらに含むことができる。
【０２５８】
[00281]様々な実施形態では、４８４トーン割振りユニットに従ってメッセージを生成することは、複数のデータビットを符号化すること、符号化ビットのストリームをパースすること、符号化ビットをインターリーブすること、符号化ビットをＱＡＭシンボルとして、次いで、ＯＦＤＭデータトーンにマッピングすること、ビットのパイロットシーケンスを指定された数のパイロットＯＦＤＭトーンにマッピングすること、ならびにヌルデータビットを指定された数の左ガードトーン、右ガードトーン、およびＤＣトーンにマッピングすることのうちの１つまたは複数を含むことができる。たとえば、エンコーダ１１０４（図１６）は、データビットを符号化することができる。図示の実施形態では、セグメントパーサは省略され得、単一のインターリーバが使用され得る。
【０２５９】
[00282]次いで、ブロック２４２０において、ワイヤレスデバイスは、２５６トーンプランまたは５１２トーンプランによる送信用のメッセージを供給する。たとえば、ＡＰ  １０４は、選択されたトーンプランに従って送信機２１０（図２）を介してメッセージを送信することができる。別の例として、ＳＴＡ  １０６Ａが、選択されたトーンプランに従って送信機２１０（図２）を介してメッセージを送信することができる。ＡＰ  １０４および／またはＳＴＡ  １０６Ａはまた、選択されたトーンプランに従ってメッセージを受信することができる。
【０２６０】
[00283]様々な実施形態では、送信用のメッセージを供給することは、複数のデータビットを符号化すること、符号化ビットのストリームをパースすること、符号化ビットをインターリーブすること、符号化ビットをＱＡＭシンボルとして、次いで、ＯＦＤＭデータトーンにマッピングすること、ビットのパイロットシーケンスを指定された数のパイロットＯＦＤＭトーンにマッピングすること、ならびにヌルデータビットを指定された数の左ガードトーン、右ガードトーン、およびＤＣトーンにマッピングすることのうちの１つまたは複数を含む。たとえば、プロセッサ２０４（図２）は、４８４トーン割振りユニットに従って、複数のデータビットを編成することができる。エンコーダ１１０４（図１６）は、データビットを符号化することができる。ストリームパーサ１１０６（図１６）は、符号化データビットをパースすることができる。インターリーバ１１０８ａ〜１１０８ｃ（図１６）は、パースされたデータをインターリーブする。変調器１１０２ａ〜１１０８ｃ（図１６）は、送信機１１１０ａ〜１１１０ｃ（図１６）を介した送信のために、インターリーブされたデータを変調することができる。
【０２６１】
[00284]様々な実施形態では、方法は、たとえば、図１のＳＴＡ  １０６Ａ〜１０６Ｄなどの移動局において実施され得る。送信用のメッセージを供給することは、移動局をサービスするアクセスポイント（たとえば、図１のＡＰ  １０４）へ移動局の送信機（たとえば、図２の送信機２４０）およびアンテナ（たとえば、図２のアンテナ２４６）を通してメッセージを送信することを含むことができる。様々な実施形態では、方法は、たとえば、図１のＡＰ  １０４などのアクセスポイントにおいて実施され得る。送信用のメッセージを供給することは、アクセスポイントによってサービスされる移動局（たとえば、図１のＳＴＡ  １０６Ａ）へアクセスポイントの送信機（たとえば、図２の送信機２４０）およびアンテナ（たとえば、図２のアンテナ２４６）を通してメッセージを送信することを含むことができる。
【０２６２】
[00285]一実施形態では、図２４に示された方法は、選択回路と供給回路とを含むことができるワイヤレスデバイスにおいて実施され得る。ワイヤレスデバイスが本明細書で説明する簡略化されたワイヤレスデバイスよりも多くのコンポーネントを有することができることを、当業者は諒解されよう。本明細書で説明されるワイヤレスデバイスは、特許請求の範囲内の実装形態のいくつかの顕著な特徴を説明するのに有用なそれらのコンポーネントのみを含む。
【０２６３】
[00286]選択回路は、２４２トーンＲＵまたは４８４トーンＲＵを選択するように構成され得る。一実施形態では、選択回路は、フローチャート２４００（図２４）のブロック２４１０を実施するように構成され得る。生成回路は、ＤＳＰ  ２４０（図２）、プロセッサ２０４（図２）、およびメモリ２０６（図２）のうちの１つまたは複数を含むことができる。いくつかの実装形態では、選択するための手段は選択回路を含むことができる。
【０２６４】
[00287]供給回路は、送信用のメッセージを供給するように構成され得る。一実施形態では、供給回路は、フローチャート２４００（図２４）のブロック２４２０を実施するように構成され得る。供給回路は、送信機２４０（図２）、トランシーバ２４４（図２）、プロセッサ２０４（図２）、ＤＳＰ  ２４０（図２）、アンテナ２４６（図２）、およびメモリ２０６（図２）のうちの１つまたは複数を含むことができる。いくつかの実装形態では、供給するための手段は供給回路を含むことができる。
【０２６５】
[00288]様々な実施形態では、ワイヤレスデバイスは送信回路をさらに含むことができる。送信回路は、たとえば、移動局またはアクセスポイントの送信機およびアンテナを通してメッセージを送信するように構成され得る。送信回路は、送信機２４０（図２）、トランシーバ２４４（図２）、プロセッサ２０４（図２）、ＤＳＰ  ２４０（図２）、アンテナ２４６（図２）、およびメモリ２０６（図２）のうちの１つまたは複数を含むことができる。いくつかの実装形態では、送信するための手段は送信回路を含むことができる。
【０２６６】
[00289]様々な実施形態では、ワイヤレスデバイスは生成回路をさらに含むことができる。生成回路は、選択されたトーンプランに従ってメッセージを生成するように構成され得る。生成回路は、ＤＳＰ  ２４０（図２）、プロセッサ２０４（図２）、およびメモリ２０６（図２）のうちの１つまたは複数を含むことができる。いくつかの実装形態では、生成するための手段は生成回路を含むことができる。
【０２６７】
[00290]様々な実施形態では、ワイヤレスデバイスはマッピング回路をさらに含むことができる。マッピング回路は、低密度パリティチェック（ＬＤＰＣ）トーンマッピング距離（ＤＴＭ）を使用して、メッセージのトーンをマッピングするように構成され得る。様々な実施形態では、ＤＴＭは、１０、１４、または２０のうちの１つであり得る。マッピング回路は、ＤＳＰ  ２４０（図２）、プロセッサ２０４（図２）、メモリ２０６（図２）、インターリービングシステム１０１４（図１５）、インターリーバ１１０８ａ〜１１０８ｃ（図１６）、および変調器１１０２ａ〜７０２ｃ（図１６）のうちの１つまたは複数を含むことができる。いくつかの実装形態では、マッピングするための手段は生成回路を含むことができる。
【０２６８】
[00291]情報および信号が様々な異なる技術および技法のいずれかを使用して表され得ることを、当業者なら理解されよう。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２６９】
[00292]本開示で説明された実装形態への様々な修正は当業者には容易に明らかであり得、本明細書で定義した一般原理は、本開示の趣旨または範囲から逸脱することなく他の実装形態に適用され得る。したがって、本開示は、本明細書で示した実装形態に限定されるものではなく、本明細書で開示される特許請求の範囲、原理、および新規の特徴に一致する最も広い範囲を与られるべきである。「例示的」という単語は、本明細書ではもっぱら「例、事例、または例示の働きをすること」を意味するために使用される。「例示的」として本明細書で説明されるいかなる実装形態も、必ずしも他の実装形態よりも好ましいか、または有利であると解釈されるべきではない。
【０２７０】
[00293]別個の実装形態という文脈において本明細書で説明されたいくつかの特徴はまた、単一の実装形態において組合せで実装され得る。逆に、単一の実装形態という文脈において説明された様々な特徴はまた、複数の実装形態において別々に、または任意の好適なサブコンビネーションで実装され得る。その上、特徴はいくつかの組合せで働くものとして上記で説明されることがあり、初めにそのように請求されることさえあるが、請求される組合せからの１つまたは複数の特徴は、場合によってはその組合せから削除され得、請求される組合せは、サブコンビネーション、またはサブコンビネーションの変形形態に向けられ得る。
【０２７１】
[00294]本明細書で使用する、項目のリスト「のうちの少なくとも１つ」を参照する語句は、単一のメンバーを含む、それらの項目の任意の組合せを指す。例として、「ａ、ｂ、またはｃの少なくとも１つ」は、ａ、ｂ、ｃ、ａ−ｂ、ａ−ｃ、ｂ−ｃ、およびａ−ｂ−ｃを包含することが意図される。
【０２７２】
[00295]上記で説明された方法の様々な動作は、様々な（１つまたは複数の）ハードウェアコンポーネントおよび／もしくはソフトウェアコンポーネント、回路、ならびに／または（１つまたは複数の）モジュールなどの、動作を実行することが可能な任意の好適な手段によって実行され得る。概して、図に示される任意の動作は、動作を実行することが可能な対応する機能手段によって実行され得る。
【０２７３】
[00296]本開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェアコンポーネント、または本明細書で説明した機能を実行するように設計されたそれらの任意の組合せを用いて実施または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０２７４】
[00297]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または命令またはデータ構造の形態の所望のプログラムコードを搬送または記憶するために使用され得、コンピュータによってアクセスされ得る任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーを用いて光学的に再生する。したがって、いくつかの態様では、コンピュータ可読媒体は非一時的コンピュータ可読媒体（たとえば、有形媒体）を備えることができる。さらに、いくつかの態様では、コンピュータ可読媒体は一時的コンピュータ可読媒体（たとえば、信号）を備えることができる。上記の組合せもコンピュータ可読媒体の範囲内に含まれるべきである。
【０２７５】
[00298]本明細書で開示された方法は、説明された方法を達成するための１つまたは複数のステップまたはアクションを備える。方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【０２７６】
[00299]さらに、本明細書で説明された方法および技法を実行するためのモジュールおよび／または他の適切な手段が、適用可能な場合にユーザ端末および／もしくは基地局によってダウンロードされ、ならびに／または他の方法で取得され得ることを諒解されたい。たとえば、そのようなデバイスは、本明細書で説明された方法を実行するための手段の転送を容易にするためにサーバに結合され得る。代替的に、本明細書で説明された様々な方法は、ユーザ端末および／または基地局が記憶手段をデバイスに結合または提供すると、様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。その上、本明細書で説明された方法および技法をデバイスに提供するための任意の他の好適な技法が利用され得る。
【０２７７】
[00300]上記のことは本開示の態様に向けられるが、本開示の他の態様およびさらなる態様が、それの基本的範囲から逸脱することなく考案され得、それの範囲は以下の特許請求の範囲によって決定される。
【図１】
2017530599.tif 000003
【図２】
2017530599.tif 000004
【図３】
2017530599.tif 000005
【図４】
2017530599.tif 000006
【図５】
2017530599.tif 000007
【図６】
2017530599.tif 000008
【図７】
2017530599.tif 000009
【図８】
2017530599.tif 000010
【図９】
2017530599.tif 000011
【図１０】
2017530599.tif 000012
【図１１】
2017530599.tif 000013
【図１２】
2017530599.tif 000014
【図１３】
2017530599.tif 000015
【図１４】
2017530599.tif 000016
【図１５】
2017530599.tif 000017
【図１６】
2017530599.tif 000018
【図１７】
2017530599.tif 000019
【図１８】
2017530599.tif 000020
【図１９】
2017530599.tif 000021
【図２０】
2017530599.tif 000022
【図２１】
2017530599.tif 000023
【図２２】
2017530599.tif 000024
【図２３】
2017530599.tif 000025
【図２４】
2017530599.tif 000026
【国際調査報告】
2017530599.tif 000027
2017530599.tif 000028
2017530599.tif 000029